(57)【要約】  リストアセンブリを具備する、低侵襲手術（ＭＩＳ）のための手術装置システムである。リストアセンブリは、第１の顎部、第１の作動ハブ、第１の作動ハブに動作可能につながれたケーブル再配向ハブ、第２の顎部、第２の作動ハブ、第１および第２の顎部のためのハウジング、第１のケーブル、第２のケーブル、第３のケーブル、回転位置センサー、および制御システムを具備する。リストアセンブリの第１および第２の顎部は動作可能に対向しており、ケーブルは、張力を付与されることで顎部の軸まわりに回転を生じさせるように構成される。リストアセンブリはさらに、ピッチ軸および／またはロール軸まわりに回転を生じさせるように構成されたヒンジ回転アセンブリを具備し得る。リストアセンブリはまた第４のケーブルを具備し、該第４のケーブルは、第４のケーブルと対向ケーブルに張力が付与されることでピッチ軸まわりに回転が生じるように構成される。【選択図】図１Ａ
2021502193.tif 000002
【特許請求の範囲】
【請求項１】
リストアセンブリであって、該リストアセンブリは、
ａ．顎部アセンブリであって、
ｉ．第１の動作セグメント、第１の作動ハブ、および第１の作動ハブに動作可能につながれたケーブル再配向ハブを備えた第１の顎部であって、第１の作動ハブはケーブル通路を具備し、かつ外周を規定し、ケーブル再配向ハブは再配向ハブケーブル管路を具備し、かつ第１の作動ハブの外周に隣接する、第１の顎部、
ｉｉ．第２の動作セグメントおよび第２の作動ハブを備えた第２の顎部であって、第２の作動ハブは、第２の作動ハブの外周に沿って配置された第１のケーブル管路を具備する、第２の顎部、および
ｉｉｉ．第１および第２の顎部のためのハウジングであって、該ハウジングは、第１の本体および第２の本体を含み、かつ第１の顎部と第２の顎部が顎部の軸まわりを回転できるように構成され、第１の顎部と第２の顎部は移動可能に対向している、ハウジング
を含む、顎部アセンブリ；
ｂ．第１のケーブル管路の少なくとも一部に配置され、かつ第２の顎部につながれた、第１のケーブル；
ｃ．ケーブル通路に配置され、かつ第２の顎部につながれた、第２のケーブル；
ｄ．再配向ハブケーブル管路の少なくとも一部に配置され、かつ第１の顎部につながれた、第３のケーブルであって、
第２のケーブルに付与された第２の張力より大きな第１の張力を第１のケーブルに付与することで、第２の顎部を顎部の軸まわりで第１の顎部の方へと回転させる、顎部の軸に沿う第１のトルクが生成され、第１のケーブルに付与された第１の張力より大きな第２の張力を第２のケーブルに付与することで、第２の顎部を顎部の軸まわりで第１の顎部から離れて回転させる、顎部の軸に沿う第２のトルクが生成され、および
第２のケーブルに付与された第２の張力より大きな第３の張力を第３のケーブルに付与することで、第１の顎部を顎部の軸まわりで第２の顎部の方へと回転させる、顎部の軸に沿う第３のトルクが生成され、第３のケーブルに付与された第３の張力より大きな第２の張力を第２のケーブルに付与することで、第１の顎部を顎部の軸まわりで第２の顎部から離れて回転させる、顎部の軸に沿う第４のトルクが生成される、第３のケーブル；
ｅ．顎部の軸に近接して配置され、かつ顎部の軸まわりでの第１または第２の顎部のうち１つ以上の回転を検出するように構成される、少なくとも１つの第１の回転位置センサー；および
ｆ．顎部の軸まわりで第１または第２の顎部のうち１つ以上を回転させるように構成された制御システム
を具備する、リストアセンブリ。
【請求項２】
前記リストアセンブリはさらにヒンジ回転アセンブリを具備し、該ヒンジ回転アセンブリは、ピッチ軸まわりで顎部アセンブリを回転させ、かつロール軸まわりでヒンジ回転アセンブリを回転させるように構成され、前記ヒンジ回転アセンブリは、
ａ．空洞を規定する雌回転体；
ｂ．ケーブル管路を備えた近位端を具備するヒンジ回転体であって、該ケーブル管路は、第１のケーブル、第２のケーブル、または第３のケーブルの１つ以上を収容し、ヒンジ回転体の少なくとも一部は雌回転体の空洞内に配置される、ヒンジ回転体；
ｃ．ヒンジカバー；および
ｄ．ヒンジ回転体とヒンジカバーとの間に配置された少なくとも１つの従動プーリであって、該従動プーリは、従動プーリの外周に沿って配置された従動管路を備え、前記従動プーリはピッチ軸まわりに配置され、第２のケーブルは従動管路の少なくとも一部に配置される、従動プーリ
を具備する、請求項１に記載のリストアセンブリ。
【請求項３】
前記ヒンジ回転アセンブリはさらに、ヒンジ回転体の近位端に動作可能につながれた回転プーリ体を具備し、前記ヒンジ回転体は、雌回転体に対して回転プーリ体と共に回転することでロール軸まわりでの回転運動を生じさせる、請求項２に記載のリストアセンブリ。
【請求項４】
複数のベアリングをさらに具備し、該複数のベアリングは、
ａ．ヒンジ回転体と顎部アセンブリの第１の本体との間、
ｂ．ヒンジ回転体と雄ベアリングレースとの間、
ｃ．少なくとも１つの従動プーリと顎部アセンブリの第１の本体との間、
ｄ．ヒンジカバーと顎部アセンブリの第２の本体との間、または
ｅ．ヒンジカバーと雄ベアリングレースとの間
のうち１つ以上に位置している、請求項２に記載のリストアセンブリ。
【請求項５】
前記ヒンジ回転アセンブリはさらに分離面を具備し、該分離面は、第１のケーブル、第２のケーブル、または第３のケーブルの１つ以上が、分離面の少なくとも一部を乗り通ることで第１のケーブル、第２のケーブル、または第３のケーブルの１つ以上における長さの変化を減らす一方で、分離面がない状態で第１のケーブル、第２のケーブル、または第３のケーブルの１つ以上における長さの変化に対してピッチ軸の中心まわりを枢動するのを可能にするように構成される、請求項２に記載のリストアセンブリ。
【請求項６】
分離面は、ヒンジカバーまたはヒンジ回転体の少なくとも１つの上に位置する、請求項５に記載のリストアセンブリ。
【請求項７】
ピッチ軸に近接して配置され、かつピッチ軸まわりの顎部アセンブリの回転を検出するように構成された、少なくとも１つの第２の回転位置センサーをさらに具備する、請求項５に記載のリストアセンブリ。
【請求項８】
ピッチ軸に位置する複数の第２の回転位置センサーを具備する、請求項７に記載のリストアセンブリ。
【請求項９】
少なくとも１つの第１の回転位置センサーまたは少なくとも１つの第２の回転位置センサーによってキャプチャされた情報を送信するように構成された、少なくとも１つの電気通信コンポーネントをさらに具備する、請求項７に記載のリストアセンブリ。
【請求項１０】
前記少なくとも１つの電気通信コンポーネントはフレキシブルプリント回路基板（ＦＰＣＢ）を具備する、請求項９に記載のリストアセンブリ。
【請求項１１】
前記少なくとも１つの電気通信コンポーネントはプリント回路基板（ＰＣＢ）を具備する、請求項９に記載のリストアセンブリ。
【請求項１２】
前記ハウジングの第１の本体は、顎部アセンブリがピッチ軸まわりの回転の限界を超えて回転するのを防ぐように構成されたヒンジ停止部をさらに具備する、請求項５に記載のリストアセンブリ。
【請求項１３】
顎部アセンブリの第１の本体と第２の本体のうち１つにつながれた第４のケーブルをさらに具備し、ここで、対向ケーブルに付与される対向張力よりも大きな第４の張力を第４のケーブルに付与すると、顎部アセンブリをピッチ軸まわりで第１のピッチ方向に回転させる、ピッチ軸に沿う第５のトルクが生成され、第４のケーブルに付与される第４の張力よりも大きな対向張力を対向ケーブルに付与すると、顎部アセンブリをピッチ軸まわりで第２のピッチ方向に回転させる、ピッチ軸に沿う対向トルクが生成され、第２のピッチ方向は、第１のピッチ方向の反対方向でのピッチ軸まわりの回転である、請求項２に記載のリストアセンブリ。
【請求項１４】
対向ケーブルと対向張力は、
ａ．第１のケーブルと第１のケーブル張力、
ｂ．第２のケーブルと第２のケーブル張力、または
ｃ．第３のケーブルと第３のケーブル張力
のうち１つ以上である、請求項１３に記載のリストアセンブリ。
【請求項１５】
対向ケーブルは、第１のケーブル、第２のケーブル、または第３のケーブルのうち１つのみである、請求項１３に記載のリストアセンブリ。
【請求項１６】
対向ケーブルは第１のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させ、
対向ケーブルは第２のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させ、または
対向ケーブルは第３のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させる、請求項１５に記載のリストアセンブリ。
【請求項１７】
前記制御システムはさらに、少なくとも１つの第１の回転位置センサーまたは少なくとも１つの第２の回転位置センサーのうち１つ以上からデータを受け取り、かつ、第１の張力、第２の張力、第３の張力、第４の張力、または対向張力がピッチ軸または顎部の軸のうち１つ以上のまわりで顎部アセンブリを回転させると判定するように構成される、請求項２に記載のリストアセンブリ。
【請求項１８】
前記制御システムはさらに、第１のケーブル、第２のケーブル、第３のケーブル、または第４のケーブルのうち１つに張力を付与するように構成された少なくとも１つのアクチュエーターを含み、該アクチュエーターは、ステッパーモーター、サーボモーター、油圧アクチュエーター、空気圧式アクチュエーター、圧電性モーター、または超音波変換器のうち１つである、請求項１７に記載のリストアセンブリ。
【請求項１９】
前記ケーブル再配向ハブと前記第１の作動ハブは一体式構造である、請求項１に記載のリストアセンブリ。
【請求項２０】
前記ケーブル再配向ハブは再配向ピンを具備し、第２のケーブルは少なくともケーブル通路内の再配向ピンの一部の周囲を通る、請求項１に記載のリストアセンブリ。
【請求項２１】
前記第１の作動ハブはさらに第１のケーブル配索突起部を具備し、該第１のケーブル配索突起部は、第２のケーブルが第１の方向における顎部の軸まわりでの第１の顎部の回転中に乗り通るための表面を設けるように構成される、請求項１に記載のリストアセンブリ。
【請求項２２】
前記第１のケーブル配索突起部は、第１のケーブル配索突起部が存在しない場合に第１の方向における顎部の軸まわりでの第１の顎部の回転中の顎部の軸に沿ったトルクに比べて、第１の方向における顎部の軸まわりでの第１の顎部の回転中の顎部の軸に沿ったトルクを減少させるように構成される、請求項２１に記載のリストアセンブリ。
【請求項２３】
前記第１のケーブル配索突起部は、第１のケーブル配索突起部が存在しない場合に第１の方向における顎部の軸まわりでの第１の顎部の回転中の第２のケーブルの長さの変化に比べて、第１の方向における顎部の軸まわりでの第１の顎部の回転中の第２のケーブルの長さの変化を減少させるように構成される、請求項２１に記載のリストアセンブリ。
【請求項２４】
前記第１の作動ハブはさらに第２のケーブル配索突起部を具備し、該第２のケーブル配索突起部は、第２のケーブルが第２の方向における顎部の軸まわりでの第１の顎部の回転中に乗り通るための表面を設けるように構成され、第２の方向は第１の方向とは反対の回転方向である、請求項２１に記載のリストアセンブリ。
【請求項２５】
前記第２のケーブル配索突起部は、第２のケーブル配索突起部が存在しない場合に第２の方向における顎部の軸まわりでの第１の顎部の回転中の顎部の軸に沿ったトルクに比べて、第２の方向における顎部の軸まわりでの第１の顎部の回転中の顎部の軸に沿ったトルクを減少させるように構成される、請求項２４に記載のリストアセンブリ。
【請求項２６】
前記第２のケーブル配索突起部は、第２のケーブル配索突起部が存在しない場合に第２の方向における顎部の軸まわりでの第１の顎部の回転中の第２のケーブルの長さの変化に比べて、第２の方向における顎部の軸まわりでの第１の顎部の回転中の第２のケーブルの長さの変化を減少させるように構成される、請求項２４に記載のリストアセンブリ。
【請求項２７】
前記第１の作動ハブは、第１の支点、および該第１の支点まわりに配置された第１のケーブルプーリを含む、請求項１に記載のリストアセンブリ。
【請求項２８】
前記第１の作動ハブは、第２の支点、および該第２の支点まわりに配置された第２のケーブルプーリを含む、請求項２７に記載のリストアセンブリ。
【請求項２９】
前記第２のケーブルは、第１のケーブルプーリと第２のケーブルプーリの周囲を通る、請求項２８に記載のリストアセンブリ。
【請求項３０】
前記第２のケーブルは、約２４０〜３００度の第１のケーブルプーリまわりのラップ角度を有し、かつ、約１１０度未満の第２のケーブルプーリまわりのラップ角度を有している、請求項２９に記載のリストアセンブリ。
【請求項３１】
顎部の軸に近接して配置される複数の第１の回転位置センサーを具備する、請求項１に記載のリストアセンブリ。
【請求項３２】
第１の動作セグメントと第２の動作セグメントは、顎部アセンブリの残部から電気的に単離されるように構成される、請求項１に記載のリストアセンブリ。
【請求項３３】
第１の動作セグメントと第２の動作セグメントは焼灼ツールとして構成される、請求項３２に記載のリストアセンブリ。
【請求項３４】
前記制御システムはさらに、第１のケーブル、第２のケーブル、または第３のケーブルのうち１つに張力を付与するように構成された少なくとも１つのアクチュエーターを含み、該アクチュエーターは、ステッパーモーター、サーボモーター、油圧アクチュエーター、空気圧式アクチュエーター、圧電性モーター、または超音波変換器のうち１つである、請求項１に記載のリストアセンブリ。
【請求項３５】
第１の顎部と第２の顎部は独立して移動可能である、請求項１に記載のリストアセンブリ。
【請求項３６】
前記ハウジングの第１の本体は第１の顎部停止部をさらに具備し、前記ハウジングの第２の本体は第２の顎部停止部をさらに具備し、第１の顎部停止部と第２の顎部停止部は、第１の顎部または第２の顎部のうち１つ以上が顎部の軸まわりの回転の限界を超えて回転するのを防ぐように構成される、請求項１に記載のリストアセンブリ。
【発明の詳細な説明】
【技術分野】
【０００１】
関連出願への相互参照
本出願は、米国特許法第１１９条（ｅ）の定めにより、２０１７年１１月１３日出願の米国仮特許出願第６２／５８５２７７号、表題「Ｖｉｒｔｕａｌ Ｒｅａｌｉｔｙ Ｗｒｉｓｔ Ａｓｓｅｍｂｌｙ」の利益を主張するものであり、前記出願は、その全体を引用することによって本明細書に組み込まれるものとする。
【背景技術】
【０００２】
発明の分野
本出願は概して、低侵襲手術、低侵襲手術用ツールとエンドエフェクター、およびバーチャルリアリティーを用いた低侵襲手術システムに関連する。
【０００３】
関連技術の詳細
低侵襲手術の分野は、１９００年代初期以降、大きな進歩と成長を経験し、これにより患者に対する結果の改善がもたらされた。低侵襲手術分野における大きな進歩の１つは、手術用ロボットデバイスの実装であった。低侵襲手術分野における手術用ロボットデバイスの実装と利用は、前記デバイスを用いて実行可能な手術の数と種類を増加させた。加えて、手術用ロボットデバイスは近年、バーチャルリアリティーを用いた手術において実施かつ利用されている。
【０００４】
バーチャルリアリティーを用いた手術において、外科医は、手術部位において患者の身体の内部に配置されているという意識を持つ。バーチャルリアリティーゴーグルにより設けられる三次元視覚化と合わせて、外科医は、あたかも自分の腕や手がロボットアームの形態を呈しているかのように、操作を確認し、患者の身体に挿入されたロボットアームと相互に作用する。バーチャルリアリティーを用いた手術により、外科医は、自然で没入型のバーチャル・リアリティー・ユーザー・インターフェースに没頭できる。
【０００５】
多くの場合、低侵襲手術やバーチャルリアリティーを用いた手術中、ロボット制御された機器を利用して、処置中に様々なタスクや機能が実行される。前記機器の構成は、鉗子、捕捉機器、焼灼ツール、切断ツールなどのツールを備えたエンドエフェクターアセンブリを具備しており、前記ツールは、細長いシャフトまたはチューブの遠位端に位置するリストアセンブリに付けられている。典型的に、外科手術中、エンドエフェクターアセンブリ、リストアセンブリ、および細長いシャフトの一部は、自然孔（ｎａｔｕｒａｌ ｏｆｆｉｃｅ）、または患者の身体に作られる小さな切開部を介して患者の身体に挿入され、その結果、エンドエフェクターアセンブリは所望の手術場所に位置する。リストアセンブリを使用して、手術場所内にて、処置中にツールを位置決めして作動させ、所望の手術タスクの実行を可能にすることができる。
【０００６】
典型的に、ケーブルやワイヤーなどは、細長いシャフトから伸びて、リストアセンブリを駆動アセンブリに接続でき、前記駆動アセンブリは、機器のエンドエフェクターアセンブリとリストアセンブリを作動および／または操作するべく前記ケーブルに作動力を付与するために使用される。駆動アセンブリは、ロボット手術アームへの取り付け、または外科医により制御される別の手術用ロボットシステムへの接続が可能であり、前記アームまたはシステムに、外科医が機器を制御かつ操作できるようなユーザーインターフェースシステムを具備している。一般的に、機器のリストアセンブリは、エンドエフェクターの動きにある種の自由度を設け、様々な術タスクや処置を実行可能とするように構成される。リストアセンブリは概して、ヨー、ピッチ、ロール、および／またはエンドエフェクターの把持／グリップを含む、様々な自由度をエンドエフェクターに実装できる。
【０００７】
典型的に、機器のリストアセンブリまたは機構は、エンドエフェクターに様々な自由度を実装するために様々な構成要素や部品を具備している。一般的に、リストアセンブリまたは機構は、キャプスタンやプーリなどを具備しており、ケーブルが前記キャプスタンやプーリに接続されると、キャプスタンやプーリに繋げられたリストアセンブリの一部が回転する。通常、その最も単純な形態において、１つのプーリまたはキャプスタンは、リストアセンブリの各自由度ごとに利用され、２本のケーブルまたはワイヤーを使用して、自由度に対して各方向にキャプスタンまたはプーリが回転し、その結果、１本のケーブルを引っ張り放つことで一方向に回転が生じ、対向ケーブルを引っ張り放つことで対向方向に回転が生じる。これらの構成により、リストアセンブリが３つの自由度を持つには、合計６本のケーブルが必要となる。代替的に、他のリストアセンブリは、各自由度ごとに複数のプーリとケーブルを利用するので、制限された動作範囲を持つ複雑で扱いにくいアセンブリとなる。
【０００８】
３つの自由度に必要なケーブルの量は、前記リストアセンブリの移動を制限するとともに、リストアセンブリの効率に影響を及ぼす場合がある。１つの自由度ごとに複数本のケーブルの使用により、手術用ロボットシステムのリストアセンブリに特有の複雑さがもたらされる。典型的に、手術ロボットシステムは、患者の身体に挿入されるロボットアームを具備しており、ケーブルやワイヤーなどの作動構成要素は、患者の身体の外側から駆動アセンブリへと配索されている。
【０００９】
一般的に、ロボットアームは複数の自由度を備えているが、自由度の数はアームのサイズにより制限されてしまうとともに、患者内部の作業スペースの境界により移動が制限されてしまう。手術用ロボットシステムのロボットアームのサイズの制約は、駆動アセンブリからアームを通ってリストアセンブリに配索可能なケーブルの数に影響を及ぼし、ゆえに、システムにより達成可能な自由度の数が制限されてしまう。
【００１０】
ロボットアームを備えた手術用ロボットシステムが直面する制約と制限は、密に凝縮された作業スペースでの簡素な移動を可能にするべく複数の自由度を持つリストアセンブリを備えることの重要性を示している。このことは特に、ヒトの腕の自由度を再現するよう設計されたインビボの手術用ロボットを利用する、バーチャルリアリティー手術に当てはまるものである。
【００１１】
結果として、窮屈な作業スペースでの簡素な移動を有効にするべく最小量のケーブルにより作動可能な自由度を持ちつつ、所望のタスクと機能を実行し、かつ、外科医の腕と手の動作に基づいて外科医がリストアセンブリを作動かつ制御するのを可能にするような直観的動作を行えるのに十分な力が設けられている、リストアセンブリが望まれている。
【００１２】
ヒトのようなロボットシステムでは、優れたシステムは、自然で直観的なヒューマン・マシン・インターフェース（ＨＭＩ）の維持に起因する。そのため、ヒトのようなロボットの機能を維持できる一方で、制限された作業スペースでの所望の手術タスクや機能を依然として実行できるリストアセンブリを備えることが、バーチャルリアリティーを用いた手術を行う外科医にとって有益である。
【発明の概要】
【００１３】
本発明は、低侵襲手術（ＭＩＳ）のための手術装置システムおよび方法に関連する。
【００１４】
本発明は、顎部アセンブリを備えたリストアセンブリを具備する。顎部アセンブリは、第１の動作セグメント、第１の作動ハブ、および第１の作動ハブに動作可能につながれたケーブル再配向ハブを備えた第１の顎部を具備し、第１の作動ハブはケーブル通路を具備し、かつ外周を規定し、ケーブル再配向ハブは、第１の作動ハブの外周に隣接する再配向ハブケーブル管路を具備する。顎部アセンブリはさらに、第２の動作セグメントおよび第２の作動ハブを備えた第２の顎部を具備し、第２の作動ハブは、第２の作動ハブの外周に沿って配置された第１のケーブル管路を具備する。顎部アセンブリはさらに、第１および第２の顎部のためのハウジングを具備し、該ハウジングは、第１の本体および第２の本体を含み、かつ第１の顎部と第２の顎部が顎部の軸まわりを回転できるように構成され、第１の顎部と第２の顎部は移動可能に対向している。顎部アセンブリはさらに、第１のケーブル管路の少なくとも一部に配置されるとともに第２の顎部につながれた第１のケーブル、前記ケーブル通路に配置されるとともに第２の顎部につながれた第２のケーブル、再配向ハブケーブル管路の少なくとも一部に配置されるとともに第１の顎部につながれた第３のケーブル、顎部の軸に近接して配置されるとともに顎部の軸まわりでの第１または第２の顎部の回転を検出するように構成された少なくとも１つの第１の回転位置センサー、および顎部の軸まわりで第１または第２の顎部のうち１つ以上を回転させるように構成された制御システムを具備する。
【００１５】
本発明は、第２のケーブルに付与された第２の張力を超える第１の張力を第１のケーブルに付与することで、第２の顎部を顎部の軸まわりで第１の顎部の方へと回転させる、顎部の軸に沿う第１のトルクが生成されるように構成される。本発明はさらに、第１のケーブルに付与された第１の張力を超える第２の張力を第２のケーブルに付与することで、第２の顎部を顎部の軸まわりで第１の顎部から離れて回転させる、顎部の軸に沿う第２のトルクが生成されるように構成される。本発明はさらに、第２のケーブルに付与された第２の張力を超える第３の張力を第３のケーブルに付与することで、第１の顎部を顎部の軸まわりで第２の顎部の方へと回転させる、顎部の軸に沿う第３のトルクが生成されるように構成される。本発明はさらに、第３のケーブルに付与された第３の張力を超える第２の張力を第２のケーブルに付与することで、第１の顎部を顎部の軸まわりで第２の顎部から離れて回転させる、顎部の軸に沿う第４のトルクが生成されるように構成される。
【００１６】
本発明の一実施形態において、リストアセンブリはさらにヒンジ回転アセンブリを含み、該ヒンジ回転アセンブリは、ピッチ軸まわりで顎部アセンブリの回転を生じさせ、かつロール軸まわりでヒンジ回転アセンブリの回転を生じさせるように構成される。ヒンジ回転アセンブリは、空洞を規定する雌回転体、ヒンジ回転体、ヒンジカバー、および、ヒンジ回転体とヒンジカバーとの間に配置された少なくとも１つの従動プーリを具備し得る。ヒンジ回転体は、ケーブル管路を備えた近位端を具備し、該ケーブル管路は、第１のケーブル、第２のケーブル、または第３のケーブルの１つ以上を収容し、ヒンジ回転体の少なくとも一部は雌回転体の空洞内に配置される。従動プーリは、従動プーリの外周に沿って配置された従動管路を備え、かつ、ピッチ軸まわりに配置され得る。第２のケーブルは、従動管路の少なくとも一部に配置され得る。
【００１７】
本発明の実施形態の一態様は、リストアセンブリのヒンジ回転アセンブリがさらに、ヒンジ回転体の近位端に動作可能につながれた回転プーリ体を具備し、前記ヒンジ回転体は、雌回転体に対して回転プーリ体と共に回転することでロール軸まわりでの回転運動を生じさせるという、態様である。
【００１８】
本発明の実施形態の別の態様は、リストアセンブリがさらに複数のベアリングを具備し、複数のベアリングが、ヒンジ回転体と顎部アセンブリの第１の本体との間；ヒンジ回転体と雄ベアリングレースとの間；少なくとも１つの従動プーリと顎部アセンブリの第１の本体との間；ヒンジカバーと顎部アセンブリの第２の本体との間；またはヒンジカバーと雄ベアリングレースとの間の、１つ以上に位置している、態様である。
【００１９】
本発明の実施形態の別の態様は、ヒンジ回転アセンブリがさらに分離面を具備し、該分離面は、第１のケーブル、第２のケーブル、または第３のケーブルの１つ以上が、分離面の少なくとも一部を乗り通ることで第１のケーブル、第２のケーブル、または第３のケーブルの１つ以上における長さの変化を減らす一方で、分離面がない状態で第１のケーブル、第２のケーブル、または第３のケーブルの１つ以上における長さの変化に対してピッチ軸の中心まわりを枢動するのを可能にするように構成される、態様である。分離面はさらに、ヒンジカバーまたはヒンジ回転体のうち少なくとも１つの上に位置し得る。リストアセンブリは、ピッチ軸に近接して配置され、かつピッチ軸まわりの顎部アセンブリの回転を検出するように構成された、少なくとも１つの第２の回転位置センサーをさらに具備し得る。リストアセンブリは、ピッチ軸に位置する複数の第２の回転位置センサーをさらに具備し得る。リストアセンブリは、少なくとも１つの第１の回転位置センサーまたは少なくとも１つの第２の回転位置センサーによってキャプチャされた情報を送信するように構成された、少なくとも１つの電気通信コンポーネントをさらに具備し得る。少なくとも１つの電気通信コンポーネントはフレキシブルプリント回路基板（ＦＰＣＢ）を具備する。少なくとも１つの電気通信コンポーネントはプリント回路基板（ＰＣＢ）を具備する。リストアセンブリの第１のハウジング本体はさらに、顎部アセンブリがピッチ軸まわりの回転の限界を超えて回転するのを防ぐように構成されたヒンジ停止部を具備し得る。
【００２０】
本発明の実施形態の別の態様において、リストアセンブリはさらに、顎部アセンブリの第１の本体および第２の本体のうち１つにつながれた第４のケーブルを具備し得る。リストアセンブリは、対向ケーブルに付与された対向張力を超える第４の張力を第４のケーブルに付与することで、顎部アセンブリを顎部の軸まわりで第１のピッチ方向に回転させる、ピッチ軸に沿う第５のトルクが生成されるように構成され得る。リストアセンブリはさらに、第４のケーブルに付与された第４の張力を超える対向張力を対向ケーブルに付与することで、顎部アセンブリをピッチ軸まわりで第２のピッチ方向に回転させる、ピッチ軸に沿う対向トルクが生成されるように構成され、第２のピッチ方向は、第１のピッチ方向の反対方向でのピッチ軸まわりの回転である。対向ケーブルと対向張力は、第１のケーブルと第１のケーブル張力；第２のケーブルと第２のケーブル張力；または第３のケーブルと第３のケーブル張力の１つ以上であり得る。対向ケーブルは、第１のケーブル、第２のケーブル、または第３のケーブルのうち１つだけであり得る。対向ケーブルは第１のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させる場合がある。対向ケーブルは第２のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させる場合がある。対向ケーブルは第３のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させる場合がある。
【００２１】
本発明の実施形態の別の実施形態において、前記制御システムはさらに、少なくとも１つの第１の回転位置センサーまたは少なくとも１つの第の回転位置センサーのうち１つ以上からデータを受け取り、かつ、第１の張力、第２の張力、第３の張力、第４の張力、または対向張力がピッチ軸または顎部の軸のうち１つ以上のまわりで顎部アセンブリを回転させると判定するように構成され得る。前記制御システムはさらに、第１のケーブル、第２のケーブル、第３のケーブル、または第４のケーブルのうち１つに張力を付与するように構成された少なくとも１つのアクチュエーターを具備し、該アクチュエーターは、ステッパーモーター、サーボモーター、油圧アクチュエーター、空気圧式アクチュエーター、圧電性モーター、または超音波変換器のうち１つであり得る。
【００２２】
本発明の別の実施形態において、ケーブル再配向ハブと第１の作動ハブは一体式構造であり得る。
【００２３】
本発明の別の実施形態において、ケーブル再配向ハブは再配向ピンを具備し、第２のケーブルは、ケーブル通路内の再配向ピンの少なくとも一部の周囲を通り得る。
【００２４】
本発明の別の実施形態において、前記第１の作動ハブはさらに第１のケーブル配索突起部を具備し、該第１のケーブル配索突起部は、第２のケーブルが第１の方向への顎部の軸まわりの第１の顎部の回転中に乗り通るための表面を設けるように構成され得る。
【００２５】
本発明の別の実施形態において、前記第１のケーブル配索突起部は、第１のケーブル配索突起部が存在しない場合に第１の方向への顎部の軸まわりの第１の顎部の回転中の顎部の軸に沿ったトルクに比べて、第１の方向への顎部の軸まわりの第１の顎部の回転中の顎部の軸に沿ったトルクを減少させるように構成され得る。
【００２６】
本発明の別の実施形態において、前記第１のケーブル配索突起部は、第１のケーブル配索突起部が存在しない場合に第１の方向への顎部の軸まわりの第１の顎部の回転中の第２のケーブルの長さの変化に比べて、第１の方向への顎部の軸まわりの第１の顎部の回転中の第２のケーブルの長さの変化を減少させるように構成され得る。
【００２７】
本発明の別の実施形態において、前記第１の作動ハブはさらに第２のケーブル配索突起部を具備し、該第２のケーブル配索突起部は、第２のケーブルが第２の方向への顎部の軸まわりの第１の顎部の回転中に乗り通るための表面を設けるように構成され得、第２の方向は第１の方向とは反対の回転方向である。前記第２のケーブル配索突起部はさらに、第２のケーブル配索突起部が存在しない場合に第２の方向への顎部の軸まわりの第１の顎部の回転中の顎部の軸に沿ったトルクに比べて、第２の方向への顎部の軸まわりの第１の顎部の回転中の顎部の軸に沿ったトルクを減少させるように構成され得る。前記第２のケーブル配索突起部はさらに、第２のケーブル配索突起部が存在しない場合に第２の方向への顎部の軸まわりの第１の顎部の回転中の第２のケーブルの長さの変化に比べて、第２の方向への顎部の軸まわりの第１の顎部の回転中の第２のケーブルの長さの変化を減少させるようにも構成され得る。
【００２８】
本発明の別の実施形態において、第１の作動ハブはさらに、第１の支点、および第１の支点まわりに配置された第１のケーブルプーリを具備し得る。
【００２９】
本発明の実施形態の一態様において、第１の作動ハブはさらに、第２の支点、および第２の支点まわりに配置された第２のケーブルプーリを具備し得る。第２のケーブルは、第１のケーブルプーリおよび第２のケーブルプーリを回転し得る。前記第２のケーブルは、約２４０〜３００度の第１のケーブルプーリまわりのラップ角度を有し、かつ、約１１０度未満の第２のケーブルプーリまわりのラップ角度を有し得る。
【００３０】
本発明の別の実施形態において、リストアセンブリはさらに、顎部の軸に近接して配置された複数の第１の回転位置センサーを具備し得る。
【００３１】
本発明の別の実施形態において、第１の動作セグメントと第２の動作セグメントは、顎部アセンブリの残部から電気的に単離されるように構成され得る。
【００３２】
本発明の別の実施形態において、第１の動作セグメントと第２の動作セグメントは焼灼ツールとして構成され得る。
【００３３】
本発明の別の実施形態において、制御システムはさらに、第１のケーブル、第２のケーブル、または第３のケーブルのうち１つに張力を付与するように構成された少なくとも１つのアクチュエーターを具備し得る。アクチュエーターは、ステッパーモーター、サーボモーター、油圧アクチュエーター、空気圧式アクチュエーター、圧電性モーター、または超音波変換器のうち１つであり得る。
【００３４】
本発明の別の実施形態において、第１の顎部と第２の顎部は、独立して移動可能であり得る。
【００３５】
本発明の別の実施形態において、ハウジングの第１の本体はさらに第１の顎部停止部を具備し、ハウジングの第２の本体はさらに第２の顎部停止部を具備し得る。第１の顎部停止部と第２の顎部停止部は、第１の顎部または第２の顎部のうち１つ以上が顎部の軸まわりの回転の限界を超えて回転するのを防ぐように構成され得る。
【図面の簡単な説明】
【００３６】
番号を付けた項目は全図面にわたり一貫していることに留意されたい。同じ番号が付けられた項目は、同じ項目、または該項目の同一コピーのいずれかである。異なる番号が付けられた項目は、異なる設計部分、または時折、異なる目的を果たす同一部分のいずれかである。
【図１Ａ】一実施形態に係るリストアセンブリの等角図である。
【図１Ｂ】一実施形態に係るリストアセンブリの付加的な等角図である。
【図１Ｃ】一実施形態に係るリストアセンブリの分解等角図である。
【図１Ｄ】一実施形態に係るリストアセンブリの付加的な分解等角図である。
【図１Ｅ】一実施形態に係るリストアセンブリの分解側面図である。
【図１Ｆ】一実施形態に係るリストアセンブリの分解平面図である。
【図２Ａ】一実施形態に係る顎部アセンブリの等角図である。
【図２Ｂ】一実施形態に係る顎部アセンブリの分解等角図である。
【図２Ｃ】一実施形態に係る顎部アセンブリの付加的な等角図である。
【図２Ｄ】一実施形態に係る顎部アセンブリの付加的な分解等角図である。
【図３Ａ】一実施形態に係る第２の顎部アセンブリの等角図である。
【図３Ｂ】一実施形態に係る第２の顎部アセンブリの側面等角図である。
【図３Ｃ】一実施形態に係る第２のアセンブリの付加的な等角図である。
【図３Ｄ】一実施形態に係る第２のアセンブリの付加的な側面等角図である。
【図４Ａ】一実施形態に係る第１の顎部アセンブリの側面等角図である。
【図４Ｂ】一実施形態に係る第１のアセンブリの付加的な等角図である。
【図４Ｃ】一実施形態に係る第１のアセンブリの付加的な等角図である。
【図４Ｄ】一実施形態に係る第１のアセンブリの付加的な等角図である。
【図５Ａ】一実施形態に係るケーブル再配向ハブの側面等角図である。
【図５Ｂ】一実施形態に係るケーブル再配向ハブの付加的な側面等角図である。
【図５Ｃ】一実施形態に係るケーブル再配向ハブの正面等角図である。
【図６Ａ】一実施形態に係るヒンジ湾曲体の背面斜視図である。
【図６Ｂ】一実施形態に係るヒンジ湾曲体の正面斜視図である。
【図６Ｃ】一実施形態に係るヒンジ湾曲体の側面斜視図である。
【図６Ｄ】一実施形態に係るヒンジ湾曲体の付加的な側面斜視図である。
【図７Ａ】一実施形態に係るヒンジ非湾曲体の等角図である。
【図７Ｂ】一実施形態に係るヒンジ非湾曲体の側面斜視図である。
【図７Ｃ】一実施形態に係るヒンジ非湾曲体の側面等角図である。
【図７Ｄ】一実施形態に係るヒンジ非湾曲体の側面斜視図である。
【図８Ａ】一実施形態に係るヒンジ回転アセンブリの平面等角図である。
【図８Ｂ】一実施形態に係るヒンジ回転アセンブリの分解平面図である。
【図９Ａ】一実施形態に係る雄回転ヒンジ体の等角図である。
【図９Ｂ】一実施形態に係る雄回転ヒンジ体の付加的な等角図である。
【図１０Ａ】一実施形態に係る雌ヒンジ体の側面図である。
【図１０Ｂ】一実施形態に係る雌ヒンジ体部の等角図である。
【図１１Ａ】一実施形態に係る下部湾曲カバー部の等角図である。
【図１１Ｂ】一実施形態に係る下部湾曲カバーの付加的な等角図である。
【図１２Ａ】一実施形態に係る下部湾曲カバーと嵌合する前の上部湾曲カバーの等角図である。
【図１２Ｂ】一実施形態に係る下部湾曲カバーと嵌合する前の上部湾曲カバーの付加的な等角図である。
【図１３Ａ】一実施形態に係る回転プーリ体の等角図である。
【図１３Ｂ】一実施形態に係る回転プーリ体の正面斜視図である。
【図１３Ｃ】一実施形態に係る回転プーリ体の付加的な等角図である。
【図１３Ｄ】一実施形態に係る回転プーリ体の付加的な等角図である。
【図１４Ａ】一実施形態に係る雌回転体の等角図である。
【図１４Ｂ】一実施形態に係る雌回転体の背面等角図である。
【図１４Ｃ】一実施形態に係る雌回転体の正面対角方向の等角図である。
【図１４Ｄ】一実施形態に係る雌回転体の側面図である。
【図１５Ａ】一実施形態に係る雄ベアリングレースの平面等角図である。
【図１５Ｂ】一実施形態に係る雄ベアリングレースの底面等角図である。
【図１６Ａ】一実施形態に係る従動プーリの斜視図である。
【図１６Ｂ】一実施形態に係る従動プーリの等角図である。
【図１７Ａ】一実施形態に係るヒンジ湾曲体およびヒンジ非湾曲体を嵌合させることで形成される枢軸を例示する斜視図である。
【図１７Ｂ】一実施形態に係る図１Ａ−１Ｅのリストアセンブリの枢軸を例示するヒンジ非湾曲体の側面図である。
【図１７Ｃ】一実施形態に係る図１Ａ−１Ｅのリストアセンブリの枢軸を例示する、ヒンジ湾曲体とヒンジ非湾曲体との結合の平面図である。
【図１８】一実施形態に係るリストアセンブリの枢軸の斜視図を示す。
【図１９Ａ】一実施形態に係る前記アセンブリのケーブル配線を例示するリストアセンブリの平面図である。
【図１９Ｂ】一実施形態に係る前記アセンブリのケーブル配線を例示するリストアセンブリの断面図である。
【図１９Ｃ】一実施形態に係る前記アセンブリのケーブル配線を例示するリストアセンブリの平面図である。
【図１９Ｄ】一実施形態に係る前記アセンブリのケーブル配線を例示するリストアセンブリの断面図である。
【図２０Ａ】一実施形態に係るケーブルの配線を例示する、ケーブルを取り付けた第１の顎部と第２の顎部を示す。
【図２０Ｂ】一実施形態に係るケーブルの配線を例示する、ケーブルを取り付けた第１の顎部と第２の顎部を示す付加的な図である。
【図２１Ａ】一実施形態に係る前記顎部へのケーブルの配線を例示する第１の顎部を示す。
【図２１Ｂ】一実施形態に係る前記顎部へのケーブルの配線を例示する第２の顎部を示す。
【図２１Ｃ】一実施形態に係る前記顎部へのケーブルの配線を例示する第１の顎部を示す。
【図２２Ａ】第１の顎部の代替的な実施形態の斜視図を示す。
【図２２Ｂ】第１の顎部の代替的な実施形態の斜視図を示す。
【図２３Ａ】一実施形態に係る前記顎部のケーブルプーリを例示する第１の顎部の斜視図を示す。
【図２３Ｂ】一実施形態に係る前記顎部のケーブルプーリを例示する第１の顎部の付加的な斜視図を示す。
【図２４】一実施形態に係る第１の顎部のケーブルプーリへと配索されたケーブルの斜視図を示す。
【図２５Ａ】一実施形態に係る再配向ケーブルハブの斜視図である。
【図２５Ｂ】一実施形態に係る再配向ケーブルハブの付加的な斜視図である。
【図２６Ａ】一実施形態に係るリストアセンブリの等角図を示す。
【図２６Ｂ】一実施形態に係るリストアセンブリの付加的な等角図を示す。
【図２６Ｃ】一実施形態に係るリストアセンブリの分解平面図を示す。
【図２７Ａ】一実施形態に係るヒンジ回転アセンブリの等角図を示す。
【図２７Ｂ】一実施形態に係るヒンジ回転アセンブリの付加的な等角図を示す。
【図２８Ａ】一実施形態に係るヒンジ回転体の正面等角図を示す。
【図２８Ｂ】一実施形態に係るヒンジ回転体の背面図を示す。
【図２９Ａ】一実施形態に係るヒンジカバーの背面図を示す。
【図２９Ｂ】一実施形態に係るヒンジカバーの正面等角図を示す。
【図２９Ｃ】一実施形態に係るヒンジカバーの正面図を示す。
【図３０Ａ】一実施形態に係る顎部アセンブリの等角図を示す。
【図３０Ｂ】一実施形態に係る顎部アセンブリの分解平面図を示す。
【図３１Ａ】一実施形態に係る第１の顎部の側面図を示す。
【図３１Ｂ】一実施形態に係る第１の顎部の付加的な側面図を示す。
【図３１Ｃ】一実施形態に係る第１の顎部の等角図を示す。
【図３１Ｄ】一実施形態に係る第１の顎部の平面図を示す。
【図３２Ａ】一実施形態に係るヒンジ湾曲体の等角図を示す。
【図３２Ｂ】一実施形態に係るヒンジ湾曲体の正面図を示す。
【図３３Ａ】一実施形態に係るヒンジ非湾曲体の等角図を示す。
【図３３Ｂ】一実施形態に係るヒンジ非湾曲体の付加的な等角図を示す。
【図３４Ａ】一実施形態に係る第１と第２の顎部へのケーブル配線を例示する側面断面図を示す。
【図３４Ｂ】一実施形態に係るケーブル配線の平面断面図を示す。
【図３４Ｃ】一実施形態に係る第１と第２の顎部へのケーブル配線の等角図を示す。
【図３４Ｄ】一実施形態に係る第１と第２の顎部へのケーブル配線の等角図を示す。
【発明を実施するための形態】
【００３７】
本システムは、外科医による腹腔内での使用のために設計されているが、多くの代替的なデバイスの使用も可能である。例えば、ユーザーは、医師の補助員、看護師、外科医の助手、または他のあらゆる手術人員であり得る。加えて、当該デバイスは、患者の体の任意の部分の中に配置可能であり、さらなる実施形態として、患者の身体のさらに小さな領域内での使用を可能にするほど十分に小さくなるように設計可能である。小さいデバイスも大きいデバイスも、副鼻腔、結腸、胃といった領域や、腹部、頭蓋、および頸部を含むがこれらに限定されない人体中の他のあらゆる領域での使用のために、製造可能である。ＭＥＭＳまたは他の手段を用いる微細加工により、ヒト血管などの限りなく小さな領域内に位置決め可能なデバイスも可能となり得る。
【００３８】
いくつかの実施形態において、デバイスは、外科用または医療用以外の目的、例えば、爆弾の散布、軍事査察、検査サービス、または、制限された作業スペースでの簡素な動作を要する他の目的などに使用され得る。加えて、いくつかの実施形態は、人員の訓練などの教育目的のために使用され得る。前記デバイスのいくつかの実施形態は、ヒトと同じくらいの大きさ、またはそれよりも大きなサイズとなるよう製造可能であり、これによりヒトは、ヒトにより達成または観察できない窮屈な作業スペースでの簡潔な動作を実行できる。明らかとなるように、このような実施形態において、ユーザーは必ずしも外科医でなくてもよい。
【００３９】
概要
特定の実施形態において、本明細書に開示される手術装置システムは、国際特許出願ＰＣＴ／ＵＳ２０１５／０２９２４７に開示される「Ｖｉｒｔｕａｌ Ｒｅａｌｉｔｙ Ｓｕｒｇｉｃａｌ Ｄｅｖｉｃｅ」（国際特許公開ＷＯ２０１５１７１６１４Ａ１として公開）と共に組み込まれ、かつ利用されるように設計され、前記国際特許出願は、その全体を引用することで本明細書に組み込まれる。上述の文にもかかわらず、いくつかの実施形態において、本明細書に開示される手術装置は、他の既存かつ将来のロボット手術システムおよび／またはデバイスにより実装かつ利用可能である。
【００４０】
本装置の目的は、自然で直観的なＨＭＩを維持するようにヒトの手首の回転を模倣するとともに、バーチャルリアリティーを用いた手術デバイスの利用中に外科医がバーチャルリアリティーに没頭できる、インビボのロボットアームを備えたリストアセンブリを外科医に提供することである。本明細書に開示される装置は、４つの（４）自由度（ＤＯＦ）を持つリストアセンブリを外科医に提供するとともに、ヨー、ピッチ、およびロールのアクチュエーターを介してヒトの腕の手首回転を模倣可能であり、自然で直観的なＨＭＩを維持する間に外科医がバーチャルリアリティーに没頭できる装置を、外科医に提供する。
【００４１】
開示された装置は、インビボのロボットデバイスが外科医の腕や手であるかのように外科医が前記デバイスと相互作用できることから、外科医に多数の利点をもたらす。これにより外科医は、狭い場所で非常に難しく繊細な処置を実行できるとともに、処置を行う際に自身が慣れている自然な動きの維持を可能にする。開示された装置により外科医は、自身が慣れている様式や形態での操作を実行し、他のロボットデバイスを用いてアクセスできない身体の領域にアクセスできるようになる。さらに、開示された装置により、外科医が自然で直観的なＨＭＩを維持しつつバーチャルリアリティーに没頭できることから、処置中に手術の効率が増す。このおかげで手術時間が減り、患者の回復時期をさらに早められる。同様に、効率が増したことにより、外科医は処置の実行に専念でき、ゆえに外科医のワークフローが増大し、外科医の生産性が改善される。
【００４２】
特に明記されない限り、用語「遠位」は、本明細書で使用されるように、基準点から比較的遠いことを意味し、一方で「近い」は、基準点まで比較的近いことを意味する。一般的に、基準点は、記載されているオブジェクトのオペレーターである。
【００４３】
図１Ａ−１Ｆは、リストアセンブリ（１００）の一実施形態の複数の図を示す。特に、図１Ｅと図１Ｆは、リストアセンブリ（１００）の一実施形態の分解立体図を示す。図１Ｅと図１Ｆに示される例示的実施形態に描かれるように、リストアセンブリ（１００）は、２つのサブアセンブリ、顎部アセンブリ（１０１）、およびヒンジ回転アクチュエーターアセンブリ（１０２）で構成される。前記サブアセンブリの両方が、以下に詳述されるように、互いに協働する両方サブアセンブリがユーザーに４つの自由度を設けるように構成されるため、リストアセンブリ（１００）全体に必須とされる。
【００４４】
図２Ａ−２Ｄは、顎部アセンブリ（１０１）の一実施形態の複数の図を示す。顎部アセンブリ（１０１）は、重要な機能を実行することからリストアセンブリ（１００）全体に必須の部品である。顎部アセンブリ（１０１）は、バーチャルリアリティーを用いた手術装置のためのエンドエフェクターとして機能し、かつ、手術環境と相互に作用して操作作業スペース内で外科手術を実行するように構成される。加えて、顎部アセンブリ（１０１）は、外科医に２つのＤＯＦを提供するように構成されるとともに、外科医にさらに２つのＤＯＦを提供するべくヒンジ回転アクチュエーターアセンブリ（１０２）に嵌合かつ結合するようにも構成される。
【００４５】
図２Ｂは、顎部アセンブリ（１０１）の例示的実施形態の平面分解等角図を示し、図２Ｄは、顎部アセンブリ（１０１）の例示的な実施形態の底面分解等角図を示す。図２Ｂと図２Ｄに見られるように、一実施形態において、顎部アセンブリ（１０１）は、第１の顎部（１０３）と第２の顎部（１０４）、ケーブル再配向ハブ（１０６）、複数のボールベアリングセット（１０９）、および２つの本体としてヒンジ湾曲体（１０７）とヒンジ非湾曲体（１０８）を具備している。
【００４６】
上述のように、顎部アセンブリ（１０１）は、リストアセンブリ（１００）に２つのＤＯＦを提供するように構成される。顎部アセンブリ（１０１）は、以下に詳述されるように、第１の顎部（１０３）と第２の顎部（１０４）とを互いに独立して動かすことにより、２つのＤＯＦを提供する。図３Ａ−３Ｄは、第２の顎部（１０４）の例示的実施形態の複数の図を示す。図３Ａ−３Ｄに示されるように、一実施形態において、第２の顎部（１０４）は、動作セグメント（１７９）を備えた遠位端、および作動ハブ（１８０）を備えた近位端を有するように製造される。いくつかの実施形態において、動作セグメント（１７９）および作動ハブ（１８０）は、１つの固形片として製造され、一方で他の実施形態において、動作セグメント（１７９）および作動ハブ（１８０）は、溶接接続、接着接続、および／または当該技術分野で既知の他のあらゆる接続方法または技術を介して互いに付けられている。
【００４７】
第２の顎部（１０４）の動作セグメント（１７９）により、外科医は組織を把持して手で扱いながら、手術道具を把持できる。異なる実施形態において、動作セグメント（１７９）は無数の構成を呈することができ、これにより外科医は様々な処置やタスクを実行できる。いくつかの実施形態において、第２の顎部（１０４）の動作セグメント（１７９）は、組織や器官を保持して手で扱うために外科医に把持表面を提供するように、前記セグメントの片側に剛性歯部を具備している。他の実施形態において、動作セグメント（１７９）は、前記セグメントの片側にテクスチャード加工面、平滑面、きざみ付き面、および／または保護コーティングを具備するように構成される。さらに、いくつかの実施形態において、第２の顎部（１０４）の動作セグメント（１７９）、およびその下に導入された第１の顎部（１０３）の動作セグメント（１８３）は、同じ構成を具備する一方、他の実施形態において、第２の顎部（１０４）の動作セグメント（１７９）および第１の顎部（１０３）の動作セグメント（１８３）は、異なる構成を具備している。
【００４８】
加えて、いくつかの実施形態において、動作セグメント（１７９）は導電性となるように構成される。これら実施形態において、第１の顎部（１０３）と第２の顎部（１０４）は焼灼ツールとして構成されることで、外科医は焼灼機能を実行できる。これら実施形態において、電気焼灼ワイヤーが、リストアセンブリ（１００）を通って第１および第２の顎部へと配索され、第１および第２の顎部は電気絶縁体を具備しており、これにより、リストアセンブリ（１００）の残部から第１および第２の顎部または動作セグメント（１８３）と（１７９）を電気的に絶縁する。これら実施形態において、第１および第２の顎部の動作セグメント（１８３）と（１７９）は、単極焼灼方法のほか、両極焼灼方法も利用して、電気焼灼機能を実行するように構成される。異なる実施形態において、第１の顎部（１０３）の動作セグメント（１８３）および第２の顎部（１０４）の動作セグメント（１７９）は、様々な手術道具として構成され、限定されないが、鉗子、ベッセルシーラー（ｖｅｓｓｅｌ ｓｅａｌｅｒｓ）、持針器、手術用はさみ、開創器、および／または当該既知の他のあらゆる手術道具が挙げられる。
【００４９】
上述のように、いくつかの実施形態において、第２の顎部（１０４）は作動ハブ（１８０）を具備する。一実施形態において、第２の顎部（１０４）の作動ハブ（１８０）は、ケーブル配索管路（１１１）を具備する。ケーブル配索管路（１１１）は、ケーブル（１８１）（図３Ａ−３Ｄには示さず）が前記管路内に位置するとともに、第２の顎部（１０４）の動作セグメント（１７９）上に位置するケーブル開口部（１１５）にケーブル（１８１）を配索するのを可能とするように、構成される。ケーブル配索管路（１１１）は、前記ケーブル（１８１）が作動中に管路から滑り落ちるのを防ぐべくケーブル（１８１）を抑えるように構成される。ケーブル配索管路（１１１）は、作動ハブ（１８０）の周囲を伸長し、これにより、ケーブル（１８１）が作動中に位置して乗り通るための面が設けられる。
【００５０】
加えて、いくつかの実施形態において、作動ハブ（１８０）の片側にはベアリングレース（１１３）があり、これは、多数のボールベアリングセット（１０９）（図２Ｂ）のうち１つが進入するのを可能にするように構成されている。同様に、いくつかの実施形態において、作動ハブ（１８０）の反対側には他のベアリングレース（１１６ａ）が位置付けられており、これは、複数のボールベアリングセット（１０９）のうち１つが乗り通るのを可能にするように構成されている。他の実施形態において、本技術のある実施形態においてはボールベアリングが必要とされないため、複数の複数のボールベアリングセット（１０９）が除去されることに、留意されたい。ある実施形態は、スリーブ軸受け、ブッシング、軸、および／または当該技術分野で既知の他の転がり軸受を具備している。加えて、いくつかの実施形態において、作動ハブ（１８０）の片側には磁石ハウジング（１１２ａ）が位置付けられており、前記ハウジングは磁石が位置する開口部を具備している。以下に詳述されるように、磁石は、第２の顎部（１０４）の位置データ、いくつかの実施形態においては配向データを得るために利用される。
【００５１】
いくつかの実施形態において、第２の顎部（１０４）の動作セグメント（１７９）は、ケーブル配索開口部（１１４）を具備している。ケーブル配索開口部（１１４）は、ケーブル（１８２）（図３Ａ−３Ｄには示されず）が前記開口部に入り、前記ケーブルをケーブル終端部位（１１０）に配索するのを可能にするように構成され、ケーブル終端部位ではケーブル（１８２）が終端に達する。上述のように、第２の顎部の動作セグメント（１７９）上にはケーブル開口部（１１５）が位置付けられる。ケーブル開口部（１１５）は、ケーブル（１８１）をケーブル終端部位（１０５ａ）に配索するように構成され、ケーブル終端部位では前記ケーブルが終端に達する。
【００５２】
一実施形態において、ケーブル（１８２）とケーブル（１８１）は、止めねじを介して各終端部位にて各ケーブルを留めることにより、終端に達する。代替的に、ケーブル（１８２）とケーブル（１８１）は、当該技術分野で既知のあらゆる適切な手段または技術を用いて終端に達する場合がある。例えば、ポリマーファイバーケーブルは、ケーブルに設けられた結び目により終端に達するが、金属繊維ケーブルは、クリンプ接続および／またはくい込み式接続により終端に達し得る。
【００５３】
図４Ａ−４Ｄは、第１の顎部（１０３）の例示的実施形態の複数の図を示す。図４Ａ−４Ｄに示されるように、一実施形態において、第１の顎部（１０３）は、動作セグメント（１８３）を備えた遠位端、および作動ハブ（１８４）を備えた近位端を有するように製造される。第２の顎部（１０４）と同様に、いくつかの実施形態において、第１の顎部の動作セグメント（１８３）および作動ハブ（１８４）は、１つの固形片として製造され、一方で他の実施形態において、動作セグメント（１８３）および作動ハブ（１８４）は、溶接接続、接着接続、および／または当該技術分野で既知のあらゆる接続方法または技術を介して互いに付けられている。
【００５４】
加えて、いくつかの実施形態において、第１の顎部（１０３）の動作セグメント（１８３）は、ケーブル配索開口部（１１５）を具備している（図４Ｄ）。第１の顎部（１０３）のケーブル配索開口部（１１５）は、第１の顎部（１０３）の動作セグメント（１８３）上に位置するケーブル終端部位（１０５ｂ）にケーブル（１８５）を配索するように構成され、ケーブル終端部位では前記ケーブル（１８５）が終端に達する。異なる実施形態において、当該技術分野で既知の方法および／または技術は、ケーブル終端部位（１０５ｂ）内でケーブル（１８５）を終端に導くために利用される。一実施形態において、ケーブル（１８５）は、止めねじを介して終端部位（１０５ｂ）内で前記ケーブル（１８５）を留めることにより終端に達する。異なる実施形態において、当該技術分野で既知の方法および／または技術は、ケーブル終端部位（１０５ｂ）内でケーブル（１８５）を終端に導くために利用される。例えば、ポリマーファイバーケーブルは、ケーブルに設けられた結び目により終端に達するが、金属繊維ケーブルは、クリンプ接続および／またはくい込み式接続により終端に達し得る。
【００５５】
いくつかの実施形態において、第１の顎部（１０３）の作動ハブ（１８４）は環状となるように製造され、２つの側部を具備している。第２の顎部（１０４）の作動ハブ（１８０）と同様に、一実施形態において、第１の顎部（１０３）の作動ハブ（１８４）の片側にはベアリングレース（１１６ｂ）が具備されており、これは、複数のボールベアリングセット（１０９）のうち１つが乗るのを可能にするように構成される。上述のように、いくつかの実施形態において、この技術のある種の実施形態がボールベアリングを必要としないため、ボールベアリングセット（１０９）は排除される。ある実施形態は、スリーブ軸受け、ブッシング、軸、および／または当該技術分野で既知の他の転がり軸受を具備している。いくつかの実施形態において、作動ハブ（１８４）のベアリングレース（１１６ｂ）と同じ側部には磁石ハウジング（１１２ｂ）が位置付けられており、前記ハウジングは、磁石が位置する開口部を具備している。以下に詳述されるように、磁石は、第１の顎部（１０３）の位置データ、いくつかの実施形態においては配向データを得るために利用される。
【００５６】
一実施形態において、作動ハブ（１８４）の片側は、再配向ケーブルハブ（１０６）と嵌合および結合するように構成される（図５Ａ−５Ｃ）。本実施形態において、作動ハブ（１８４）は、複数の再配向ケーブルハブの接続開口部（１１７）を具備しており、再配向ケーブルハブ（１０６）に位置する接続ピン（１２２ａ）と（１２２ｂ）（図５Ａ−５Ｃ）が進入して、第１の顎部（１０３）の作動ハブ（１８４）を再配向ケーブルハブ（１０６）につなげることを可能にするように構成される。
【００５７】
加えて、いくつかの実施形態において、作動ハブ（１８４）はケーブル配索ピン（１１８）を具備し、これは、それぞれの終端部位（１１０）にケーブル（１８２）を配索するように構成される。いくつかの実施形態において、ケーブル配索ピン（１１８）はケーブル配索突起部（１１９ａ）につながれる。ケーブル配索突起部（１１９ａ）は、第１の顎部（１０３）が第１の方向に作動する場合にケーブル（１８２）が乗り通るための表面を設ける。さらに、ケーブル配索突起部（１１９ａ）は、ケーブル（１８２）が前記突起部（１１９ａ）に巻き付き、第１の顎部（１０３）が第１の方向に顎部の軸まわりで作動される場合にケーブル（１８２）の長さの変化の減少を達成するのを可能にするように構成されるとともに、回転中に顎部の軸まわりのトルクを減らすようにも構成される。加えて、いくつかの実施形態において、作動ハブ（１８４）は、別のケーブル配索突起部（１１９ｂ）を具備しており、これは、ケーブル（１８２）が第２の方向での第１の顎部（１０３）の作動中に乗り通るための表面を提供する。ケーブル配索突起部（１１９ａ）と同様に、ケーブル配索突起部（１１９ｂ）は、ケーブル（１８２）が前記突起部（１１９ｂ）に巻き付くのを可能にするように構成され、かつ、第１の顎部（１０３）が第２の方向に顎部の軸まわりで作動される場合にケーブル（１８２）の長さの変化の減少を達成するとともに回転中に顎部の軸まわりのトルクを減らすように構成される。第１の顎部（１０３）と第２の顎部（１０４）の作動は、以下に詳述される。
【００５８】
上述のように、第１の顎部（１０３）の作動ハブ（１８４）は、再配向ケーブルハブ（１０６）から伸長し、かつ作動ハブ（１８４）に位置する接続開口部（１１７）へと進入する接続ピン（１２２ａ）と（１２２ｂ）を介して、再配向ケーブルハブ（１０６）と嵌合および結合する。第１の顎部（１０３）の作動ハブ（１８４）を再配向ケーブルハブ（１０６）と嵌合および結合することに加えて、いくつかの実施形態において、接続ピン（１２２ａ）はまた、ケーブル（１８２）がその終端部位（１１０）に前記ケーブル（１８２）をガイドするためのルーティング面を設ける。
【００５９】
代替的な実施形態において、第１の顎部の作動ハブは様々な構成を呈することができる。図２２Ａ−２２Ｂは、代替的な構成を持つ作動ハブの例示的な実施形態を示す。図２２Ａ−２２Ｂに見られるように、一実施形態において、第１の顎部（２０３）は作動ハブ（２８４）と動作セグメント（２８３）を具備している。本実施形態において、作動ハブ（２８３）は複数のプーリポケット（２０４）を具備している。プーリポケット（２０４）は、ケーブルプーリ（２０２）（図２３Ａ−２３Ｂ）が中に位置するのを可能にするように構成される。いくつかの実施形態において、プーリポケット（２０４）からの突出は支点（２０１）であり、これは、ケーブルプーリ（２０２）が周囲で回転するのを可能にするように構成される。図２３Ａ−２３Ｂに見られるように、ケーブルプーリ（２０２）は、支点（２０１）が通過するための開口部を具備している。加えて、支点（２０１）は、再配向ケーブルハブ（２０６）（図２５Ａ）上に位置する接続開口部（２２１）に嵌合および結合するように構成される。再配向ケーブルハブ（２０６）は、以下に詳述される再配向ケーブルハブ（１０６）と同じ機能を実行するように構成される。図２５Ｂに見られるように、再配向ケーブルハブ（２０６）は、再配向ケーブルハブ（２０６）の周囲を伸長するケーブル管路（２２０）を具備している。再配向ケーブル管路（２２０）は、ケーブル（１８５）が顎部アセンブリ（１０１）の作動中に乗り通るための表面を設ける。加えて、再配向ケーブル管路（２２０）は、ケーブル（１８５）が前記管路から飛び出ない、および／または滑り落ちないように、顎部アセンブリ（１０１）の作動間に前記管路（２２０）内にケーブル（１８５）を保持するように構成される。加えて、再配向ケーブルハブ（２０６）はまた、片側にベアリングレース（２２３）を具備しており、これは、ボールベアリングセットが中に位置するのを可能にし、かつ前記セットを収容するように構成される。ベアリングレース（２２３）は、再配向ケーブルハブ（２０６）が回転するために表面を設ける。加えて、ベアリングレース（２２３）は、再配向ケーブルハブの軸まわりでの回転運動を可能にする一方で、以下に詳述される再配向ケーブルハブ（１０６）のベアリングレース（１２３）と同様にほかの軸すべてにおける軸方向運動を妨げるように構成される。
【００６０】
第１の顎部（２０３）の作動ハブ（２８４）はケーブル配索突起部（２１８）をさらに備え、それは、ケーブルプーリ（２０２）の周りに配索されるケーブルが、顎部アセンブリの作動中に前記ケーブルプーリとの接触を維持することを確実にするように構成される。作動中にケーブル上の摩耗量を制限し、ならびに第１の顎部（２０３）が加えることができる力を増大するように、ケーブルプーリ（２０２）は、その周りに配索されるケーブル上に与えられる摩擦を低減するように構成される。加えて、ケーブルプーリ（２０２）は、ぎくしゃくした動きを引き起こすスティックスリップを低減し、したがって、作動中の第１の顎部（２０３）の動作を改善する。図２４で見られるように、ケーブル（１８２）は、第１のケーブルプーリ（２０２ａ）の周りに、その後、第２のケーブルプーリ（２０２ｂ）の周りに配索され、ケーブル配索突起部（２１８）は、上記ケーブルが第１のケーブルプーリ（２０２ａ）との接触を維持するように、ケーブル（１８２）を固定する。本実施形態において、ケーブル（１８２）は、上に詳述されるように第２の顎部（１０４）上で終端し、ケーブル（１８２）を引っ張ると、第２の顎部（１０４）が第１の顎部（２０３）に対して開く。加えて、上に詳述された第１の顎部（１０３）と同様に、第１の顎部（２０３）は、第１の顎部（２０３）の動作セグメント（２８３）上にケーブル配索開口部（２１５）およびケーブル終端部位（２０５）を備える。同様に、いくつかの実施形態では、作動ハブ（２８４）は２つの側面を有し、一方の側面は、上に詳述されるようなケーブルプーリ（２０２）を含むように構成され、他方の側面は、上に詳述される作動ハブ（１８４）と同様に、ボールベアリングセットが位置し載っているベアリングレースを含むように構成される。さらに、図２４に示されるように、ケーブル（１８２）はケーブルプーリ（２０２）に巻き付いている。ケーブルの巻き付け角度は、作動ハブ（２８４）上のケーブルプーリ（２０２）の配置、ならびにその回転軸に沿った第１の顎部（２０３）の位置に応じて変動する。いくつかの実施形態において、ケーブルプーリ（２０２ａ）の周りの巻き付け角度は、約２４０〜３００度の間で変動する。他の実施形態では、ケーブルプーリ（２０２ａ）の周りの巻き付け角度は、約１８０〜３６０度の間で変動する。別の実施形態では、ケーブルプーリ（２０２ａ）の周りの巻き付け角度は、約２２０〜３２０度の間で変動する。別の実施形態では、ケーブルプーリ（２０２ａ）の周りの巻き付け角度は、約２００〜３４０度の間で変動する。別の実施形態では、ケーブルプーリ（２０２ａ）の周りの巻き付け角度は、約２６０〜３００度との間で変動する。一方、いくつかの実施形態では、ケーブルプーリ（２０２ｂ）の周りの巻き付け角度は、０〜１１０度の間で変動する。他の実施形態では、ケーブルプーリ（２０２ｂ）の周りの巻き付け角度は、０〜１８０度の間で変動する。別の実施形態では、ケーブルプーリ（２０２ｂ）の周りの巻き付け角度は、０〜１３０度の間で変動する。さらなる実施形態では、ケーブルプーリ（２０２ｂ）の周りの巻き付け角度は、０〜１５０度の間で変動する。さらなる実施形態では、ケーブルプーリ（２０２ｂ）の周りの巻き付け角度は、０〜１５０度の間で変動する。
【００６１】
図５Ａ−５Ｃは、再配向ケーブルハブ（１０６）の例示的な実施形態の複数の図を示す。再配向ケーブルハブ（１０６）は、ケーブル（１８２）およびケーブル（１８５）をそれぞれの終端部位（１１０）および（１０５ｂ）に配索するように構成される。一実施形態では、再配向ケーブルハブ（１０６）は、２つの側面および再配向ケーブル管路（１２０）を含む、円形のハブとして構成される。図５Ａ−５Ｃに示されるように、一実施形態において、再配向ケーブル管路（１２０）は再配向ケーブルハブ（１０６）の周囲に延びる。再配向ケーブル管路（１２０）は、顎部アセンブリ（１０１）の作動中にケーブル（１８５）が載るための表面を提供する。加えて、再配向ケーブル管路（１２０）は、ケーブル（１８５）が前記再配向ケーブル管路から飛び出たり、および／または滑り落ちたりしないように、顎部アセンブリ（１０１）の作動中に、前記再配向ケーブル管路（１２０）内にケーブル（１８５）を保持するように構成される。
【００６２】
上に詳述されるように、いくつかの実施形態では、再配向ケーブルハブ（１０６）の片側上に位置するのは、接続ピン（１２２ａ）および（１２２ｂ）であり、これは、第１の顎部（１０３）の作動ハブ（１８４）を再配向ケーブルハブ（１０６）と嵌合および連結させるために利用される。代替的な実施形態において、第１の顎部（１０３）の作動ハブ（１８４）および再配向ケーブルハブ（１０６）は、１つのピースになるように作られる。いくつかの実施形態において、接続ピン（１２２ａ）および（１２２ｂ）は、ケーブルを前記接続ピンの周りに配索することができるように平滑面を有する円柱形状に構成され、一方、他の実施形態では、接続ピン（１２２ａ）および（１２２ｂ）は、平滑面ならびに端部を有する任意の形状として構成できることができ、限定されないが、卵形、丸みを帯びた端部を有する三角形、および／または、ケーブルを配索することができるより複雑な形状あるいはチャネルを含む。
【００６３】
いくつかの実施形態において、１つの接続ピンのみが再配向ケーブルハブ（１０６）上に見られるが、他の実施形態では、複数の接続ピンが再配向ケーブルハブ（１０６）上に配置されてもよい。上述のように、いくつかの実施形態では、接続ピン（１２２ａ）は、ケーブル（１８２）が、前記ケーブルを第２の顎部（１０４）上に位置するケーブル配索開口部（１１４）に向けるための配索表面を提供する。これらの実施形態において、接続ピン（１２２ａ）は、ケーブル（１８２）がケーブル配索ピン（１１８）との接触を維持するように構成され、これにより、第１の方向に顎部アセンブリ（１０１）を作動させる場合、前記ケーブルはケーブル配索突起部（１１９ａ）に巻き付き、第２の方向に顎部アセンブリ（１０１）を作動させる場合、前記ケーブルはケーブル配索突起部（１１９ｂ）に巻き付く。加えて、いくつかの実施形態では、再配向ケーブルハブ（１０６）の片側上に位置するのは、ケーブル配索ピン開口部（１２１）である。これらの実施形態において、ケーブル配索ピン開口部（１２１）は、第１の顎部（１０３）の作動ハブ（１８４）上に位置するケーブル配索ピン（１１８）が前記配索ピン開口部に入り、したがって、作動ハブ（１８４）および再配向ケーブルハブ（１０６）を嵌合し連結するのを可能にするように構成される。加えて、ケーブル配索ピン（１１８）のケーブル配索ピン開口部（１２１）との連結および嵌合は、ケーブル（１８２）が顎部アセンブリ（１０１）の作動中にケーブル配索ピン（１１８）との接触を維持し、ならびに前記ケーブルの押し込みおよび／またはふさがりを防ぐような接続を作る。
【００６４】
図５Ｂおよび図５Ｃに見られるように、いくつかの実施形態では、再配向ケーブルハブ（１０６）の片側上に位置するのは、ベアリングレース（１２３）である。これらの実施形態において、ベアリングレース（１２３）は、複数のボールベアリングセット（１０９）（図２Ｂ）の１つがその中に位置し、上記セットを収容することができるように構成される。ベアリングレース（１２３）は、再配向ケーブルハブ（１０６）が回転するための表面を提供する。加えて、ベアリングレース（１２３）は、再配向ケーブルハブ軸の周りの回転運動を可能にするが、全ての他の軸の軸方向運動は防ぐように構成される。この技術の特定の実施形態は、ボールベアリングを必要としない。特定の実施形態は、ブッシング、スリーブベアリング、軸および／または、当該技術分野で既知の他の転動体ベアリングを含む。
【００６５】
図２Ｂおよび図２Ｄに示されるように、再配向ケーブルハブ（１０６）は、第１の顎部（１０３）の作動ハブ（１８４）と第２の顎部（１０４）の作動ハブ（１８０）との間に位置する。上に詳述されるように、再配向ケーブルハブ（１０６）の一方の側面は第１の顎部（１０３）の作動ハブ（１８４）と連結および嵌合し、作動ハブ（１８４）の他方の側面はベアリングレース（１２３）（図５Ｂ）を備える。再配向ケーブルハブ（１０６）のベアリングレース（１２３）は、第２の顎部（１０４）の作動ハブ（１８０）上に位置するベアリングレース（１１３）と同じ寸法を有するように構成され、それにより、第２の顎部（１０４）の作動ハブ（１８０）が再配向ケーブルハブ（１０６）と接触すると、ボールベアリングセットがベアリングレース（１１３）とベアリングレース（１２３）の両方に位置し、それらに沿って載るように、上記接触は複数のボールベアリングセット（１０９）の１つのためのハウジングを作る。代替的な実施形態において、ベアリングレース（１２３）およびベアリングレース（１１３）は、対称的ではないか、あるいは同じサイズではなく、他の実施形態では、ベアリングレース（１２３）およびベアリングレース（１１３）が軸の代わりに使用される。
【００６６】
上に詳述されるように、いくつかの実施形態では、第１の顎部（１０３）の作動ハブ（１８４）の片側上、ならびに第２の顎部（１０４）の作動ハブ（１８０）の片側上には、ベアリングレース（１１６ａ）および（１１６ｂ）がそれぞれ位置する。ベアリングレース（１１６ａ）および（１１６ｂ）の両方は、複数のボールベアリングセット（１０９）の１つが載ることを可能にするように構成される。いくつかの実施形態において、ベアリングレース（１１６ａ）および（１１６ｂ）の両方は、ヒンジベアリングレース（１２７）と嵌合するように構成され、ベアリングレース（１１６ａ）は、ヒンジ非湾曲体（１０８）（図７Ｂ）上に位置するヒンジベアリングレース（１２７）と嵌合し、ベアリングレース（１１６ｂ）は、ヒンジ湾曲体（１０７）（図６Ｂ）上に位置するヒンジベアリングレース（１２７）と嵌合する。ベアリングレース（１１６ａ）とヒンジ非湾曲体（１０８）のヒンジベアリングレース（１２７）との嵌合は、複数のボールベアリングセット（１０９）の１つのためのハウジングを形成し、ベアリングレース（１１６ａ）は内側ベアリングレースとして機能し、ヒンジ非湾曲体（１０８）のヒンジベアリングレース（１２７）は外側ベアリングレースとして機能する。同様に、ベアリングレース（１１６ｂ）とヒンジ湾曲体（１０７）のヒンジベアリングレース（１２７）との嵌合は、複数のボールベアリングセット（１０９）の他の１つのためのハウジングを形成する。前述のベアリングレースの嵌合は、以下に詳述されるように、顎部アセンブリ（１０１）がピッチ軸（１８９）（図１８）の周りを回転することを可能にする。
【００６７】
一実施形態では、ヒンジ湾曲体（１０７）およびヒンジ非湾曲体（１０８）は、第１の顎部（１０３）、第２の顎部（１０４）、再配向ケーブルハブ（１０６）、ならびに複数のボールベアリングセット（１０９）のためのハウジングとして機能する。図６Ａ−６Ｄは、ヒンジ湾曲体（１０７）の例示的な実施形態の複数の図を示す。図７Ａ−７Ｄは、ヒンジ非湾曲体（１０８）の例示的な実施形態の複数の図を示す。
【００６８】
一実施形態において、図６Ａ−６Ｄに示されるように、ヒンジ湾曲体（１０７）は近位端および遠位端を備え、前記端部は内面ならびに外面を備える。一実施形態では、ヒンジ湾曲体（１０７）の遠位端の内面上に位置するのは、ヒンジベアリングレース（１２７）であり、それは、上に詳述される第１の顎部（１０３）のベアリングレース（１１６ｂ）と嵌合および連結するように構成される。上に詳述される複数のボールベアリングセット（１０９）の１つのためのハウジングとしての機能に加えて、第１の顎部（１０３）のベアリングレース（１１６ｂ）とヒンジ湾曲体（１０７）のヒンジベアリングレース（１２７）との嵌合はさらに、第１の顎部（１０３）が前記第１の顎部の作動中にいかなる移行運動も経験するのを防ぐ。さらに、前述の嵌合は、第１の顎部（１０３）が周りを回転する顎部の軸（１８９）（図１７Ａおよび図１７Ｃ）を規定する。加えて、いくつかの実施形態では、ヒンジ湾曲体（１０７）の遠位端は、第１の顎部（１０３）の磁石ハウジング（１１２ｂ）が進入し、嵌合するのを可能にするように構成される磁石ハウジング開口部（１９０）を備える。
【００６９】
いくつかの実施形態において、ヒンジ湾曲体（１０７）の遠位端の外面上に、湾曲ポケット（１２６）がある。湾曲ポケット（１２６）は、電気通信コンポーネントがその中に位置することを可能にするように構成され、顎部アセンブリ（１０１）の作動中に前記電気通信コンポーネントへのいかなる破損も防ぐ。様々な実施形態では、異なる電気通信コンポーネントが利用され、それは、限定されないが、リジッドフレキシブルプリント回路基板（ＲＦＰＣＢ）、フレキシブルプリント回路基板（ＦＰＣＢ）、および／または当該技術分野で既知の他のタイプの電気通信コンポーネントを含む。ヒンジ湾曲体（１０７）の湾曲ポケット（１２６）内に位置する電気通信コンポーネントは、第１の顎部（１０３）の位置および／または配向データを中央コンピューターに送信するために利用され、上記中央コンピューターは、上記データを処理して、制御コマンドおよび／またはプロンプトを、第１の顎部（１０３）を作動させて操作するアクチュエーターに送信する。第１の顎部（１０３）の位置および／または配向データは、磁石ハウジング（１１２ｂ）に位置する磁石、ならびにヒンジ湾曲体（１０７）の湾曲ポケット（１２６）に位置するセンサーから得られる。これらの実施形態において、電気通信コンポーネントの収容に加えて、ヒンジ湾曲体（１０７）の湾曲ポケット（１２６）は、第１の顎部（１０３）が顎部の軸（１８９）の周りを回転する際に、磁石ハウジング（１１２ｂ）の磁石の磁場における変化を感知するためのセンサーを備える。いくつかの実施形態において、磁場における変化を感知するために、２つの回転位置センサーがヒンジ湾曲体（１０７）の湾曲ポケット（１２６）に見られるが、他の実施形態では、４つの回転位置センサーが見られる。磁石感知は以下にさらに詳述される。
【００７０】
上記されるように、いくつかの実施形態では、ヒンジ湾曲体（１０７）は近位端を備える。ヒンジ湾曲体（１０７）の近位端は、顎部アセンブリ（１０１）をヒンジ回転アセンブリ（１０２）と連結および嵌合するために利用され、ならびに、ピッチ軸（１８８）（図１７Ａおよび図１７Ｂ）を規定する。図６Ａに示されるように、いくつかの実施形態では、ヒンジ湾曲体（１０７）の近位端は、２つの側面（内側および外側）を有するように構築される。一実施形態では、外面は湾曲スロット（１２４）を備え、それは、電気通信コンポーネントを、ヒンジ湾曲体（１０７）の遠位端の外面上に位置する湾曲ポケット（１２６）に配索するように構成される。湾曲スロット（１２４）は、電気通信コンポーネントがリストアセンブリ（１００）の作動中に過度に曲がったり、および／または損傷したりしないように、前記電気通信コンポーネントが上記スロット内に位置することを可能にするよう構成される。いくつかの実施形態において、湾曲スロット（１２４）は、上に詳述されるように、ヒンジ湾曲体の近位端の内側上に位置し、電気通信コンポーネントは湾曲ポケット（１２６）に配索される。これらの実施形態において、ヒンジ湾曲体の近位端の外側はベアリング面を備え、したがって、以下に詳述されるような雄部ベアリングレース（１３８）を排除する。加えて、これらの実施形態において、支点（１２８）は、ヒンジ非湾曲体（１０８）の近位端の内側に再配置される。
【００７１】
加えて、いくつかの実施形態では、ヒンジ湾曲体（１０７）の近位端の外側は、ヒンジハードストップ（１８６）を備える。これらの実施形態において、ヒンジハードストップ（１８６）は、顎部アセンブリ（１０１）が、接合部の許容限界を超えてピッチ軸（１８８）（図１７Ａ）周りを回転するのを抑制するように構成される。いくつかの実施形態において、接合部の許容限界は１２０度であり、いずれの方向に６０度の運動を有するが、他の実施形態では、接合部の許容限界は増加および／または減少する。図６Ａおよび図６Ｃで見られるように、ヒンジハードストップ（１８６）は、ヒンジ回転アセンブリ（１０２）の遠位端と接触して、顎部アセンブリ（１０１）が許容可能な程度の回転を超えて作動することを防ぐ、押し出された表面として構成される。ヒンジ湾曲体（１０７）の近位端は、ヒンジ回転アセンブリ（１０２）が、作動中にピッチ軸（１８８）周りを回転することを可能にするように円形に構成される。
【００７２】
図６Ａおよび６Ｄに示されるように、いくつかの実施形態では、ヒンジ湾曲体（１０７）の近位端の外側は、接続開口部（１２５）を備える。接続開口部（１２５）は、ヒンジ回転アセンブリ（１０２）からの雄ベアリングレース（１３８）（図１５Ａ−１５Ｄ）が嵌合および連結するのを可能にするように構成される。いくつかの実施形態において、接続開口部（１２５）は、電気通信コンポーネントが、雄ベアリングレース（１３８）からの干渉なく、前記湾曲スロットを通って配索されるように、湾曲スロット（１２４）より高く突出した表面上に位置する。いくつかの実施形態において、接続開口部（１２５）は排除され、雄ベアリングレース（１３８）がヒンジ湾曲体（１０７）の近位端の一部であるように作られる。
【００７３】
いくつかの実施形態において、ヒンジ湾曲体（１０７）の近位端の内側上には支点（１２８）があり、それはヒンジ湾曲体（１０７）から突出している。図６Ｂに示される例示的な実施形態において示されるように、支点（１２８）は円筒形に構成され、支点（１２８）が従動プーリ（１３７）（図１６Ａ）上の開口部を通過するのを可能にする外径を有する。いくつかの実施形態において、支点（１２８）は、ベアリングあるいは当該技術分野で既知の任意の軸の代わりに使用される。加えて、いくつかの実施形態では、ヒンジ湾曲体（１０７）の近位端は、顎部ハードストップ（１８７）を備える。これらの実施形態において、顎部ハードストップ（１８７）は、第１の顎部（１０３）および第２の顎部（１０４）が、接合部の許容限界を超えて、顎部の軸（１８９）（図１７Ａおよび図１７Ｃ）の周りを回転するのを抑制するように構成される。図６Ｂにおいて見られるように、顎部ハードストップ（１８７）は、第１および第２の顎部の近位端と接触して、前記顎部が許容可能な程度の回転を超えて作動することを防ぐ、押し出された表面として構成される。いくつかの実施形態において、回転の許容可能な程度は、いずれかの方向に９３度であるが、他の実施形態では、回転の許容可能な程度は、いずれかの方向に９３度未満であるか、あるいは９３度を超える。
【００７４】
上述されるように、いくつかの実施形態では、ヒンジ湾曲体（１０７）およびヒンジ非湾曲体（１０８）は、顎部アセンブリ（１０１）の他の構成部分と共に、第１の顎部（１０３）および第２の顎部（１０４）のためのハウジングとして機能する。図７Ａ−７Ｄは、ヒンジ非湾曲体（１０８）の例示的な実施形態の複数の図を示す。図７Ａ−７Ｄに示されるように、一実施形態では、ヒンジ非湾曲体（１０８）は、近位端および遠位端を備えるように作られる。ヒンジ非湾曲体（１０８）の近位端および遠位端は、ヒンジ湾曲体（１０７）の遠位端および近位端とほぼ同じ構造を有するように構成され、ヒンジ湾曲体（１０７）とヒンジ非湾曲体（１０８）との間の接続は継ぎ目がなく、両方の体の外側プロファイルは互いに同一平面上にある（図１７Ａ−１７Ｃ）。
【００７５】
図７Ａに示されるように、一実施形態において、ヒンジ非湾曲体（１０８）の遠位端は、内面および外面を有するように構成される。一実施形態では、ヒンジ非湾曲体（１０８）の遠位端の内面上に位置するのは、上に詳述される第２の顎部（１０４）のベアリングレース（１１６ａ）と嵌合および連結するように構成されるヒンジベアリングレース（１２７）である。複数のボールベアリングセット（１０９）の１つのためのハウジングとして機能することに加えて、第２の顎部（１０４）のベアリングレース（１１６ａ）とヒンジ非湾曲体（１０８）のヒンジベアリングレース（１２７）との嵌合は、第２の顎部（１０４）が前記第２の顎部の作動中にいかなる移行運動も経験するのを防ぐ。さらに、前述の嵌合は、第２の顎部（１０４）が周りを回転する顎部の軸（１８９）（図１７Ａおよび図１７Ｃ）を規定する。加えて、いくつかの実施形態では、ヒンジ非湾曲体（１０８）の遠位端は、第２の顎部（１０４）の磁石ハウジング（１１２ａ）が進入し嵌合するのを可能にするように構成される、磁石ハウジング開口部（１９０）を備える。
【００７６】
いくつかの実施形態において、ヒンジ非湾曲体（１０８）の遠位端の外面上には、湾曲ポケット（１２６）がある。湾曲ポケット（１２６）は、電気通信コンポーネントがその中に入ることを可能にするように構成され、顎部アセンブリ（１０１）の作動中に前記電気通信コンポーネントへのいかなる破損も防ぐ。様々な実施形態では、異なる電気通信コンポーネントが利用され、限定されないが、リジッドフレキシブルプリント回路基板（ＲＦＰＣＢ）、フレキシブルプリント回路基板（ＦＰＣＢ）、および／または当該技術分野で既知の他のタイプの電気通信コンポーネントを含む。ヒンジ非湾曲体（１０８）の湾曲ポケット（１２６）に位置する電気通信コンポーネントは、第２の顎部（１０４）の位置および／または配向データを中央コンピューターに送信するために利用され、上記中央コンピューターは、前記データを処理して、制御コマンドおよび／またはプロンプトを、第２の顎部（１０４）を作動させて操作するアクチュエーターに送信する。第２の顎部（１０４）の位置および／または配向データは、磁石ハウジング（１１２ａ）内にある磁石、ならびにヒンジ非湾曲体（１０８）の湾曲ポケット（１２６）および顎部アセンブリ（１０１）に含まれるセンサーから得られる。これらの実施形態において、電気通信コンポーネントの収容に加えて、ヒンジ非湾曲体（１０８）の湾曲ポケット（１２６）は、第２の顎部（１０４）が顎部の軸（１８９）の周りを回転する際に、磁石ハウジング（１１２ｂ）の磁石の磁場における変化を感知するためのセンサーを備える。いくつかの実施形態において、磁場における変化を感知するために、２つの回転位置センサーがヒンジ非湾曲体（１０８）の湾曲ポケット（１２６）に見られるが、他の実施形態では、４つの回転位置センサーが見られる。磁石感知は以下にさらに詳述される。
【００７７】
上述されるように、いくつかの実施形態では、ヒンジ非湾曲体（１０８）は近位端を備える。ヒンジ非湾曲体（１０８）の近位端は、ヒンジ湾曲体（１０７）の近位端と合わせて利用され、顎部アセンブリ（１０１）（図１Ｄ）をヒンジ回転アセンブリ（１０２）（図１Ｄ）に連結および嵌合し、上記嵌合および連結は、ピッチ軸（１８８）（図１７Ａおよび図１７Ｂ）を規定する。図７Ａ−７Ｄに示されるように、いくつかの実施形態では、ヒンジ非湾曲体（１０８）の近位端は、２つの側面を有するように構築され、片側がヒンジベアリングレース（１２９）を備える。ヒンジベアリングレース（１２９）は、顎部アセンブリ（１０１）の作動中に、複数のボールベアリングセット（１０９）の１つが前記ヒンジベアリングレース内に位置し、それに沿って載ることを可能にするように構成される。ヒンジ非湾曲体（１０８）のヒンジベアリングレース（１２９）内に位置するボールベアリングセット（１０９）は、雌ヒンジ体（１３４）（図１０Ａ）のベアリングレース（１４７）（図１０Ｂ）内にも位置する。加えて、いくつかの実施形態では、ヒンジ非湾曲体（１０８）の近位端は磁石ポケット（１５２）を備える。これらの実施形態において、磁石ポケット（１５２）は、１つの磁石および／または複数の磁石が入るのを可能にするように構成される。さらに以下に詳述されるように、顎部アセンブリがピッチ軸（１８８）の周りを回転する際に、前記顎部アセンブリ（１０１）の位置データ、いくつかの実施形態では配向データを得るために、磁石は、ヒンジ回転アセンブリ（１０２）上に位置するセンサーと共に利用される。
【００７８】
加えて、いくつかの実施形態では、ヒンジ非湾曲体（１０８）の近位端の外面は、ケーブル管路（１３０）を備えるように作られる。ケーブル管路（１３０）は、ヒンジ非湾曲体（１０８）の近位端の片側上に位置するケーブル終端チャネル（１３２）を通って、ケーブル（１９１）に配索されるように構成される。ケーブル終端チャネル（１３２）は、ヒンジ非湾曲体（１０８）の近位端上に位置するケーブル終端部位（１３１）に、ケーブル（１９１）を配索するように構成される。異なる実施形態では、上に詳述される様々な方法および／または技術が、ケーブル（１９１）をケーブル終端部位（１３１）で終端するために利用される。
【００７９】
加えて、いくつかの実施形態では、ヒンジ非湾曲体（１０８）の近位端の片側は、支点開口部（１３３）（図７Ｃ）を備える。これらの実施形態において、支点開口部（１３３）は、ヒンジ湾曲体（１０７）の支点（１２８）が上記開口部内に進入し、位置するように構成される。さらに、いくつかの実施形態では、ヒンジ非湾曲体（１０８）の近位端は顎部ハードストップ（１８７）を備える。これらの実施形態において、顎部ハードストップ（１８７）は、第１の顎部（１０３）および／または第２の顎部（１０４）が、接合部の許容限界を超えて顎部の軸（１８９）（図１７Ａおよび図１７Ｃ）の周りを回転するのを抑制するように構成される。図７Ｄにおいて見られるように、顎部ハードストップ（１８７）は、第１および／または第２の顎部の近位端と接触して、前記顎部が許容可能な程度の回転を超えて作動することを防ぐ、押し出された表面として構成される。いくつかの実施形態において、回転の許容可能な程度は、いずれかの方向に９３度であるが、他の実施形態では、回転の許容可能な程度は、いずれかの方向に９３度未満であるか、あるいは９３度を超える。
【００８０】
上記のように、ヒンジ湾曲体（１０７）およびヒンジ非湾曲体（１０８）の両方の近位端は、顎部アセンブリ（１０１）をヒンジ回転アセンブリ（１０２）に連結する。図８Ａは、ヒンジ回転アセンブリ（１０２）の例示的な実施形態の等角図を示す。図８Ｂは、ヒンジ回転アセンブリ（１０２）の例示的な実施形態の分解上面図を示す。ヒンジ回転アセンブリ（１０２）は、２つの追加のＤＯＦをリストアセンブリ（１００）に提供するように構成される。ヒンジ湾曲体（１０７）およびヒンジ非湾曲体（１０８）と共にヒンジ回転アセンブリ（１０２）は、ＤＯＦに提供するように構成され、前記ＤＯＦは、ピッチ軸（１８８）（図１７Ａ）の周りを回転する顎部アセンブリ（１０１）の回転である。加えて、ヒンジ回転アセンブリ（１０２）はまた、他のＤＯＦを提供するように構成され、このＤＯＦは、ロール軸（１９２）（図１８）の周りのリストアセンブリ（１００）の回転である。さらに、２つの余分なＤＯＦを提供することに加えて、ヒンジ回転アセンブリ（１０２）は、顎部アセンブリ（１０１）の電気通信コンポーネントをロボットアームの残りの電気通信コンポーネントに接続する手段として機能し、それにより、顎部アセンブリ（１０１）上のセンサーから得られたデータが、前記アセンブリからヒンジ回転アセンブリ（１０２）を通って中央コンピューターへと送信されるのを可能にし、ならびに、データを中央コンピューターから顎部アセンブリ（１０１）へと送信し戻すことを可能にする。
【００８１】
図８Ｂで示される例示的な実施形態に示されるように、ヒンジ回転アセンブリ（１０２）は、ヒンジカバー（１３４）とも呼ばれる雌ヒンジ体と、ヒンジ式回転体（１３９）とも呼ばれる雄回転ヒンジ体とを備える。雄回転ヒンジ体（１３９）と共に雌ヒンジ体（１３４）は、ヒンジ回転式アセンブリ（１０２）の様々な構成部分のためのハウジングとして、ならびに、ヒンジ湾曲体（１０７）およびヒンジ非湾曲体（１０８）の近位端の接続点および嵌合点として機能するように作られる。図９Ａおよび図９Ｂは、雄回転ヒンジ体（１３９）の例示的な実施形態の複数の図を示す。図９Ａ−９Ｂで見られるように、雄回転ヒンジ体（１３９）は、遠位および近位端、ならびに外面および内面を備える。
【００８２】
図９Ａ−９Ｂで示されるように、ヒンジ式回転体（１３９）とも呼ばれる雄回転ヒンジ体の近位端は、ケーブル管路（１４２）を備える。いくつかの実施形態において、ケーブル管路（１４２）は円筒軸として作られ、ケーブル（１８１）、（１８２）、（１８５）、および（１９１）（図９Ａに図示せず）が配索される開口部を有する。ケーブル管路（１４２）は、リストアセンブリ（１００）がロール軸（１９２）の周りを回転する際に、ケーブルが互いにもつれないように、前記ケーブルが前記ケーブル管路を通って配索されることを可能にするように構成される。いくつかの実施形態において、ケーブル管路（１４２）の外面上に位置するのは、ベアリング（図示せず）が置かれるベアリングインターフェース（１９３）であり、前記ベアリングは、様々な荷重条件を介してケーブル管路（１４２）の回転を可能にするように構成される。
【００８３】
図９Ｂに示されるように、いくつかの実施形態では、ケーブル管路（１４２）の内面上に位置するのは、湾曲ガイド表面（１４５）である。これらの実施形態において、湾曲ガイド表面（１４５）は、電気通信コンポーネントが静止する平坦面であるように構成される。湾曲ガイド表面（１４５）は、ロボットアームからヒンジ回転アセンブリ（１０２）の近位端を通って電気通信コンポーネントを配索およびガイドするように構成され、ここで、前記電気通信コンポーネントは、顎部アセンブリ（１０１）から遠位端を通ってヒンジ回転アセンブリ（１０２）に配索される、他の電気通信コンポーネントに動作可能に接続する。リストアセンブリ（１００）の作動中に、電気通信コンポーネントが前記表面に対して平坦に位置するように湾曲ガイド表面（１４５）は構成され、それにより、前記電気通信コンポーネントが曲がったり、および／または損傷したりしない。代替的な実施形態において、電気通信は、限定されないが、銅ケーブルおよび／または光ファイバケーブルを含む、当該技術分野で既知の標準電気通信ワイヤーおよび／またはケーブルを介して、ケーブル管路（１４２）を通って送信される。
【００８４】
加えて、ケーブル管路（１４２）は回転プーリ体（１４０）が雄回転ヒンジ体（１３９）に接続および嵌合するのを可能にするように構成される。いくつかの実施形態において、回転プーリ体（１４０）は、その中心に、ケーブル管路（１４２）が通過できる開口部を有するように作られる。これらの実施形態において、回転プーリ体（１４０）は、ねじ接続を介して雄回転ヒンジ体（１３９）に接続および嵌合し、ねじは、回転プーリ体（１４０）上の貫通穴（１４９）を通過し、ねじ穴（１６８）（図１３Ｂ）に進入する。加えて、回転プーリ体（１４０）は、ピン接続を介して雄回転ヒンジ体（１３９）に連結され、ピンは、雄回転ヒンジ体（１３９）および回転プーリ体（１４０）の両方の上にあるピン接続開口部（１４４）に入ってその中に位置する。リストアセンブリ（１００）の作動中に、回転プーリ体（１４０）がロール軸（１９２）の周りを回転しないように、ピン接続は、雄回転ヒンジ体（１３９）に回転プーリ体（１４０）を拘束するように構成される。代替的な実施形態において、回転プーリ体（１４０）は、雄回転ヒンジ体（１３９）の一部として作られ、したがって、上記接続を排除する。
【００８５】
上述のように、雄回転ヒンジ体（１３９）は、内面および外面を有する遠位端を備えるように構成される。図９Ａに示されるように、いくつかの実施形態では、雄回転ヒンジ体（１３９）の遠位端の外部表面上に位置するのは、ケーブルガイドスロット（１４３）である。ケーブルガイドスロット（１４３）は、ヒンジ回転アセンブリ（１０２）から、顎部アセンブリ（１０１）の近位端を通って、第２の顎部（１０４）の作動ハブ（１８０）上に位置するケーブル配索管路（１１１）（図３Ａ）へと、ケーブル（１８１）を配索およびガイドするように構成される。これらの実施形態において、ケーブル（１８１）は、ケーブル管路（１４２）を通って雄回転ヒンジ体（１３９）の遠位端の内面に配索され、ここで、前記ケーブルは、開口部を通過して、雄回転ヒンジ体（１３９）の遠位端の外面上のケーブルガイドスロット（１４３）に進入する。ケーブルがケーブルガイドスロット（１４３）の端部に到達すると、ケーブルは分離面（１９４）に沿って配索される。分離面は、ジョイント動作からケーブル動作を分離するか、ケーブル動作からジョイント動作を分離するか、あるいは、ジョイント動作からケーブル動作を分離し、かつケーブル動作からジョイント動作を分離するように構成されてもよい。第１および第２の顎部が回転するとき、顎部を閉じるケーブルが長さを変えずにピッチ軸（１８８）の中心周りを枢動するように、分離面は湾曲した形状に作られる。分離面（１９４）の湾曲は、ケーブルがそれに沿って巻き付くのを可能にし、それにより、ケーブルと表面との間の摺動運動がないため、ケーブルが張力を失ったり、過度に張力がかったりしない。加えて、分離面は、顎部の軸（１８９）の周りを回転する際に顎部の分離動作をもたらし、ピッチ軸の周りを回転する際に顎部アセンブリの分離動作をもたらす。
【００８６】
いくつかの実施形態において、雄回転ヒンジ体（１３９）の遠位端の外部表面上に位置するのは、湾曲ポケット（１２６）である。上に詳述されるように、湾曲ポケット（１２６）は、リストアセンブリ（１００）の作動中に前記電気通信コンポーネントのいかなる破損も防ぐように、電気通信コンポーネントが前記ポケット内に位置し、かつ取り付けられるのを可能にするように構成される。様々な実施形態では、異なる電気通信コンポーネントが利用され、それには、限定されないが、リジッドフレキシブルプリント回路基板（ＲＦＰＣＢ）、フレキシブルプリント回路基板（ＦＰＣＢ）、および／または従来技術で周知である他のタイプの電気通信コンポーネントが含まれる。
【００８７】
図９Ｂに示されるように、いくつかの実施形態では、雄回転ヒンジ体（１３９）の遠位端の内面は、ケーブル配索突起部（１４６）を備える。ケーブル配索突起部（１４６）は、ヒンジ回転アセンブリ（１０２）の遠位端を通って配索されたケーブルを、所望の位置に向けるように構成される。一実施形態では、ケーブルが作動中に損傷しないように、ケーブル配索突起部（１４６）は平滑面であるように作られる。加えて、雄回転ヒンジ体（１３９）の遠位端を通って配索されるケーブルが、互いにもつれたり、絡み合ったりしないように、ならびに、前記ケーブルが所望の位置へと配索される際に、前記ケーブルが、リストアセンブリ（１００）の他の構成部分にひっかかるのを防ぐように、ケーブル配索突起部は、ディバイダーとして機能するように構成される。
【００８８】
ケーブル配索突起部（１４６）は、２つの側面を有するように構成され、一方の側面は、１本のケーブルを所望の位置に配索し、および他方の側面は、異なるケーブルを所望の位置に配索する。一実施形態では、ケーブル配索突起部（１４６）はケーブル（１９１）（図１９Ｂ）およびケーブル（１８２）（図１９Ｂ）を配索するために利用され、ケーブル（１９１）は、ケーブル配索突起部（１４６）の一方の側面上に配索され、ケーブル（１８２）は、ケーブル配索突起部（１４６）の他方の側面上に配索される。本実施形態において、ケーブル（１９１）は、以下に詳述されるように、雄回転ヒンジ体（１３９）の遠位端を通って、ヒンジ非湾曲体（１０８）の近位端に位置するケーブル管路（１３０）に配索され、および、ケーブル（１８２）は、雄回転ヒンジ体（１３９）の遠位端を通って、従動プーリ（１３７）（図１６Ａ−１６Ｂ）上に位置する従動ケーブル管路（１７８）に配索される。代替的な実施形態において、ケーブル配索突起部（１４６）は排除され、所望の位置にケーブルを向けるチャネルおよび／または管路に置き換えられる。
【００８９】
いくつかの実施形態において、雄回転ヒンジ体（１３９）の遠位端の内面は、複数のねじ穴（１４８）を備える。これらの実施形態において、以下に詳述されるように、ねじ穴（１４８）は、ねじが雌ヒンジ体（１３４）に入ることを可能にし、したがって、雌ヒンジ体（１３４）を雄回転ヒンジ体（１３９）と嵌合および連結させることができる。加えて、これらの実施形態において、複数のねじ穴（１４８）の１つ以上は、下部湾曲カバー（１３６）（図８Ｂおよび図１１Ａ−１１Ｂ）を雄回転ヒンジ体（１３９）に嵌合および連結するために利用される。
【００９０】
加えて、いくつかの実施形態では、雄回転ヒンジ体（１３９）の遠位端の内面は、ベアリングレース（１４７）（図９Ｂ）を備える。ベアリングレース（１４７）は、リストアセンブリ（１００）の接合中に、複数のボールベアリングセット（１０９）の一つがベアリングレース内に位置し、それに沿って載ることを可能にするように構成される。これらの実施形態において、雄回転ヒンジ体（１３９）のベアリングレース（１４７）内に位置するボールベアリングセット（１０９）（図８Ｂ）の１つは、雄部ベアリングレース（１３８）（図１５Ａ）上にあるベアリング管路（１７５）（図１５Ａ）上にも位置する。これらの実施形態において、雄部ベアリングレース（１３８）は、ヒンジ湾曲体（１０７）の近位端とともに、雄回転ヒンジ体（１３９）の遠位端のベアリングレース（１４７）に連結するように構成される。
【００９１】
上記のように、いくつかの実施形態では、ヒンジ回転アセンブリは、上部湾曲カバー（１３５）および下部湾曲カバー（１３６）（図１１Ａ−１１Ｂおよび図１２Ａ−１２Ｂ）を有する。これらの実施形態において、下部湾曲カバーは、内面および外面を有するように作られる。図１１Ｂに示される例示的な実施形態に示されるように、下部湾曲カバー（１３６）の内面は、ヒンジ回転アセンブリの近位端からのケーブルが通過するのに利用されるケーブル配索通路（１６０）である。図１１Ａに示されるように、いくつかの実施形態では、下部湾曲カバー（１３６）の外面は、顎部アセンブリからの、ならびにヒンジ回転アセンブリからの、電気通信コンポーネントが入る湾曲ポケット（１５７）を有する。湾曲ポケット（１５７）は、電気通信コンポーネントが前記ポケット内で平坦に位置するのを可能にするように構成される。加えて、いくつかの実施形態では、下部湾曲カバー（１３６）の外面は、ねじを雄回転ヒンジ体（１３９）上のねじ穴（１４８）（図９Ｂ）が通過し、それに入ることができるように構成される貫通穴（１５８）を有する。加えて、下部湾曲カバー（１３６）の近位端上に位置するのは、ねじの頭部が収まるのを可能にするように構成されるねじ切り込み（１６１）である。これらの実施形態において、ねじ切り込み（１６１）内に位置するねじは、雄回転ヒンジ体（１３９）および回転プーリ体（１４０）（図１３Ａ−１３Ｄ）を嵌合するために使用される。さらに、いくつかの実施形態では、下部湾曲カバーの外面上に位置するのは、接続開口部（１５９）であり、それは、上部湾曲カバー（１３５）上の接続突起部（１６２）が接続開口部（１５９）に進入し、したがって、上部湾曲カバーと下部湾曲カバーを嵌合するのを可能にするように構成される。上部湾曲カバー（１３５）と下部湾曲カバー（１３６）との間の接続は、いくつかの実施形態にしたがって、図１２Ａ−１２Ｂに示される。これらの実施形態において、上部湾曲カバー（１３５）は、下部湾曲カバー（１３６）と嵌合し、したがって、下部湾曲カバー（１３６）の湾曲ポケット（１５７）内に位置する電気通信コンポーネントを保護するように構成される。代替的な実施形態において、上部湾曲カバーおよび下部湾曲カバーは、雌ヒンジ体あるいはヒンジカバー（１３４）の一部として作られる。
【００９２】
図１５Ａ−１５Ｂは、雄ベアリングレース（１３８）の例示的な実施形態の複数の図を示す。図１５Ａ−１５Ｂに示されるように、一実施形態において、雄部ベアリングレース（１３８）は２つの側面を有するように作られ、一方の側面はベアリング管路（１７５）を備え、他方の側面は複数の雄ベアリング接続突起部（１７６）を備える。上に詳述されるように、ベアリング管路（１７５）は、複数のボールベアリングセット（１０９）の１つが、前記ベアリング管路内に位置し、それに沿って載り、ならびに、雄回転ヒンジ体（１３９）上にあるベアリングレース（１４７）内に位置し、それに沿って載ることを可能にするように構成される。これらの実施形態において、複数の雄ベアリングの接続突起部（１７６）は、ヒンジ湾曲体（１０７）の接続開口部（１２５）（図６Ａ）に入り、それと嵌合するように構成される。この接続は、ヒンジ非湾曲体（１０８）のヒンジベアリングレース（１２９）と、雌ヒンジ体（１３４）（図１０Ａ）上に位置するベアリングレース（１４７）（図１０Ｂ）との接続と共に、顎部アセンブリ（１０１）がピッチ軸（１８８）の周りを回転するのを可能にする。代替的な実施形態において、雄ベアリングレース（１３８）は、ヒンジ湾曲体（１０７）の一部として作られる。
【００９３】
上述のように、ヒンジ回転アセンブリ（１０２）は、雌ヒンジ体あるいはヒンジカバー（１３４）も備える。図１０Ａ−１０Ｂは、雌ヒンジ体あるいはヒンジカバー（１３４）の例示的な実施形態の複数の図を示す。図１０Ａ−１０Ｂに示されるように、いくつかの実施形態では、雌ヒンジ体（１３４）は内面および外面を備える。一実施形態では、雌ヒンジ体（１３４）の外面は、複数の接続開口部（１５１）を備える。接続開口部（１５１）は、ねじが前記開口部に入って通過することを可能にするように構成され、前記ねじは、雄回転ヒンジ体（１３９）上に位置するねじ穴（１４８）に入って嵌合し、したがって、雌ヒンジ体（１３４）を雄回転ヒンジ体（１３９）と連結する。
【００９４】
いくつかの実施形態において、外面上に位置するのは、ケーブル配索スロット（１５０）である。図１０Ｂに示されるように、ケーブル配索スロット（１５０）は、雌ヒンジ体（１３４）の内面から上記雌ヒンジ体の外面へと延びる。雄回転ヒンジ体（１３９）のケーブル配索スロット（１４３）と同様に、雌ヒンジ体（１３４）の配索スロット（１５０）は、ヒンジ回転アセンブリ（１０２）から、顎部アセンブリ（１０１）の近位端を通って、再配向ケーブル管路（１２０）（図５Ａ）へとケーブル（１８５）を配索およびガイドするように構成される。これらの実施形態において、ケーブル（１８５）は、雄回転ヒンジ体（１３９）のケーブル管路（１４２）を通って、雌ヒンジ体（１３４）の内面へと配索され、ここで、前記ケーブルは、ケーブル配索スロット（１５０）に入り、開口部を通過し、それにより、雌ヒンジ体（１３４）の外面上のケーブル配索スロット内に配置される。加えて、ケーブル配索スロット（１５０）の端部には分離面（１９５）がある。これらの分離面（１９５）は、湾曲形状であるように作られるという点において、ヒンジ式回転体（１３９）の分離面（１９４）と調和し、それにより、前記配索スロットを通って配索されるケーブルは、顎部アセンブリがピッチ軸周りで回転する時に長さが変化せず、したがって、分離動作をもたらすのを助ける。
【００９５】
加えて、いくつかの実施形態では、雌ヒンジ体（１３４）の内面上に位置するのは、湾曲ポケット（１５６）および湾曲配索突起部（１５５）である。これらの実施形態において、湾曲ポケット（１５６）および湾曲配索突起部（１５５）は、複数のセンサーポケット（１５３）、ならびに雌ヒンジ体（１３４）の内面上に位置する電気通信ポケット（１５４）に、電気通信コンポーネントを調和して配索するように構成される。電気通信コンポーネントを配索することに加えて、湾曲ポケット（１５６）は、前記電気通信コンポーネントがリストアセンブリ（１００）の作動中および接合中に損傷しないように、前記電気通信コンポーネントのためのハウジングとしても機能するように構成される。
【００９６】
上記にように、いくつかの実施形態では、雌ヒンジ体（１３４）の内面上に位置するのは、通信コンポーネントポケット（１５４）およびセンサーポケット（１５３）である。センサーポケット（１５３）は、リストアセンブリ（１００）の作動中に位置および／または配向センサーが損傷しないように、それらが前記ポケット内に位置することを可能にするように構成される。これらの実施形態において、センサーポケット（１５３）は、前記ポケットが、ヒンジ非湾曲体（１０８）（図７Ｂ）上に位置する磁石ポケット（１５２）の中心点の周りで互いに直交になるように、雌ヒンジ体（１３４）の内面上に位置する。異なる実施形態において、限定されないが、ホール効果センサー、光学エンコーダー、抵抗位置センサー、および／またはそれらの位置を測定するための他の任意の標準的手段あるいはそれらの組み合わせを含む、様々な位置センサーが使用される。これらの実施形態において、センサーポケット（１５３）内に位置するセンサーは、前記アセンブリがピッチ軸（１８８）周りを回転する際に、顎部アセンブリ（１００）の位置および／または配向データを取得するように構成される。
【００９７】
一実施形態において、センサーポケット（１５３）と同様に、通信コンポーネントポケット（１５４）は、キャパシタを収容するように構成される。本実施形態において、キャパシタは、センサーおよび他の電気通信コンポーネントからの信号雑音を低減するために利用され、それにより、より正確なセンサー読み取り値を提供し、より正確な位置データをもたらす。いくつかの実施形態において、通信コンポーネントポケット（１５４）は２つ以上のキャパシタを収容するように構成されるが、他の実施形態では、１つのキャパシタのみが前記通信コンポーネントポケットに収容される。代替的な実施形態において、通信コンポーネントポケット（１５４）は、当該技術分野で既知のインダクター、抵抗器、および／またはプロセッサーなどの、測定および／または通信のために必要なコンポーネントを収容するように構成される。
【００９８】
いくつかの実施形態において、雌ヒンジ体（１３４）の内面はベアリングレース（１４７）を備える。これらの実施形態において、ベアリングレース（１４７）は、リストアセンブリ（１００）の作動中に、ボールベアリングセット（１０９）が前記ベアリングレース内に位置し、それに沿って載ることを可能にするように構成される。上に詳述されるように、雌ヒンジ体（１３４）のベアリングレース（１４７）内に位置するボールベアリングセット（１０９）はまた、ヒンジ非湾曲体（１０８）（図７Ａ）のヒンジベアリングレース（１２９）内に位置し、雌ヒンジ体（１３４）とヒンジ非湾曲体（１０８）との間の連結を作る。雌ヒンジ体（１３４）とヒンジ非湾曲体（１０８）との間の上記連結は、顎部アセンブリ（１０１）がピッチ軸（１８８）の周りを回転することを可能にする。
【００９９】
上に詳述されるように、ヒンジ湾曲体（１０７）およびヒンジ非湾曲体（１０８）の両方の近位端は、雄回転ヒンジ体（１３９）および雌ヒンジ体（１３４）の両方の遠位端の内面に連結し、したがって、顎部アセンブリ（１０１）をヒンジ回転アセンブリ（１０２）と連結させる。顎部アセンブリ（１０１）をヒンジ回転アセンブリ（１０２）に連結することに加えて、雄回転ヒンジ体（１３９）の遠位端のヒンジ湾曲体（１０７）の近位端への、および、雌ヒンジ体（１３４）の遠位端のヒンジ非湾曲体（１０８）の近位端への上記連結は、作動中に顎部アセンブリがピッチ軸（１８８）周りを回転できるように顎部アセンブリ（１０１）を拘束する。
【０１００】
上に詳述されるように、いくつかの実施形態では、ヒンジ湾曲体（１０７）の近位端は、従動プーリ（１３７）が周りで回転する支点（１２８）を備える。図１６Ａ−１６Ｂは、従動プーリ（１３７）の例示的な実施形態の複数の図を示す。ヒンジ湾曲体（１０７）およびヒンジ非湾曲体（１０８）の両方の近位端と、雄回転ヒンジ体（１３９）および雌ヒンジ体（１３４）の両方の遠位端と組み合わせて、従動プーリ（１３７）は、ピッチ軸（１８８）周りの顎部アセンブリ（１０１）の回転運動を提供するように構成される。加えて、従動プーリ（１３７）は、ケーブル（１８２）を第１の顎部（１０３）の作動ハブ（１８４）に配索するように構成される。
【０１０１】
図１６Ａに示されるように、いくつかの実施形態では、従動プーリ（１３７）は、従動ケーブル管路（１７８）を備える。従動ケーブル管路（１７８）は、ケーブル（１８２）を第１の顎部（１０３）の作動ハブ（１８４）に配索するように構成される。従動プーリ（１３７）は、ヒンジ湾曲体（１０７）の支点（１２８）が通過する開口部を備える。図１６Ａに示されるように、従動プーリ（１３７）の開口部の内面は、ベアリングレース（１７７）を備える。図１６Ｂに示されるように、従動プーリ（１３７）のベアリングレース（１７７）は、複数のボールベアリングセット（１０９）の１つが前記レース内に位置し、それに沿って載ることを可能にするように構成される。これらの実施形態において、ベアリングレース（１７７）内に位置するボールベアリングセット（１０９）は、従動プーリ（１３７）が、ピッチ軸（１８８）に沿った前記支点の周りで回転することを可能にするように、ヒンジ湾曲体（１０７）の支点（１２８）と接触する。代替的な実施形態において、ボールベアリングセット（１０９）は、スリーブベアリング、ブッシング、軸、および／または当該技術分野で既知の他の回転要素ベアリングと置き換えられる。
【０１０２】
いくつかの実施形態において、ヒンジ回転アセンブリ（１０２）は、回転プーリ体（１４０）も備える。上に詳述されるように、回転プーリ体（１４０）は、雄回転ヒンジ体（１３９）に嵌合および連結する。図１３Ａ−１３Ｄは、回転プーリ体（１４０）の例示的な実施形態の複数の図を示す。図１３Ａ−１３Ｄに示されるように、回転プーリ体（１４０）は、雄回転ヒンジ体（１３９）の近位端が前記開口部を通過することができるように、開口部を有する円柱形状であるように構成される。一実施形態では、回転プーリ体（１４０）は、遠位端および近位端を備え、上記遠位端は複数のねじ穴（１６８）を備え、ねじが雄回転ヒンジ体（１３９）の近位端から前記ねじ穴に入り、雄回転ヒンジ体（１３９）（図９Ｂ）に回転プーリ体（１４０）を連結するように構成される。加えて、上に詳述されるように、いくつかの実施形態では、回転プーリ体（１４０）の遠位端は、複数のピン接続開口部（１４４）（図１３Ｂ）を備える。これらの実施形態において、複数のピン接続開口部（１４４）は、ピンが回転プーリ体（１４０）の上記開口部内に入って位置し、ならびに、雄回転ヒンジ体（１３９）（図９Ｂ）の近位端上にあるピン接続開口部（１４４）内に位置するのを可能にするように構成される。これらの実施形態において、回転プーリ体（１４０）が雄回転ヒンジ体（１４０）に対して回転しないが、雌部回転体（１４１）（図１４Ａ）に対して回転することができるように、ピン接続は、雄回転ヒンジ体（１３９）に回転プーリ体（１４０）を固定する。他の実施形態では、回転プーリ体（１４０）および雄回転ヒンジ体は、１つのピースになるように作られる。
【０１０３】
加えて、いくつかの実施形態では、回転プーリ体（１４０）の遠位端は終端ノット空洞（１６７）（図１３Ｂ）を備える。リストアセンブリ（１００）の作動を妨げないように、終端ノット空洞（１６７）は、終端ケーブルのノットがその中に位置するのを可能にするように構成される。いくつかの実施形態において、回転ケーブル（図示せず）は、回転プーリ体（１４０）の外面上にあるケーブル入口穴（１６５）を通って配索される。これらの実施形態において、回転ケーブルは、リストアセンブリ（１００）に回転作動を提供するために利用される。いくつかの実施形態において、ロール軸（１９２）周りのリストアセンブリ（１００）の回転をもたらすために、２本の回転ケーブルが利用される。これらの実施形態において、１本の回転ケーブルを利用して、ロール軸（１９２）周りのリストアセンブリ（１００）の一方向の回転をもたらし、第２の回転ケーブルを利用して、ロール軸（１９２）周りのリストアセンブリ（１００）の反対方向の回転をもたらす。いくつかの実施形態において、回転ケーブルは、上記本体の左側の回転体（１４０）の近位端の外面上のケーブル入口穴（１６５）へと入り、回転プーリ体（１４０）の左側上の終端部位（１６６）で終端し、第２の回転ケーブルは、上記本体の右側の回転プーリ体（１４０）の遠位端の外面上のケーブル入口穴（１６５）に入り、回転プーリ体（１４０）の右側上にある終端ノット空洞（１６７）で終端する。上に詳述される終端技術を用いて回転ケーブルを終端する。
【０１０４】
いくつかの実施形態において、回転プーリ体（１４０）の近位端の内面は、磁石シート（１６４）を備え、磁石がそれに沿って位置し、静止することを可能にするように構成される（図１３Ａ）。上に詳述されるように、いくつかの実施形態では、回転プーリ体（１４０）の外面は、回転ベアリングレース（１６３）を備え、それは、複数のボールベアリングセット（１０９）の１つが前記ベアリングレース内に位置し、それに沿って載ることができるように構成される。これらの実施形態において、回転ベアリングレース（１６３）内に位置するボールベアリングセット（１０９）は、雌回転体（１４１）の遠位端の内面上にある雌回転ベアリングレース（１７２）内に位置し、それに沿って載る（図１４Ｃ）。これらの実施形態において、回転プーリ体（１４０）は、雌回転体（１４１）の遠位端内に部分的に位置し、回転ベアリングレース（１６３）はボールベアリングセット（１０９）のための内レースとして機能するように構成され、雌回転ベアリングレース（１７２）は前記ボールベアリングセットのための外レースとして機能するように構成され、回転プーリ体（１４０）と雌回転体（１４１）との間の連結をもたらす。これらの実施形態において、回転ベアリングレース（１６３）（図１３Ａ）および雌ベアリングレース（１７２）（図１４Ｃ）の両方は、リストアセンブリ（１００）がロール軸（１９２）の周りを回転する際に、軸方向および非軸方向の荷重および／または力を支持するために作られ、ならびに構成され、それにより、上記本体の両方が雌部回転体（１４１）に対して回転できるように、回転プーリ体（１４０）および雄回転ヒンジ体（１３９）を拘束する。
【０１０５】
図１４Ａ−１４Ｄは、雌回転体（１４１）の例示的な実施形態の複数の図を示す。上述のように、いくつかの実施形態では、雌回転体（１４１）は遠位端および近位端を備えるように作られ、その両端は外面ならびに内面を備える。上に詳述されるように、いくつかの実施形態では、雌回転体（１４１）の遠位端の内面は、雌回転ベアリングレース（１７２）を備える。加えて、いくつかの実施形態では、雌回転体（１４１）は、上に詳述されたベアリングレースの近位に位置するもう１つの雌回転ベアリングレースを備える（図１４Ｂ）。本実施形態において、ラジアルベアリング（図示せず）は、雌回転ベアリングレース（１７２）内に、および雄ヒンジ式回転体（１３９）の最近位端に位置する。
【０１０６】
さらに、いくつかの実施形態では、雌回転体（１４１）の遠位端は、複数のセンサーポケット（１６９）を備え、前記センサーポケットは、雌回転体（１４１）（図１４Ｃ）の内面に突出する。複数のセンサーポケット（１６９）は、上に詳述される雌ヒンジ体（１３４）のセンサーポケット（１５３）と同様に、ロール軸（１９２）の周りのリストアセンブリ（１００）の位置および／または配向を決定するためのセンサーを収容するように構成される。これらの実施形態において、ピッチ軸（１８８）の顎部アセンブリ（１０１）の位置および／または配向の決定のために上に詳述したのと同様の方法で、磁石を用いてリストアセンブリ（１００）の位置および／または配向を測定する。
【０１０７】
図１４Ｄに示されるように、いくつかの実施形態では、雌回転体（１４１）の遠位端の外面上に位置するのは、輪郭形成ケーブル経路（１７３）である。いくつかの実施形態において、雌回転体（１４１）は２つの輪郭形成ケーブル経路（１７３）を備え、１つの輪郭形成ケーブル経路が前記雌回転体の遠位端の両側にある。これらの実施形態において、輪郭形成ケーブル経路（１７３）は、雌回転体（１４１）から回転プーリ体（１４１）に回転ケーブルを配索するように構成される。いくつかの実施形態において、２本の回転ケーブルがロール軸（１９２）周りのリストアセンブリ（１００）の回転をもたらすために利用され、１本の回転ケーブルはロール軸（１９２）周りの一方向の回転をもたらすために使用され、もう１本の回転ケーブルはロール軸（１９２）周りの反対方向の回転をもたらすために使用される。
【０１０８】
上記のように、雌回転体（１４１）は近位端を有するように構成される。これらの実施形態において、近位端は、雌回転体（１４１）の遠位端から突出する複数の接続ボス（１７１）を備える。接続ボス（１７１）は、ロボットアームの残り部分にリストアセンブリ（１００）を嵌合するように構成される。図１４Ａに見られるように、いくつかの実施形態では、接続ボス（１７１）は複数の接続開口部（１７０）を備え、それは、ロボットアームの近位構造あるいはアクチュエーターにリストアセンブリを嵌合するように構成される。いくつかの実施形態において、ねじ接続は上記嵌合をもたらすために用いられるが、他の実施形態では、限定されないが、タップ接続、接着接合、溶接接続、および／または他のあらゆる方法または当該技術分野で既知の方法あるいは組み合わせを含む、固定および／または接続の様々な代替方法が利用される。
【０１０９】
図２６Ａ−２６Ｃは、他のリストアセンブリ（４００）の例示的な実施形態を示す。これらの実施形態において、アセンブリのベアリングレースおよびボールベアリングセットは排除され、プレーンベアリングセットアップは、顎部の軸周りの第１および第２の顎部の回転、ならびに、ピッチ軸周りの顎部アセンブリの回転を促進するために利用される。図２６Ｃは、リストアセンブリ（４００）の例示的な実施形態の分解立体図を示す。上に詳述される実施形態と同様に、リストアセンブリ（４００）は、顎部アセンブリ（４０１）（図３１）およびヒンジ回転アセンブリ（図２８Ａ−２８Ｂ）を有するように作られる。
【０１１０】
図３０Ａは、顎部アセンブリ（４０１）の例示的な実施形態を示す。図３０Ｂに示されるように、いくつかの実施形態では、顎部アセンブリ（４０１）は第１の顎部（４０３）、第２の顎部（４０４）、２つの本体（ヒンジ湾曲体（４０７）およびヒンジ非湾曲体（４０８））、４つの従動プーリ（４３７）、他の構成要素中の顎部ベアリングシャフト（４１０）、ならびにヒンジプーリシャフト（４０９）を備える。
【０１１１】
図３１Ａ−３１Ｄは、第１の顎部（４０３）の例示的な実施形態を示す。いくつかの実施形態において、第１の顎部（４０３）および第２の顎部（４０４）は対称的である。これらの実施形態において、第１の顎部および第２の顎部は両方とも、顎部の遠位端に動作セグメント（４８３）、ならびに、顎部の近位端に作動セグメント（またはハブ）（４８４）を備える。限定されないが、上に詳述される構成を含む、異なる実施形態において様々なタイプの表面を有するように構成されるという点で、第１の顎部および第２の顎部の動作セグメントは、第１の顎部の他の実施形態の動作セグメントに類似している。上述のように、いくつかの実施形態では、第１および第２の顎部の遠位端は、作動セグメント（４８４）を有するように構成される。これらの実施形態において、作動セグメントは、円筒形状であり、顎部ベアリングシャフト（４１０）が通過するための開口部を備える。これらの実施形態において、第１および第２の顎部は、顎部ベアリングシャフト（４１０）周りを回転し、それはプレーンベアリングとして構成される。顎部シャフトは、第１および第２の顎部を嵌合し、ならびに、顎部の軸を規定する。加えて、顎部シャフトはまた、ヒンジ湾曲体（４０７）およびヒンジ非湾曲体（４０８）を嵌合する。
【０１１２】
いくつかの実施形態において、第１および第２の顎部の両方の作動ハブの周囲上にあるのは、ケーブル管路（４１１）であり、これは、２本のケーブルを作動セグメント上の終端部位（４０５ａ）および（４０５ｂ）に配索するように構成される。いくつかの実施形態において、ケーブル（４８２）および（４９１）は配索されて第１の顎部上で終端し、ケーブル（４８５）および（４８１）は、配索されて第２の顎部上で終端する。他の実施形態では、ケーブル（４８２）および（４９１）は配索されて第２の顎部上で終端し、およびケーブル（４８５）および（４９１）は配索されて第１の顎部上で終端する。それぞれのケーブルは、各々の作動セグメントの管路を介して配索され、ここで、第１のケーブル経路（４２０ａ）に入って通過し、その後、第２のケーブル経路（４２０ｂ）を通って出て、前記ケーブルがその終端部位に配索される。これらの実施形態において、第１および第２の顎部の作動セグメントは、４つのケーブル経路（４２０ａ）、（４２０ｂ）、（４２０ｃ）、（４２０ｄ）を有するように作られ、そのうちの２つは、作動セグメント上で終端する２本のケーブルの各々のためのものである。いくつかの実施形態において、ケーブルは、止めねじを介して、それぞれのケーブルをその終端部位でしっかりと締めることによって終端する。あるいは、いくつかの実施形態では、当該技術分野で既知の他の適切な手段または技術が用いられる。例えば、ポリマーファイバーケーブルは、ケーブルにおいて作られたノットを介して終端することができ、金属繊維ケーブルは、クリンプ接続またはスエージ接続によって終端することができる。
【０１１３】
いくつかの実施形態では加えて、第１および第２の顎部の作動セグメントの両方は、磁石（４２１）が入ることができるように構成される磁石スロット（４５２）を備える。全体にわたって詳述されるように、軸周りでリストアセンブリを作動させる際に、前記リストアセンブリの構成要素の位置および配向データを得るために磁石が利用される。これらの実施形態において、第１および第２の顎部の磁石スロット（４５２）内に位置する磁石（４２１）は、前記顎部が顎部の軸の周りで回転する際に、第１および第２の顎部の位置および配向を得るために利用される。これらの実施形態において、磁石スロットは、顎部シャフトが通過することができるように貫通穴を有するように構成される。加えて、磁石スロット内に位置する磁石（４２１）はまた、顎部シャフトが通過することを可能にする貫通穴を有するように作られ、顎部シャフトの一方の端部はヒンジ湾曲体と嵌合し、顎部シャフトの他方の端部はヒンジ非湾曲体と嵌合する。
【０１１４】
上記のように、いくつかの実施形態では、顎部アセンブリ（４０１）は４つの従動プーリ（４３７）を含む。これらの実施形態では、従動プーリ（４３７）の各々は、それぞれの各ケーブルが終端する顎部のケーブル配索管路（４１１）に個々のケーブルを配索して方向づけるために利用される（図３１Ｃ−３１Ｄ）。従動プーリ（４３７）は、通過する際に通るプレーンベアリングとして構成されたヒンジプーリシャフト（４０９）のための開口部を含有する。これらの実施形態では、従動プーリは、ピッチ軸を規定するヒンジプーリシャフトの周りを回転し、それにより、顎部アセンブリが上記ピッチ軸の周りを回転することを可能にする。加えて、ヒンジプーリシャフトは、顎部アセンブリとヒンジ回転アセンブリとの間の嵌合部として働く。
【０１１５】
加えて、顎部（アセンブリ４０１）はヒンジ湾曲体（４０７）とヒンジ非湾曲体（４０８）を含んでいる。これらの実施形態では、上に詳述された実施形態に似て、ヒンジ湾曲体（４０７）とヒンジ非湾曲体（４０８）は、顎部アセンブリの他のコンポーネントに沿って、第１と第２の顎部のためのハウジングとして機能する。同様に、これらの実施形態では、ヒンジ湾曲体とヒンジ非湾曲体は、遠位端と近位端を有するように構築され、上記遠位端と近位端は両方とも内面と外面を有する。さらに、ヒンジ湾曲体とヒンジ非湾曲体は、その間にある接続部がシームレスのなるようにほぼ同じ構造を有するように作られ、湾曲体と非湾曲体の両方の外部プロフィールは互いに同一平面にある。図３２Ａ−３２Ｂは、ヒンジ湾曲体（４０７）の例示的な実施形態を示す。ヒンジ湾曲体の近位端は、顎部アセンブリをヒンジ回転アセンブリと連結および嵌合させるように利用され、ピッチ軸も規定する。
【０１１６】
図３２Ａ−３２Ｂで示される実施形態で見られるように、ヒンジ湾曲体の近位端の外側には、電気通信コンポーネントが入る湾曲ポケット（４２６）が位置している。加えて、湾曲ポケット（４２６）はプーリシャフトが通過する貫通穴を有するように構成される。ヒンジ湾曲体はさらに、ヒンジ湾曲体をヒンジ非湾曲体に接続するためのロックピン接続部（４０６）を有するように構成される。これらの実施形態では、ロックピンの１つの端部は、ヒンジ湾曲体上の接続スロットに入り、ロックピンのもう１つの端部はヒンジ非湾曲体状上の接続スロットに入り、こうして、ヒンジ湾曲体とヒンジ非湾曲体を嵌合させる。同様に、第２のロックピン接続部がヒンジ非湾曲体上で見られ、２つのロックピン接続部（４０６）は、ヒンジ湾曲体をヒンジ非湾曲体と嵌合させるだけでなく、ピッチ軸の周りの顎部アセンブリの回転を抑制する。加えて、ヒンジ湾曲体の近位端は、顎部アセンブリがその許容可能な可動域を超えて回転することのないように、ピッチ軸の周りの顎部アセンブリの回転を抑制するために、顎部ハードストップ面（４８７）を有するように構成される。
【０１１７】
上に言及されるように、ヒンジ湾曲体は内部と外面を有する遠位端をもつように作られる。１つの実施形態では、ヒンジ湾曲体の遠位端の内面は、円筒形状の作動セグメントポケット（４２２）を有するように作られ、第１の顎部の作動セグメントは上記ポケット内に収まるようになっている。作動セグメントポケット（４２２）は、作動セグメントのケーブル管路にケーブルをガイドするのを助けるためのケーブル配索面（４２３）を有するとともに、顎部ベアリングシャフトが通過する貫通穴を有するように作られているため、プレーンベアリングを効果的に作動させることができる。ヒンジ湾曲体の遠位端の外面には、追加の電気通信コンポーネントと、第１の顎部の位置と配向を得るためのセンサーとが入る第２の湾曲ポケットがある。いくつかの実施形態では、２つのセンサーが湾曲ポケット内で見られ、他の実施形態では、４つのセンサーが湾曲ポケット内で見られる。
【０１１８】
図３３Ａ−３３Ｂは、ヒンジ非湾曲体（４０８）の例示的な実施形態を示す。これらの実施形態では、ヒンジ非湾曲体は、近位端と遠位端を有するように作られ、両端とも内面と外面を有する。図３３Ｂで描かれているように、ヒンジ非湾曲体の遠位端の内面は、円筒形状の作動セグメントポケット（４２２）を有するように作られ、第２の顎部の作動セグメントは上記ポケット内に収まるようになっている。作動セグメントポケットは、作動セグメントのケーブル配索管路にケーブルをガイドするためにケーブル配索面（４２３）を有するように作られる。加えて、作動セグメントポケット（４２２）は、顎部ベアリングシャフトが通過する貫通穴を有するように作られているため、プレーンベアリングを効果的に作動させることができる。ヒンジ非湾曲体の遠位端の外面には、電気通信コンポーネントと、第２の顎部の位置と配向を得るためのセンサーとが入る第２の湾曲ポケットがある。いくつかの実施形態では、２つのセンサーが湾曲ポケット内で見られ、他の実施形態では、４つのセンサーが湾曲ポケット（４２６）内で見られる。これらの実施形態では、ヒンジ非湾曲体の近位端は、顎部がその許容可能な可動域を顎部の軸の周りで作動することを防ぐために、顎部の軸ハードストップ（４８７）を含む。さらに、近位端はヒンジ湾曲体について上で詳述されたものと同一のロックピン接続部（４０６）を含む。さらに、ヒンジ非湾曲体の近位端の外面は、ピッチハードストップ（４８８）を含み、これは、顎部アセンブリ（４０１）がその許容可能な可動域を超えてピッチ軸の周りで作動することを防ぐように構成される。
【０１１９】
上述のように、リストアセンブリはさらにヒンジ回転アセンブリ（４０２）を含む。図２７Ａ−２７Ｂは、ヒンジ回転アセンブリ（４０２）の例示的な実施形態を示す。いくつかの実施形態では、ヒンジ回転アセンブリ（４０２）は、ヒンジカバー（４３４）、ヒンジ回転体（４３９）、および回転プーリ体（４４０）を有するように作られる。これらの実施形態では、ヒンジ回転体（４３９）は、上で詳述された雄ヒンジ回転体（１３）と同じ機能を行う。図２８Ａ−２８Ｂは、ヒンジ回転体（４３９）の例示的な実施形態を示す。これらの実施形態では、上に詳述された雄ヒンジ回転体に似て、ヒンジ回転体（４３９）は、内面と外面と同様に、遠位端と近位端を有する。図２８Ａで見られるように、いくつかの実施形態において、ヒンジ回転体の遠位端の内部には、磁石（４９０）（図２６Ｃ）が入る磁石ポケット（４５３）がある。これらの実施形態では、ヒンジ回転体の磁石ポケット（４５３）に置かれる磁石（４９０）は、顎部アセンブリがピッチ軸の周りを回転する際に、顎部アセンブリの位置と配向のデータを得るために利用される。これらの実施形態では、磁石ポケットは、ヒンジプーリシャフトが入る貫通穴を有するように構成されているため、プレーンベアリングを形成する。加えて、これらの実施形態において、ヒンジ回転体の遠位端の内部には貫通穴（４４９）が位置し、これらはすべて、ねじが入るように構成され、したがって、ヒンジカバー（４３４）をヒンジ回転体（４３９）に嵌合および連結させるように構成される。いくつかの実施形態では、遠位端の内部は、顎部アセンブリ上のそれぞれの位置へケーブルをガイドするための湾曲した表面を有するように作られる。いくつかの実施形態では、ヒンジ回転体の遠位端の外面には、電気通信コンポーネントが入る湾曲ポケット（４２６）が位置している。
【０１２０】
これらの実施形態では、ヒンジ回転体の近位端は、雄ヒンジ回転体について上で詳述されたものに似ているケーブル管路（４４２）を有するように構成される。上に詳述されるように、リストアセンブリがロール軸の周りを回転する際に、ケーブルが互いにもつれることのないように、ケーブル管路（４４２）は顎部アセンブリへケーブルを配索するように利用される。図２８Ａで見られるように、いくつかの実施形態において、ケーブル管路（４４２）の内面には、湾曲ガイド面（４４５）が位置している。これらの実施形態では、湾曲ガイド面（４４５）は、電気通信コンポーネントがリストアセンブリの作動中に破損されることのないよう表面に対して水平に位置するように、水平に構成される。これらの実施形態では、電気通信コンポーネントは、ヒンジ回転体の遠位端の外部に位置する湾曲ポケットに対してフレックスガイド表面上で配索される。その後、電気通信コンポーネントはヒンジ回転体の内面に配索され、それはヒンジカバー（４３４）に配索される。図２９Ａ−２９Ｃは、ヒンジカバー（４３４）の例示的な実施形態を示す。ヒンジカバーは、ヒンジ回転アセンブリのコンポーネントのためのハウジングとして働き、同様に、ヒンジ回転アセンブリから顎部アセンブリまで電子通信コンポーネントを配索するために使用されるという点で、上に詳述された雌ヒンジ体（１３４）と類似している。図２９Ｂ−２９Ｃで示されるように、ヒンジカバーの内部には、電気通信コンポーネントが顎部アセンブリに配索されるためのポケットを作成する配索突起部（４５５）がある。加えて、いくつかの実施形態では、ヒンジカバー（４３４）の内面は、ヒンジ回転体からのネジが入る接続開口部（４４４）を含み、それによって、ヒンジカバーをヒンジ回転体に連結する。加えて、ヒンジカバーの遠位端には、ヒンジプーリシャフトが入る貫通穴がある。
【０１２１】
上に言及されるように、ヒンジ回転アセンブリ（４０２）は回転プーリ体（４４０）も含む。これらの実施形態では、回転プーリ体（４４０）は上に詳述された回転プーリ体（１４０）と同一である。回転プーリ体（１４０）でのように、回転プーリ体（４４０）は、ロール軸の周りでのリストアセンブリの回転を与えるために利用される。
【０１２２】
リストアセンブリの作動、制御、および感知
以前に述べられたように、特定の実施形態では、リストアセンブリは、参照により本明細書に全体として組み込まれている国際特許出願ＰＣＴ／ＵＳ２０１５／０２９２４７（国際公開第ＷＯ２０１５１７１６１４Ａ１として公開）で開示されたＶｉｒｔｕａｌ  Ｒｅａｌｉｔｙ  Ｓｕｒｇｉｃａｌ  Ｄｅｖｉｃｅとともに組み込まれて利用されるように製作および設計されている。これらの実施形態では、リストアセンブリは、国際特許出願第ＰＣＴ／ＵＳ２０１５／０２９２４７開示されたロボットデバイスを制御するユーザー（典型的には外科医）の動作に基づいて作動される。これらの実施形態では、外科医あるいはユーザーの腕の動きは、センサートラッキングシステムによって追跡される。１つの実施形態では、多くのセンサーが外科医の腕に取り付けられる。１つの実施形態では、利用されたセンサーはＭＰＵ−６０５０センサーであり、これは、センサーの配向を計算するために、ＭＥＭＳジャイロスコープ、加速度計、およびデジタルモーションプロセッサーを含んでいる。いくつかの実施形態では、センサーは、ユーザーの右と左の人差し指、あるいは他の指、手の甲（ｈａｎｄ  ｄｏｒｓｕｍ）、および前腕に取り付けられる。さらなる実施形態では、追加のセンサーがユーザーの肘上の、上腕を含む異なる位置のユーザー／外科医の腕に取り付けられ、その一方で、他の実施形態では、センサーは、限定されないが、ユーザーの胸、胴体、あるいは頭を含む、ユーザーの身体に置かれる。いくつかの実施形態では、センサー筐体は、マイクロコントローラ、バッテリー、およびブルートゥース（登録商標）モジュールを含む。ユーザーの腕の遠位のセンサーからの位置と配向のデータは、ワイヤーに沿って１２Ｃプロトコルを使用して集められ、コンピューターに送信される。ユーザーの腕に取り付けられたセンサーからのデータによって、コンピューターは、ユーザーの腕の各部分の位置と配向を計算することができる。他の実施形態において、それぞれの加速度計、ジャイロスコープ、およびモーションプロセッサーユニットを備える、ＭＥＭＥＳ磁力計の追加。ＭＰＵ−９２５０などのＭＥＭＳチップは、単一のパッケージで上記のすべてを提供する。磁針路（ｍａｇｎｅｔｉｃ  ｈｅａｄｉｎｇ）が垂直軸の周りでのセンサーのドリフトを減らすことを可能にすることから、磁力計の追加は当該分野では標準的な実践である。代替的な実施形態では、センサーは、外科医によって着用される手袋、手術着、あるいは手術衣などの外科的材料に置かれる。これらのセンサーは再使用可能なこともあれば、使い捨てであることもある。
【０１２３】
上で示唆されるように、追加の実施形態では、追加のセンサーは外科医の腕および身体の位置を追跡するために使用される。これらの実施形態では、Ｘｂｏｘ  Ｋｉｎｅｃｔ（登録商標）のセンサーに似ているセンサーは、ユーザーの腕の絶対的な位置のトラッキングと、互いに対する腕の位置のトラッキングを可能にする。いくつかの実施形態では、これらの追加のセンサーは外科医の身体で着用され、その一方で他の実施形態では、センサーは部屋の固定された位置に配置される。
【０１２４】
またさらなる実施形態では、センサーはユーザーによって保持されたハンドコントローラーで見られる。これらの実施形態では、センサーは、ユーザーの手の動きでロボットデバイスを制御するために使用される。これらの実施形態では、センサートラッキングシステムは、センサーからのデータを、モニタリングし、記録し、および、制御ループを含むコンピューターに送信し、上記制御ループは、リストアセンブリを含むロボットデバイスを制御するアクチュエーターを駆動する。１つの実施形態において、磁気トラッキングは、ユーザーの位置と配向のデータを得るために使用される。いくつかの実施形態において、Ｐｏｌｈｅｍｕｓ（登録商標）および／またはＮｏｒｔｈｅｒｎ  Ｄｉｇｉｔａｌ  Ｉｎｃ．（登録商標）などの会社からの既知の磁気トラッキングおよびセンサーシステムが利用されており、その一方で、他の実施形態において、市販されている、および、当該分野で知られている他の既知の磁気トラッキングおよびセンサーが使用される。加えて、いくつかの実施形態では、前述の磁気トラッキングおよびセンサーシステムは、ユーザーの腕および身体を追跡するために利用される。
【０１２５】
１つの実施形態では、磁気トランスミッターまたはソースは手術室内にあり、電磁双極子場を送信する基底基準（ｇｒｏｕｎｄ  ｒｅｆｅｒｅｎｃｅ）として作用する。磁気トランスミッターは、磁界を生成してセンサーからの位置と配向のデータを計算する電子制御装置に接続される。ユーザーはセンサーを着用しており、胸または頭などのユーザーの身体の任意の部分に置かれ得る。ユーザーによって着用されたセンサーは、トランスミッターから電子磁界を受け取り、電子制御装置へ電流を送り、トランスミッターに対するセンサーの位置と配向に関するデータを提供する。その後、電子制御装置から得られた生の位置と配向のデータは、電子制御装置に接続された中央のコンピューターに送信され、そこで、データはユーザーの身体の位置と配向を計算するソフトウェアによって処理される。加えて、ハンドコントローラーに位置するセンサーはさらに、電子制御装置に動作可能に連結され、上記センサーはトランスミッターから電磁場を受け取り、センサーから電子制御装置へ電流を送り、トランスミッターに対してコントローラーの位置と配向に関するデータを提供する。コントローラーのセンサーからのデータは、ユーザーによって着用されたセンサーについて上に記述された同じプロセスを経る。ユーザーによって着用されたセンサーからのデータとコントローラーのセンサーからのデータによって、中央のコンピューターは、ユーザーの身体に関してコントローラーの位置と配向を推測することができ、ゆえに、ユーザーの手の位置と配向を与える。コンピューターによって推測された位置と配向のデータは、ロボットアームのアクチュエーターを駆動する制御ループに送られ、ユーザーが自分の腕を動かす際に、ロボットアームはその動きに従ってそれを模倣して、ユーザーがロボットアームを制御および操作することができるようにする。
【０１２６】
さらに他の実施形態では、ユーザーの腕と身体および／またはコントローラーは、光トラッキングシステムを利用して追跡される。いくつかの実施形態では、多くのカメラが様々な位置で手術室／劇場に戦略的に置かれ、その一方で、他の実施形態では、１つのカメラが使用される。カメラの各々は、レンズの前の赤外線（ＩＲ）パスフィルタと、ＩＲ光で測定空間を規則的に照らすレンズのまわりの複数とＩＲ  ＬＥＤを含む。コントローラーおよび／またはユーザーの腕および身体には、入って来るＩＲ光をカメラに反射し戻す逆反射マーカーが置かれる。カメラは、マーカーからのＩＲ反射を検知し、光トラッキングシステムによって内部で処理される。これらの実施形態では、アウトサイドインのトラッキング（ｏｕｔｓｉｄｅ−ｉｎ  ｔｒａｃｋｉｎｇ）は、ユーザーとコントローラーの位置と配向を決定するために使用される。光トラッキングシステムは、画像座標中のマーカーの２次元の位置を決定し、複数のカメラを利用することによって、各マーカーの３次元位置を導き出すことができる。３次元の位置は、測定空間で１つのマーカーを使用して測定可能である。加えて、コントローラーおよび／またはユーザーの腕と身体の配向は、複数のカメラを利用することによって、および、複数の物体を同時に追跡することを可能にすることによって、測定され得る。これを達成するために、多くのカメラが手術室の周囲に配置され、多くのマーカーが、他のアイテムの中でもコントローラー、ユーザーの腕と身体などの追跡される各物体に配置される。他の実施形態では、インサイドアウトのトラッキングが使用され、逆反射マーカーあるいは灯標（ｌｉｇｈｔｈｏｕｓｅ）が手術室および／または、手術室で見られる機器を含む他の物体の周囲の静止した位置に配置される。これらの実施形態では、カメラはユーザーの腕と身体および／またはハンドコントローラーに取り付けられ、上記カメラはＩＲ光を放ち、逆反射マーカーはユーザーの腕と身体および／またはハンドコントローラーに位置するカメラに光を反射し戻し、こうして、ユーザーの腕の位置と配向を導き出すために使用することができる位置と配向の座標を提供する。
【０１２７】
代替的な実施形態では、限定されないが、音響トラッキングおよびマーカーのない光トラッキングを含む、位置および配向トラッキングの他の手段と方法が企図される。さらに、いくつかの実施形態では、上記の詳細なトラッキングシステムおよび方法の組み合わせは、ユーザーの身体と腕と同様に、ハンドコントローラーの位置と配向を得るために使用される。これらの実施形態では、センサーフュージョンは、各種データは様々なセンサーとトラッキングシステムから得られ、上記データは、正確な位置と配向の情報を算出するために、個々のセンサーのいずれかのいかなる血管も修正するためにコンピューター上のソフトウェアによって処理される。
【０１２８】
上で詳述されるように、リストアセンブリは、リストアセンブリが連結されるロボットデバイスを駆動させるユーザーの手首の動作と運動に従うように作られる。リストアセンブリの様々な実施形態において、リストアセンブリを作動させるために様々な制御方法およびシステムが使用される。これは、異なるコンポーネントを有するリストアセンブリと異なるように配索されるケーブルの様々な実施形態によるものである。
【０１２９】
ユーザーの腕、身体、および／またはコントローラーを追跡する性能によって、コンピューター内の制御ループは、リストアセンブリを含むロボットデバイスを制御するアクチュエーターを駆動する。これらの実施形態では、ユーザーの手首の平行移動は、リストアセンブリが人間の手首および／またはユーザーによって保持されたコントローラーの位置に従うように、スケールダウンされる。手首の移動は、ユーザーの手首とリストアセンブリとの間のサイズの差によってスケールダウンされる。加えて、例えば、ユーザーが手首を９０度回転させるときに、リストアセンブリは適切な軸の周りで９０度を回転するように、リストアセンブリは、作動中にユーザーの手首の配向に従うように構成される。リストアセンブリの制御スキームがさらに以下に詳述される。
【０１３０】
リストアセンブリは４自由度（ＤＯＦ）を有する集合体を外科医に提供するように構成され、それにより、外科医は人間の腕の手首運動をエミュレートすることができる。さらに、上で詳述されるように、いくつかの実施形態では、リストアセンブリはケーブル駆動である。いくつかの実施形態において、３ＤＯＦを得るために４つのケーブルが利用され、４ＤＯＦを得るために追加の２つのケーブルが利用される。代替的な実施形態では、２ＤＯＦを得るために３つのケーブルが利用され、残りの２ＤＯＦは２つのケーブル各々によって制御される。
【０１３１】
いくつかの実施形態において、３ＤＯＦは、４つのケーブルの長さを調節することによって、特定のケーブルを引き込み、そのケーブルの長さを減らすか、特定のケーブルを引き出し、そのケーブルの長さを増やすことによって得られる。特定のケーブルを引き込み、あるいは、引き出すことは、所望の動きに依存して、他のケーブルの１以上で引き込まれたあるいは引き出された量を補正し、相殺し、および／または平衡させる。さらに以下に詳述されるように、様々な制御方法が様々な実施形態で使用される。
【０１３２】
上記のように、１つの実施形態において、リストアセンブリ（１００）の回転および／または作動は、ケーブル（１８１、１８２、１８５、および１９１）の各々を引き込むこと、および、引き出すことによって達成される。前述のケーブルの引き込みおよび／または引き出し、ゆえに、ケーブルの長さの変化あるいは未変化は、顎部の軸（１８９）の周りの第１の顎部（１０３）および第２の顎部（１０４）の回転と、ピッチ軸（１８８）の周りの顎部アセンブリ（１０１）の回転を制御する。
【０１３３】
上記のように、リストアセンブリ（１００）は、２つの独立して動く顎部の形態で２ＤＯＦ、つまり、軸の周りでピッチングする顎部アセンブリの形態の１ＤＯＦと、軸の周りで回転するアセンブリの形態のさらなるＤＯＦとを提供するように、構成される。加えて、第１と第２の顎部が互いに独立して動くように構成されているため、リストアセンブリ（１００）は、所望の量まで増加および／または減少可能な把持力をかけることができる顎部を提供し、そうすることで、外科医は繊細な作業だけでなく骨の折れる作業をこなすことができる。さらに、第１と第２の顎部が互いに独立して動くように構成されているため、上記顎部は同時に同じ方向に作動可能であり、上記作動により顎部のヨー回転が達成される。
【０１３４】
図１９Ａ−１９Ｄは、リストアセンブリ（１００）の例示的な実施形態についての複数の図を示し、リストアセンブリ（１００）を介するケーブル（１８１、１８２、１８５、および１９１）の配索を強調している。図１９Ａは、雌ヒンジ体またはヒンジカバー１３４のケーブル配索スロットを通るケーブル（１８１）の配索を強調している、例示的なリストアセンブリ（１００）の平面プロフィール図を示す。図１９Ｂは、ケーブル（１８２）とケーブル（１９１）の配索を強調するために、雌ヒンジ体を取り除いた、リストアセンブリ（１００）の切断図を示す。図１９Ｂで見られるように、ケーブル（１８２と１９１）は、雄回転ヒンジ体あるいはヒンジ回転体（１３９）の内側表面を介して配索される。図１９Ｃは、雄回転ヒンジ体または回転体（１３９）のケーブル配索スロットを通るケーブル（１８５）の配索を強調している、リストアセンブリ（１００）のさらなる平面プロフィール図を示す。図１９Ｄは、ケーブル（１８２）と（１９１）の配索を強調するために、雄回転ヒンジ体を取り除いた、リストアセンブリ（１００）の切断図を示す。
【０１３５】
いくつかの実施形態において、第２の顎部（１０４）は、第１と第２の方向に顎部の軸（１８９）（図１８）の周りを回転するように構成され、上記回転は第１の顎部（１０３）から独立している。これらの実施形態では、第２の顎部（１０４）は、第１の位置と第２の位置との間を移動するように構成され、上記位置は、限定されないが、開位置と閉位置を含む。一実施形態では、第２の顎部（１０４）は第１の方向に作動され、上記方法は、限定されないが、第１の顎部（１０３）へ向かう第２の顎部（１０４）の回転を含む。図２１Ｂは、一実施形態にしたがって第２の顎部（１０４）にケーブルがどのように配索されるのかを強調して、例示的なケーブル配索図である。上に詳述されるように、および、図１９Ｂで図示されるように、一実施形態では、ケーブル（１８１）は、ヒンジ回転アセンブリと顎部アセンブリを介して、ケーブル（１８１）が終端する第２の顎部（１０４）に位置するケーブル終端部位（１０５ａ）へと配索される。第１の方向に第２の顎部（１０４）を作動させるために、ケーブル（１８１）は、アクチュエーターによって引き込められ、第２の顎部（１０４）を第１の方向に顎部の軸（１８９）の周りに回転させる。第２の顎部（１０４）が回転し始めるにつれ、ケーブル（１８２）の緩みが引き出され、それにより、ケーブル（１８２）の操作長さが増大する。ケーブルの操作長さは、ケーブル（１８２）の経路によって画定されるような、接続ピン（１２２ａ）と第２の顎部（１０４）との間の距離である。ケーブル（１８２）の操作長さの増加および／または減少は、他の顎部に対する第１および第２の方向のいずれかへのある顎部の移動を生じさせる。第２の顎部（１０４）の作動ハブ（１８０）のベアリングレース（１１６ａ）に位置し、かつ、ヒンジ湾曲体（１０７）のベアリングレース（１２７）上にもあるボールベアリングセット（１０９）は、第２の顎部（１０４）が顎部の軸（１８９）の周りを回転することを可能にする。ケーブル（１８１）が第２の顎部（１０４）に位置する終端部位（１０５ａ）で終端するため、アクチュエーターによるケーブル（１８１）の引き込みは、第２の顎部（１０４）に伝達され、その結果、前記顎部は顎部の軸（１８９）の周りに第１の方向に回転することになる。上記のシナリオにおいて、第１の顎部（１０３）の位置を固定することが望ましい場合、第１の顎部（１０３）が移動するのを防ぐために、ケーブル（１８５と１９１）の長さは一定に保たれる。しかしながら、他のシナリオでは、ケーブル（１８５と１９１）の長さは長くされるか短くされ、そうすることで、第１の顎部（１０３）を第１または第２の方向に回転させ、その間、第２の顎部（１０４）も回転する。
【０１３６】
上記のように、第２の顎部（１０４）は、同様に第２の方向に作動するように構成され、第２の方向は第１の方向の反対側である。第２の方向に第２の顎部（１０４）を作動させるために、ケーブル（１８２）は引き込まれ、その結果、ケーブル（１８２）の操作長さは減少する。図２１Ｃで見られるように、ケーブル（１８２）は接続ピン（１２２ａ）の周りに配索され、第２の顎部（１０４）で終端する。このシナリオでは、ケーブル（１８２）が引き込まれると、上記ケーブルの操作長さは減少し、したがって、第２の顎部（１０４）は、接続ピン（１２２ａ）に対して、ゆえに、第１の顎部（１０３）に対して第２の方向に回転する。ケーブル（１８２）が引き込まれると、ケーブル（１８１）からの緩みが解放され、それにより、第２の顎部（１０４）は接続ピン（１２２ａ）に対して、したがって第１の顎部（１０３）に対して、第２の方向に回転することができる。さらに、ケーブル（１９１）の長さは、ピッチ軸（１８８）の周りのいかなる望ましくない動きも防ぐために一定に保持される。加えて、ケーブル（１８５）の長さは、第１の顎部（１０３）を固定された位置に抑制するために一定に保持され、それにより、第２の顎部（１０４）は第１の顎部（１０３）とは無関係に第２の方向に動くことができる。
【０１３７】
同様に、第１の顎部（１０３）は、顎部の軸（１８９）の周りで第１と第２の方向に独立して動くようにも構成される。上記顎部が第１の方角に顎部の軸（１８９）の周りで回転するように第１の顎部（１０３）を作動させるために、ケーブル（１８５）はアクチュエーターによって引き込まれ、その結果、第１の顎部（１０３）を回転させ始める。第１の顎部（１０３）が第１の方向に回転し始めると、ケーブル（１８２）からの緩みが解放され、それにより、ケーブル（１８２）の操作長さが増大する。ケーブル（１８２）がリストアセンブリ（１００）を通過すると、それは、他のジョイントおよび／またはケーブルのケーブル（１８２）の動作の適切な分離を可能にするように構成された分離面（１９５および１９４）を超えて配索される。さらに、この動作の分離は、ケーブル（１８２）がリストアセンブリ（１００）の残りに対して力を与えることを防ぐ。ケーブル（１８２）がその周囲におよび／またはその中を通って配索される表面は、上記ケーブルの長さの変化を減少させるように構成されるが、長さの変化を完全には取り除くことはできない。どんな望まれない長さの変化も、センサーおよび制御アルゴリズムによって修正される。第１の顎部（１０３）の作動ハブ（１８４）のベアリングレース（１１６ｂ）だけでなく、ヒンジ非湾曲体（１０８）のベアリングレース（１２７）上にもあるボールベアリングセット（１０９）は、第１の顎部（１０３）が顎部の軸（１８９）の周りを回転することを可能にする。ケーブル（１８５）が第１の顎部（１０３）に位置する終端部位（１０５ｂ）で終端するため、アクチュエーターによるケーブル（１８５）の引き込みは、第１の方向への前記顎部の顎部の軸（１８９）の周りの回転を引き起こすことになる。第１の顎部（１０３）を独立して移動させるために、ケーブル（１９１と１８１）は一定に保持される。
【０１３８】
第１の顎部（１０３）も第２の顎部（１０４）とは無関係に、第２の方向に顎部の軸（１８９）の周りを回転するように構成され、上記第２の方向は第１の方向の反対側である。第２の方向に顎部の軸（１８９）の周りで第１の顎部（１０３）を回転させるために、ケーブル（１８２）は、それが連結されているアクチュエーターによって引き込まれる。ケーブル（１８２）の操作長さは減少し、その結果、第１の顎部（１０３）は第２の顎部（１０４）に対して第２の方向に回転する。加えて、第２の方向に第１の顎部（１０３）を回転させるために、ケーブル（１８１）は、上記ケーブルの伸長を防ぐべく一定に保持される。ケーブル（１８１）の伸長を防ぐことにより、第２の顎部（１０４）が第２の方向に顎部の軸（１８９）の周りで回転するのを防ぐ。さらに、第１の顎部（１０３）が第２の方向に顎部の軸（１８９）の周りで回転すると、緩みがケーブル（１８５）から解放され、第１の顎部（１０３）が第２の方向を回転することが可能となり、ケーブル（１９１）は、ピッチ軸（１８８）の周りでの顎部アセンブリ（１０１）のいかなる望ましくない動作も防ぐために一定に保持される。
【０１３９】
それに相応して、第１と第２の顎部は独立して動くように構成されているため、上記構成は、顎部が第１および／または第２の方向に一緒に顎部の軸（１８９）の周りを回転するように、同時に作動され得る。この作動は、顎部のヨー動作を有効にする。第１と第２の顎部を顎部の軸（１８９）周りで回転させつつ、その間、両方の顎部を互いに対して一定の位置に維持するために、ケーブル（１８２）は一定に保持され、ゆえに、長さには変化がない。ケーブル（１８２）が一定の長さであるため、ケーブル（１８１）は引っ張られ、ケーブル（１８５）からの緩みは同じ量引き出され、ケーブルの長さの変化は、互いに相殺され、したがって、第１の方向に顎部を回転させる。第２の方向に顎部を回転させるために、ケーブル（１８５）は引き込まれ、ケーブル（１８１）からの緩みは引き出され、ケーブルの長さの変化は互いに相殺される。例えば、顎部が図１８で示される同じ位置に置かれると、外科医が顎部を第１の方向に顎部の軸（１８９）の周りで回転させたい場合（上記第１の方向はこのページの上部に向かう顎部の回転である）、ケーブル（１８１）は引き込まれることになり、ケーブル（１８１）上で引き込まれた同じ量がケーブル（１８５）上で引き出されることになる。同様に、上記の例を取ると、外科医が第２の方向に顎部を回転させたい場合（上記第２の方向はこのページの下部に向かう顎部の回転である）、ケーブル（１８５）は引き込まれることになり、ケーブル（１８５）上で引き込まれた同じ量がケーブル（１８１）上で引き出されることになる。
【０１４０】
さらに、第１と第２の顎部が互いに独立して動くように構成されているため、上記構成により、外科医は顎部で力をかけることができ、上記力は可変であり、したがって、外科医は顎部によって加えられた力の量を制御することができる。顎部によってかけられている力の量を制御する能力によって、外科医は、外科用器具またはツールを把持するのと同様に、組織の操作などの無数の作業を終えることができる。顎部によってかけられている力の量は、ケーブル（１８１と１８５）で引き込まれたあるいは引き出された長さ量によって決定される。顎部で力を加えるために、ケーブル（１８２）の緩みは解放され、ケーブル（１８２）はピン接続部（１２２ａ）のまわりに巻き付けられる。ケーブル（１８１）は第２の顎部（１０４）を第１の顎部（１０３）に近づかせる際に引かれ、その間、ケーブル（１８５）で同時に引き込まれ、第１の顎部を第２の顎部（１０４）に近づかせる。第１と第２の顎部が物体を把持している状態では、ケーブル（１８１）および／または（１８５）でさらに被極まれることにより、追加の力が顎部によって加えられ得る。同様に、顎部によってかけられている力を減少させるために、ケーブル（１８１）および／または（１８５）で緩みが引き出される。
【０１４１】
上記のように、リストアセンブリ（１００）は、顎部アセンブリ（１０１）を、第１と第２の方向にピッチ軸（１８８）の周りで回転させるように構成される。ピッチ軸（１８８）の周りで顎部アセンブリ（１０１）を回転させるために、ケーブルの組み合わせが引き込まれ、および／または、引き出され、各々のケーブルで引き込まれるおよび／または引き出される量は、異なるケーブルで引き込まれるまたは引き出される量を相殺するために変動する。一実施形態では、第１の方向にピッチ軸（１８８）周りに顎部アセンブリ（１０１）を回転させるために、ケーブル（１８５）とケーブル（１８１）の長さは一定に保持される。前述のケーブルの長さを一定に保持することで、顎部を一定の位置に維持し、センサーは上記の顎部のあらゆる望ましくない動きを相殺するために使用される。加えて、ケーブル（１９１）は引き込まれるため、ケーブル（１９１）の長さを短くする。上に詳述されるように、ケーブル（１９１）はヒンジ回転アセンブリ（１０２）を通って配索され、ヒンジ非湾曲体（１０８）の近位端に位置するケーブル終端部位（１３１）で終端する。ケーブル（１９１）の長さの減少は、ケーブル終端部位（１３１）で、ヒンジ非湾曲体（１０８）に力を与え、上記力が第１の方向にピッチ軸（１８８）周りに顎部アセンブリ（１０１）を回転させる。ケーブル（１９１）の長さが減少するにつれ、ケーブル（１８２）の長さは長くなり、従動プーリ（１３７）のまわりに巻き付く。したがって、ケーブル（１９１と１８２）は、外科医の選択時に、顎部アセンブリ（１０１）を第１の方向にピッチ軸（１８８）の周りで回転させるように一緒に作用する。第２の方向へのピッチ軸（１８８）の周りの顎部アセンブリ（１０１）の回転（第２の方向は第１の方向の反対側である）は、ケーブルの組み合わせで引き込まれ、および／または引き出されることにより達成され、ケーブルでの上記引き込みおよび／または引き出しは、他のケーブルでの引き込みおよび／または引き出しを相殺する。一実施形態では、ケーブル（１９１）の緩みは解放され、ケーブル（１９１）の長さが増える。ケーブル（１９１）の長さが増えると、ケーブル（１８２）は引っ張られ、ケーブル（１８２）の長さは短くなる。ケーブル（１８２）の長さが減ると、従動プーリ（１３７）から巻き出され、その結果、第２の方向へ顎部アセンブリを回転させる。
【０１４２】
他の実施形態では、ケーブル（１８１、１８２、および１８５）はヒンジ回転体を通り、追加のケーブルはヒンジ湾曲体で終端する。これらの実施形態では、追加のケーブルは、第１と第２のピッチ方向にピッチ軸の周りの顎部アセンブリの回転を制御するために、ケーブル（１９１）と協働して機能する。代替的な実施形態では、ケーブル（１８１、１８２、および１８５）は、第１と第２のピッチ方向にピッチ軸の周りの顎部アセンブリの回転を制御するために、ケーブル（１９１）に対向して使用される。これらの実施形態では、ケーブル（１９１）に対向して使用されない残りのケーブルは、ジョイント周りの追加のトルクを与えることなくヒンジ回転アセンブリを通過する非対向ケーブルである。これらの実施形態では、第１のピッチ方向は１つの方向のピッチ軸周りの回転であり、第２のピッチ方向は第１の方向の反対方向におけるピッチ軸周りの回転である。
【０１４３】
上記のように、様々な実施形態では、リストアセンブリは、それが軸の周りを回転する際に上記アセンブリの位置と配向のデータを得るために使用される磁石を備える。これらの実施形態では、磁石は、磁石がその円筒軸の周りを回転する際にその磁場が変化するように、径方向に磁化される。これらの実施形態では、磁場の変化はセンサーによって測定され、上記センサーは、磁場の変化を回転位置データに変換するプロセッサーに、データを送信する。この変換は、磁石とセンサーの物理的な構成についての知識によってなされる。いくつかの実施形態において、複数のセンサーは、径方向に磁化された磁石のまわりで互いに直角に置かれる。径方向に磁化された磁石が磁場を回転させると、それはセンサーに対する変化を生じさせる。磁場の変化はＰＣＢまたはＦＰＣＢＳなどの電気通信コンポーネントによってコンピューターに送信される。コンピューターは、磁場の変化に関する磁石から得られたデータを取り、それを回転度に変換する。簡易な三角法を使用すると、２つの直角に置かれたセンサーの組み合わせは、センサー間の相対的な強度を比較することによって磁場の方向を決定することができる。この計算により、径方向に磁化された磁石の配向と、さらに言えば、リストアセンブリが軸の周りで作動する際のリストアセンブリの配向が得られる。本実施形態では、追加のセンサーが余剰に置かれるが、絶対配向計算に必要とされるセンサーの総数は、磁石とセンサーの選ばれた構成に依存する。
【０１４４】
いくつかの実施形態において、磁石は円筒形の磁石として構成され、その一方で、他の実施形態では、馬蹄形磁石、円盤磁石、球体磁石、および／または、当技術分野において知られている他の磁石形状として構成される。様々な実施形態では、限定されないが、ホール効果センサーおよび／または磁気抵抗器を含む、磁場を感知することができる当該技術分野で既知の様々なセンサーが使用可能である。
【０１４５】
上に詳述されたセンサーは、中央のコンピューターに、位置と配向のデータを連続的に送信し、このコンピューターは、リストアセンブリの任意の望ましくない動作を修正するために、加えられている力、あるいは、ケーブルの位置を調節するべく、リストアセンブリのアクチュエーターにコマンドプロンプトを送る。リストアセンブリの作動制御
【０１４６】
上記のように、センサーはピッチ軸、顎部の軸、およびロール軸の周りでの作動中にリストアセンブリの配向を決定するために使用される。これらの実施形態では、第１の顎部と第２の顎部はそれぞれ、顎部の軸の周りでの個々の顎部の角度回転を読み取る独立したセンサーを有する。いくつかの実施形態において、第１の顎部のセンサーはヒンジ非湾曲体に位置し、第２の顎部のセンサーはヒンジ湾曲体に位置する。第１と第２の顎部について上に詳述されたセンサーは、本明細書ではリストジョイントの角度と呼ばれる顎部の軸回りでの第１と第２の顎部の平均角度だけでなく、顎部のジョイントの角度と呼ばれる、顎部の軸周りでの第１と第２の顎部の間の角度を決定するために、互いに対して協働して使用される。
【０１４７】
ジョイントの前述の角度を決定するために、リストアセンブリの各々独立したジョイントのセンサーは、個々の角度をゼロにするために較正され、物理的な動きと感知された動きとの間で一対一のマッピングを保証する。いくつかの実施形態において、各々独立したジョイントはその範囲内で移動し、すでに較正された外部センサーは、センサーが自分の感知した角度を同時に収集する際に、実際のジョイントの角度を記録するために使用される。当該技術分野において既知の標準的な較正手順は、外部センサーによって感知された角度に最良に一致するセンサーを較正するために使用され得る。較正の例としては、他のセンサーの位置に基づく所定のセンサーに対して、一定のオフセット、一定のスケール因子、および可変のオフセットまたはスケール因子を設定することを含む。
【０１４８】
いくつかの実施形態において、センサーが独自のセンサー読み取りで全範囲のそのジョイントを感知することができない場合、マルチターンアルゴリズムはジョイントの絶対的な位置の跡を追跡するために使用されてもよく、インクリメンタルエンコーダーがほんのわずかな可能性のあるセンサー読み取りを用いて任意の大きな範囲をどのように追跡することができるかに似ている。任意のマルチターンアルゴリズムあるいは当該技術分野で知られている類似のアルゴリズムがこの目的に使用されてもよい。１つの可能性のあるアルゴリズムの一例がここに記載されており：アルゴリズムのそれぞれの時間−工程では、感知されたジョイントの角度は、あらかじめ測定されたジョイントの角度と比較される。（アルゴリズムの最初の反復について、あらかじめ測定されたジョイント角度は、感知されたジョイント角度に設定される。）これらの２つの角度がセンサー範囲の半分以上で異なる場合、角度のこの大きなジャンプは実際には、センサーの不連続性（例えば、−１８０度〜１８０度を感知する間には不連続性があり得る）を通過した感知角度の結果であると仮定される。この例では、感知されたジョイント角度は、任意の時間−工程では−１７５度から＋１７８度に変化し得る。この大きな角度変化が検出されると、アルゴリズムは感知された角度と以前の角度との間の差がセンサー範囲の半分未満となるまで、感知されたジョイント角度からセンサーの全範囲を適切に加算または減算する。（上記の例において、感知されたジョイント角度は１７８−３６０＝−１８２度となるように修正され、以前のジョイント角度と新しく計算された感知されたジョイント角度との間の差を−１７５−（−１８２）＝７度とする。その後、あらかじめ感知されたジョイント角度は、アルゴリズムの次の反復のために新しく計算された感知されたジョイント角度を用いて更新される。いくつかの実施形態において、ローパスフィルターは、センサーノイズあるいは感知された角度の他の迅速な変化がセンサーの不連続性を通過すると誤解されないように、あらかじめ感知されたジョイント角度をフィルタリングするために使用されてもよい。
【０１４９】
いったんリストアセンブリのジョイントが適切に較正されて、ジョイントの配向の正確な読み取りを提供すると、リストアセンブリは作動する準備ができている。上記のように、顎部とリストアセンブリを作動させるケーブルは、アクチュエーターに動作可能に連結され、アクチュエーターはケーブルを動かして、リストアセンブリを作動させる。様々な実施形態では、限定されないが、サーボモーター、ロータリーアクチュエーター、リニアアクチュエーター、および／またはステッピングモーターを含む、様々なアクチュエーターが使用され得る。
【０１５０】
上記のように、電気通信コンポーネントは位置と配向のデータをコンピューターに送信するために利用され、コンピューターは上記データを処理して、制御コマンドおよび／またはプロンプトをアクチュエーターに送信し、アクチュエーターは所望のやり方で顎部とリストアセンブリを作動させるために、位置の変化をケーブルに適用する。一実施形態では、アクチュエーターは、顎部関節、リストジョイント、および本明細書ではピッチジョイントとも呼ばれるピッチ軸周りのリストアセンブリの回転を制御するために、様々な量によってケーブルを引くために、位置−制御モードで制御される。代替的な実施形態では、アクチュエーターはアクチュエータートルク、巻線電流、電圧、および／または角速度を使用して制御される。当該技術分野で既知の任意の作動方法が代替的に使用され得る。さらに他の実施形態では、制御モダリティのいくつかの組み合わせも様々なアクチュエーターに使用されてもよい。例えば、アゴニストアクチュエーターは、力制御でケーブルを引っ張ってもよく、同じジョイントのアンタゴニストアクチュエーターは、位置制御でそのケーブルを駆動してもよい。
【０１５１】
アクチュエーターの位置制御を用いるいくつかの実施形態において、リストアセンブリのケーブルの全動作は、３つのジョイント（リストジョイント、顎部ジョイント、およびピッチジョイント）の各々に対するそれぞれのケーブル動作の重ね合わせである。各々のジョイントのケーブル位置は、ケーブルの正味の所望の位置を決定するために、他のジョイントからケーブルの位置に加えられる。
【０１５２】
リストアセンブリ（１００）の実施形態について、すべてのジョイントですべてのケーブルの一定のモーメントアームを仮定すると、以下の表１中の数は、所定のジョイント角度に所定の量だけ影響を与えるために、適切なアクチュエーターによって強化されるケーブル位置の単位を示している。
【０１５３】
一実施形態では、表１中の様々な値は、所定のジョイント角度あるいはジョイント角度の変化（ラジアン）を達成するために、適切なアクチュエーターによって引かれるような、各ケーブルに適用される位置または位置の変化を示す。負の値は、所定のケーブルが所定のアクチュエーターによって引き込まれるよりもむしろ、引き出されるはずであることを示している。したがって、表中の値の単位は１ラジアン当たりのミリメートル（ｍｍ／ｒａｄ）である。ロボットの様々な実施形態は、表の値の様々な組み合わせを持っていることもあり、利用される制御モードおよび／またはアセンブリのコンポーネントのサイズに基づいて調節されることがある。
【０１５４】
【表１】
2021502193.tif 000003
【０１５５】
任意のジョイントを制御するために、限定されないが、ＰＩＤ、リードラグ、ＬＱＲ、Ｈ−無限大、モデル予測、スライディングモード、モデル規範形適応制御、ニューラルネットワークベース制御を含む、標準的なフィードバックおよびフィードフォワード制御技術の任意の組み合わせを利用する標準制御システムが使用される。この制御システムは、ジョイント角度（ヒト入力あるいは他の入力からの）と感知されたジョイント角度の設定値に基づいてエラー信号を生成する。コントローラーは現在の位置から所望の位置に向かってジョイントがどれだけ懸命に駆動しようとするかを表す制御努力を生成する。いくつかの実施形態において、制御努力はジョイント角度の変化として表わされる。いくつかの実施形態において、ロボット状態に関する他の情報は制御システム中で使用されてもよい。その後、この制御努力に上記の表の値を掛けることによって、個々のアクチュエーターによって駆動される所望のケーブル長さあるいはケーブル長さ変化を計算し、したがって、ジョイントは所望の位置に到達する。いくつかの実施形態において、これらの長さ変化は、初期化中に記録される当初のケーブル位置（あるいはアクチュエーター角度）に対して参照される。
【０１５６】
一例として、第１と第２のそれぞれの顎部が顎部の軸（１８９）の周りを回転することで、顎部を１ラジアン開くように、第１の顎部および第２の顎部を開くために、ケーブル（１８２）は５ｍｍ引かれ、その一方で、２．５ｍｍの長さのケーブル（１８５）とケーブル（１８１）が引き出される。表でケーブルについて「０」が示されている場合、それはケーブルが任意のジョイントについて一定で保持されることを意味する。ケーブル（１８５と１８１）は両方とも、ケーブル（１８２）に対向して作用するため、ケーブル（１８５と１８１）は、顎部ジョイントの所定の動作角度について、ケーブル（１８２）によって取り込まれるケーブルの半分しか引き出す必要はない。ジョイント上のケーブルのモーメントアームが他のモーメントアームと等しくない場合、上記の表中のスケーリングは適切に調節される。一例として、ケーブル（１８２）のためのモーメントアームがケーブル（１８５と１８１）の２倍のモーメントアームであった場合、ケーブル（１８２）は１０ｍｍ／ラジアンで引かれることになり、その一方で、ケーブル（１８１と１８５）はそれぞれ、依然として２．５ｍｍ／ラジアン引き出されることになる。上記の表で示される方向とは反対方向にジョイントを移動させるためには、表に示されている数字の符号が逆にされることになる。様々な実施形態では、トルク、速度、あるいは他の制御モードなどの様々なアクチュエーター制御モードが使用可能である。これらの様々な実施形態では、上記の表で示される値は、使用されるアクチュエーター制御モードに基づいて調節される。
【０１５７】
いくつかの実施形態において、リストアセンブリ（１００）のケーブルは、その位置、力、あるいは他の制御された量の複数のコンポーネントが、対向するケーブルあるいは複数のケーブルから独立するように、制御される。この種の制御戦略は、限定されないが、方向を変更する際に対向するケーブルが引き出され始める前後に１つのケーブルを引っ張り始めることと、特定の状況中に所定のジョイントを制御するケーブルのすべてに加えられる事前の負荷の増減を含む。リストアセンブリ（１００）のいくつかの実施形態において、ケーブルは、その位置、力、あるいは他の制御された量のいくつかのコンポーネントが独立した対向するケーブルあるいは複数のケーブルとなるように、制御され得る。この種の制御戦略は、限定されないが、方向を変更する際に対向するケーブルあるいは対のケーブルが引き出され始める前後に１つのケーブルあるいは対のケーブルを引っ張り始めることと、特定の状況中に所定のジョイントを制御するケーブルのすべてに加えられる与圧の増減を含む。一定または可変のスケーリングを上記の表と組み合わせることで、いくつかのケーブルを対向するケーブルよりも速く引っ張ったり、引き出したりすることで、ジョイントのきつい制御または緩い制御を提供することができるようにしてもよい。制御された量の緩みを与えるために、オフセットがケーブルあるいはケーブル対に加えられてもよい。
【０１５８】
リストアセンブリ（１００）に似て、位置制御は、様々な軸の周りでの作動を制御するために、リストアセンブリ（４００）のいくつかの実施形態で使用される。これらの実施形態では、第１と第２の顎部に配索されるケーブルはすべて、ヒンジ回転アセンブリと顎部アセンブリを通じて内部に配索される。図３４Ｂは、一実施形態にかかるヒンジ回転体を介するケーブル（４８２と４８５）の配索を示す。加えて、これらの実施形態では、リストアセンブリの制御の作動は、アセンブリを介するケーブルの様々な配索により異なる。上述のように、２つのケーブルが顎部の各々で終端する。これらの実施形態では、第１の顎部で終端するケーブルの対は、ピッチ軸（１８８）の同じ側に位置しており、第２の顎部で終端するケーブルの対は、図３４Ｃで見られるようなピッチ軸の対向する側に位置している。これらの実施形態では、各顎部で終端する２つのケーブルのうちの１つは顎部を開くために利用され、第２のケーブルは顎部を閉じるために利用される。図３４Ａで示される例示的な実施形態では、ケーブル（４８２と４９１）は第１の顎部（４０３）を開閉するために用いられるケーブルの対であり、ケーブル（４８２）は第１の顎部を開くために利用され（つまり、第２の顎部から離れて動く）、ケーブル（４９１）は第１の顎部を閉じるために利用される（つまり、第２の顎部へ向かって動く）。図３４Ａ−３４Ｄで示される実施形態では、第２の顎部（４０４）の第１の顎部（４０３）を開くために、ケーブル（４８２）はアクチュエーターによって引き込まれ、その一方で、ケーブル（４９１）上で同じ量が引き出される。加えて、第２の顎部ためのケーブルは一定に保持される。別の顎部とは無関係に１つの顎部を開くための上に詳述される同じ技術は、第２の顎部とは無関係に１つの顎部を閉じるために使用される。例えば、図３４Ａ−３４Ｄで示される実施形態では、第１の顎部を閉じるために、ケーブル（４９１）が引き込まれ、その一方で、ケーブル（４８２）の同じ長さが引き出され、ケーブル（４８１と４８５）は一定に保持される。
【０１５９】
リストアセンブリ（４００）のこれらの実施形態において、すべてのジョイント上ですべてのケーブルの一定のモーメントアームを仮定すると、各ジョイントは、ケーブルの対で引かれ、その一方で、同じ量だけケーブルの残りの対を引き出すことによって制御される。以下の表２は、リストアセンブリ（４００）のいくつかの実施形態について、所定のジョイントで所望の動作を与えるためにケーブルを引っ張る量を示している。符号は、正の方向に出力ジョイント動作を引き起こすために、ケーブルがどの方向に移動しなければならないかを示している。正はケーブルを引っ張ることを指し、負はケーブルを引き出すことを指している。以下の表では、単位は１ラジアン（ｒａｄ）当たりのミリメートル（ｍｍ）である。表において、「ａ」はピッチ軸と同心のプーリの半径であり、「ｂ」は顎部の軸と同心のプーリの半径であり、および、「ｂ／２」は顎部の軸と同心のプーリの半径の半分である。
【０１６０】
【表２】
2021502193.tif 000004
【０１６１】
いくつかの実施形態において、ケーブルは、その位置、力、あるいは他の制御された量のいくつかのコンポーネントが独立した対向するケーブルあるいは複数のケーブルとなるように、制御され得る。この種の制御戦略は、限定されないが、方向を変更する際に対向するケーブルあるいは対のケーブルが引き出され始める前後に１つのケーブルあるいは対のケーブルを引っ張り始めることと、特定の状況中に所定のジョイントを制御するケーブルのすべてに加えられる与圧の増減を含む。一定または可変のスケーリングを上記の表と組み合わせることで、いくつかのケーブルを対向するケーブルよりも速く引っ張ったり、引き出したりすることで、ジョイントのきつい制御または緩い制御を提供することができるようにしてもよい。制御された量の緩みを与えるために、オフセットがケーブルあるいはケーブル対に加えられてもよい。
【０１６２】
本明細書に記載された主題は、デジタル電子回路で、あるいは本明細書で開示される構造的な手段およびその構造的な同等物を含むコンピューターソフトウェア、ファームウェア、あるいはハードウェアで、あるいは、これらの組み合わせで実行され得る。本明細書に記載される主題は、情報担体で（例えば、機械可読記憶装置で）明確に具現化された、あるいは、データ処理装置（例えば、プログラム可能なプロセッサー、コンピューター、あるいは複数のコンピューター）によって実行するための、または上記データ処理装置を制御するための伝播信号で具現化された、１つ以上のコンピュータプログラムなどの１つ以上のコンピュータプログラムプロダクトとして実行され得る。コンピュータプログラム（プログラム、ソフトウェア、ソフトウェアアプリケーション、あるいはコードとしても知られている）は、コンパイラ型言語あるいはインタープリタ型言語を含むプログラミング言語の任意の形態で書かれており、スタンドアロンプログラムとして、あるいはモジュール、コンポーネント、サブルーチン、あるいは計算環境で使用するのに適した他のユニットとしての形態を含む、任意の形態で展開可能である。コンピュータプログラムは、必ずしもファイルに対応するわけではない。プログラムは、他のプログラムあるいはデータを保持するファイルの一部に、問題となっているプログラム専用の単一のファイルに、あるいは複数の統合されたファイル（例えば、１つ以上のモジュール、サブプログラム、あるいはコードの一部を格納するファイル）に格納され得る。コンピュータプログラムは、１つの場所に位置するか、あるいは、複数の場所に分布し、かつ、通信ネットワークにより相互接続される、１つのコンピューターまたは複数のコンピューター上で実行されるように、展開され得る。
【０１６３】
本明細書に記載される主題の方法の工程を含む本明細書に記載されたプロセスおよびロジックフローは、入力データ上で動作し、出力を生成することにより、本明細書に記載される主題の機能を実行するための１つ以上のコンピュータプログラムを実行する１つ以上のプログラマブルプロセッサによって実行され得る。プロセスとロジックフローは、特殊用途ロジック回路、例えば、ＦＰＧＡ（フィールドプログラマブルゲートアレイ）あるいはＡＳＩＣ（特定用途向け集積回路）によっても行うことができ、本明細書に記載される主題の装置は、上記特殊用途ロジック回路として実装され得る。
【０１６４】
コンピュータプログラムの実行に適したプロセッサーとしては、一例として、汎用マイクロプロセッサと特殊用途マイクロプロセッサの両方、および任意の種類のデジタルコンピュータの任意の１つ以上のプロセッサーが挙げられる。一般に、プロセッサーは読み出し専用メモリまたはランダムアクセスメモリあるいはその両方からの命令とデータを受け取る。コンピューターの必須要素は、命令を実行するためのプロセッサーと、命令およびデータを格納するための１つ以上のメモリ装置である。一般に、コンピューターはさらに、データを格納するための１つ以上の大容量記憶装置（例えば、光磁気ディスクあるいは光ディスク）を含み、あるいは、上記大容量記憶装置からデータを受け取るか、あるいは該大容量記憶装置へデータを転送するか、またはその両方のために動作可能に連結される、コンピュータプログラム命令およびデータを具現化するのに適した情報担体は、一例として、半導体記憶装置（例えば、ＥＰＲＯＭ、ＥＥＰＲＯＭ、およびフラッシュメモリ装置）；磁気ディスク（例えば、内部ハードディスクあるいはリムーバブルディスク）；磁気発電気光ディスク；および光ディスク（例えば、ＣＤおよびＤＶＤディスク）を含む不揮発性メモリーのすべての形態を含む。プロセッサーとメモリは、特殊用途ロジック回路によって補足されるか、あるいは特殊用途ロジック回路に組み込まれ得る。
【０１６５】
ユーザーとの相互作用を提供するために、本明細書に記載された主題は、ユーザーに情報を表示するための表示装置、例えば、ＣＲＴ（陰極線管）またはＬＣＤ（液晶ディスプレイ）モニタと、ユーザーがコンピューターに入力を提供することができるキーボードおよびポインティング装置（例えば、マウスまたはトラックボール）とを有するコンピューター上で実施され得る。他の種類の装置も同様にユーザーとの対話を提供するために使用され得る。例えば、ユーザーに提供されるフィードバックは、感覚フィードバック（例えば、視覚フィードバック、聴覚フィードバック、または触覚フィードバック）の任意の形態であり得、ユーザーからの入力は、音響入力、音声入力、または触覚入力を含む任意の形態で受け取られ得る。
【０１６６】
本明細書に記載される主題は、バックエンドコンポーネント（例えば、データサーバ）、ミドルウェアコンポーネント（例えば、アプリケーションサーバ）、またはフロントエンドコンポーネント（例えば、グラフィカルユーザインタフェース、またはユーザーが本明細書に記載される主題の実装と対話することができるウェブブラウザを有するクライアントコンピュータ）、またはそのようなバックエンド、ミドルウェア、およびフロントエンドのコンポーネントの任意の組み合わせを含むコンピューティングシステムに実装され得る。システムのコンポーネントは、デジタルデータ通信の任意の形態あるいは媒体、例えば、通信ネットワークによって相互接続され得る。通信ネットワークの例としては、ローカルエリアネットワーク（「ＬＡＮ」）および広域ネットワーク（例えば、インターネット）（「ＷＡＮ」）が挙げられる。
【０１６７】
開示された主題は、本出願では、構造の詳細、および、以下の説明に記載されたまたは図面に図示されたコンポーネントの配置に限定されないことが理解される。開示された主題は、他の実施形態が実行可能であり、および、様々な方法で実施かつ実行可能である。さらに、本明細書で使用される表現や用語は記載目的のためのものであり、限定的であるとみなされてはならないことも理解される。
【０１６８】
このように、当業者は、本開示の基礎となる概念が、開示された主題のいくつかの目的を遂行するための他の構造、方法、およびシステムを設計するための基礎として容易に利用できることを理解するであろう。したがって、特許請求の範囲は、開示された主題の精神および範囲から逸脱しない限りにおいて、そのような等しい構成を含むものとみなされることが重要である。
【０１６９】
開示された主題は、前述の例示的な実施形態において説明および図示されてきたが、本開示は、例示のためだけに行われたものであり、開示された主題の実施の詳細における多くの変更は、開示された主題の精神および範囲から逸脱することなく行われ得ることが理解され、それは、後に続く特許請求の範囲によってのみ限定されるものである。
【図１Ａ】
2021502193.tif 000005
【図１Ｂ】
2021502193.tif 000006
【図１Ｃ】
2021502193.tif 000007
【図１Ｄ】
2021502193.tif 000008
【図１Ｅ】
2021502193.tif 000009
【図１Ｆ】
2021502193.tif 000010
【図２Ａ】
2021502193.tif 000011
【図２Ｂ】
2021502193.tif 000012
【図２Ｃ】
2021502193.tif 000013
【図２Ｄ】
2021502193.tif 000014
【図３Ａ】
2021502193.tif 000015
【図３Ｂ】
2021502193.tif 000016
【図３Ｃ】
2021502193.tif 000017
【図３Ｄ】
2021502193.tif 000018
【図４Ａ】
2021502193.tif 000019
【図４Ｂ】
2021502193.tif 000020
【図４Ｃ】
2021502193.tif 000021
【図４Ｄ】
2021502193.tif 000022
【図５Ａ】
2021502193.tif 000023
【図５Ｂ】
2021502193.tif 000024
【図５Ｃ】
2021502193.tif 000025
【図６Ａ】
2021502193.tif 000026
【図６Ｂ】
2021502193.tif 000027
【図６Ｃ】
2021502193.tif 000028
【図６Ｄ】
2021502193.tif 000029
【図７Ａ】
2021502193.tif 000030
【図７Ｂ】
2021502193.tif 000031
【図７Ｃ】
2021502193.tif 000032
【図７Ｄ】
2021502193.tif 000033
【図８Ａ】
2021502193.tif 000034
【図８Ｂ】
2021502193.tif 000035
【図９Ａ】
2021502193.tif 000036
【図９Ｂ】
2021502193.tif 000037
【図１０Ａ】
2021502193.tif 000038
【図１０Ｂ】
2021502193.tif 000039
【図１１Ａ】
2021502193.tif 000040
【図１１Ｂ】
2021502193.tif 000041
【図１２Ａ】
2021502193.tif 000042
【図１２Ｂ】
2021502193.tif 000043
【図１３Ａ】
2021502193.tif 000044
【図１３Ｂ】
2021502193.tif 000045
【図１３Ｃ】
2021502193.tif 000046
【図１３Ｄ】
2021502193.tif 000047
【図１４Ａ】
2021502193.tif 000048
【図１４Ｂ】
2021502193.tif 000049
【図１４Ｃ】
2021502193.tif 000050
【図１４Ｄ】
2021502193.tif 000051
【図１５Ａ】
2021502193.tif 000052
【図１５Ｂ】
2021502193.tif 000053
【図１６Ａ】
2021502193.tif 000054
【図１６Ｂ】
2021502193.tif 000055
【図１７Ａ】
2021502193.tif 000056
【図１７Ｂ】
2021502193.tif 000057
【図１７Ｃ】
2021502193.tif 000058
【図１８】
2021502193.tif 000059
【図１９Ａ】
2021502193.tif 000060
【図１９Ｂ】
2021502193.tif 000061
【図１９Ｃ】
2021502193.tif 000062
【図１９Ｄ】
2021502193.tif 000063
【図２０Ａ】
2021502193.tif 000064
【図２０Ｂ】
2021502193.tif 000065
【図２１Ａ】
2021502193.tif 000066
【図２１Ｂ】
2021502193.tif 000067
【図２１Ｃ】
2021502193.tif 000068
【図２２Ａ】
2021502193.tif 000069
【図２２Ｂ】
2021502193.tif 000070
【図２３Ａ】
2021502193.tif 000071
【図２３Ｂ】
2021502193.tif 000072
【図２４】
2021502193.tif 000073
【図２５Ａ】
2021502193.tif 000074
【図２５Ｂ】
2021502193.tif 000075
【図２６Ａ】
2021502193.tif 000076
【図２６Ｂ】
2021502193.tif 000077
【図２６Ｃ】
2021502193.tif 000078
【図２７Ａ】
2021502193.tif 000079
【図２７Ｂ】
2021502193.tif 000080
【図２８Ａ】
2021502193.tif 000081
【図２８Ｂ】
2021502193.tif 000082
【図２９Ａ】
2021502193.tif 000083
【図２９Ｂ】
2021502193.tif 000084
【図２９Ｃ】
2021502193.tif 000085
【図３０Ａ】
2021502193.tif 000086
【図３０Ｂ】
2021502193.tif 000087
【図３１Ａ】
2021502193.tif 000088
【図３１Ｂ】
2021502193.tif 000089
【図３１Ｃ】
2021502193.tif 000090
【図３１Ｄ】
2021502193.tif 000091
【図３２Ａ】
2021502193.tif 000092
【図３２Ｂ】
2021502193.tif 000093
【図３３Ａ】
2021502193.tif 000094
【図３３Ｂ】
2021502193.tif 000095
【図３４Ａ】
2021502193.tif 000096
【図３４Ｂ】
2021502193.tif 000097
【図３４Ｃ】
2021502193.tif 000098
【図３４Ｄ】
2021502193.tif 000099
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
リストアセンブリであって、該リストアセンブリは、
ａ．顎部アセンブリであって、
ｉ．第１の動作セグメント、第１の作動ハブ、および第１の作動ハブに動作可能につながれたケーブル再配向ハブを備えた第１の顎部であって、第１の作動ハブはケーブル通路を具備し、かつ外周を規定し、ケーブル再配向ハブは再配向ハブケーブル管路を具備し、かつ第１の作動ハブの外周に隣接する、第１の顎部、
ｉｉ．第２の動作セグメントおよび第２の作動ハブを備えた第２の顎部であって、第２の作動ハブは、第２の作動ハブの外周に沿って配置された第１のケーブル管路を具備する、第２の顎部、および
ｉｉｉ．第１および第２の顎部のためのハウジングであって、該ハウジングは、第１の本体および第２の本体を含み、かつ第１の顎部と第２の顎部が顎部の軸まわりを回転できるように構成され、第１の顎部と第２の顎部は移動可能に対向している、ハウジング
を含む、顎部アセンブリ；
ｂ．第１のケーブル管路の少なくとも一部に配置され、かつ第２の顎部につながれた、第１のケーブル；
ｃ．ケーブル通路に配置され、かつ第２の顎部につながれた、第２のケーブル；
ｄ．再配向ハブケーブル管路の少なくとも一部に配置され、かつ第１の顎部につながれた、第３のケーブルであって、
第２のケーブルに付与された第２の張力より大きな第１の張力を第１のケーブルに付与することで、第２の顎部を顎部の軸まわりで第１の顎部の方へと回転させる、顎部の軸に沿う第１のトルクが生成され、第１のケーブルに付与された第１の張力より大きな第２の張力を第２のケーブルに付与することで、第２の顎部を顎部の軸まわりで第１の顎部から離れて回転させる、顎部の軸に沿う第２のトルクが生成され、および
第２のケーブルに付与された第２の張力より大きな第３の張力を第３のケーブルに付与することで、第１の顎部を顎部の軸まわりで第２の顎部の方へと回転させる、顎部の軸に沿う第３のトルクが生成され、第３のケーブルに付与された第３の張力より大きな第２の張力を第２のケーブルに付与することで、第１の顎部を顎部の軸まわりで第２の顎部から離れて回転させる、顎部の軸に沿う第４のトルクが生成される、第３のケーブル；
ｅ．顎部の軸に近接して配置され、かつ顎部の軸まわりでの第１または第２の顎部のうち１つ以上の回転を検出するように構成される、少なくとも１つの第１の回転位置センサー；および
ｆ．顎部の軸まわりで第１または第２の顎部のうち１つ以上を回転させるように構成された制御システム
を具備する、リストアセンブリ。
【請求項２】
前記リストアセンブリはさらにヒンジ回転アセンブリを具備し、該ヒンジ回転アセンブリは、ピッチ軸まわりで顎部アセンブリを回転させ、かつロール軸まわりでヒンジ回転アセンブリを回転させるように構成され、前記ヒンジ回転アセンブリは、
ａ．空洞を規定する雌回転体；
ｂ．ケーブル管路を備えた近位端を具備するヒンジ回転体であって、該ケーブル管路は、第１のケーブル、第２のケーブル、または第３のケーブルの１つ以上を収容し、ここで、ヒンジ回転体の少なくとも一部は雌回転体の空洞内に配置される、ヒンジ回転体；
ｃ．ヒンジカバー；および
ｄ．ヒンジ回転体とヒンジカバーとの間に配置された少なくとも１つの従動プーリであって、該従動プーリは、従動プーリの外周に沿って配置された従動管路を備え、前記従動プーリはピッチ軸まわりに配置され、第２のケーブルは従動管路の少なくとも一部に配置される、従動プーリ
を具備する、請求項１に記載のリストアセンブリ。
【請求項３】
前記ヒンジ回転アセンブリはさらに、ヒンジ回転体の近位端に動作可能につながれた回転プーリ体を具備し、前記ヒンジ回転体は、雌回転体に対して回転プーリ体と共に回転することでロール軸まわりでの回転運動を生じさせる、請求項２に記載のリストアセンブリ。
【請求項４】
複数のベアリングをさらに具備し、該複数のベアリングは、
ａ．ヒンジ回転体と顎部アセンブリの第１の本体との間、
ｂ．ヒンジ回転体と雄ベアリングレースとの間、
ｃ．少なくとも１つの従動プーリと顎部アセンブリの第１の本体との間、
ｄ．ヒンジカバーと顎部アセンブリの第２の本体との間、または
ｅ．ヒンジカバーと雄ベアリングレースとの間
のうち１つ以上に位置している、請求項２に記載のリストアセンブリ。
【請求項５】
前記ヒンジ回転アセンブリはさらに分離面を具備し、該分離面は、第１のケーブル、第２のケーブル、または第３のケーブルの１つ以上が、分離面の少なくとも一部を乗り通ることで第１のケーブル、第２のケーブル、または第３のケーブルの１つ以上における長さの変化を減らす一方で、分離面がない状態で第１のケーブル、第２のケーブル、または第３のケーブルの１つ以上における長さの変化に対してピッチ軸の中心まわりを枢動するのを可能にするように構成される、請求項２に記載のリストアセンブリ。
【請求項６】
分離面は、ヒンジカバーまたはヒンジ回転体の少なくとも１つの上に位置する、請求項５に記載のリストアセンブリ。
【請求項７】
ピッチ軸に近接して配置され、かつピッチ軸まわりの顎部アセンブリの回転を検出するように構成された、少なくとも１つの第２の回転位置センサーをさらに具備する、請求項５に記載のリストアセンブリ。
【請求項８】
ピッチ軸に位置する複数の第２の回転位置センサーを具備する、請求項７に記載のリストアセンブリ。
【請求項９】
少なくとも１つの第１の回転位置センサーまたは少なくとも１つの第２の回転位置センサーによってキャプチャされた情報を送信するように構成された、少なくとも１つの電気通信コンポーネントをさらに具備する、請求項７に記載のリストアセンブリ。
【請求項１０】
前記少なくとも１つの電気通信コンポーネントはフレキシブルプリント回路基板（ＦＰＣＢ）を具備する、請求項９に記載のリストアセンブリ。
【請求項１１】
前記少なくとも１つの電気通信コンポーネントはプリント回路基板（ＰＣＢ）を具備する、請求項９に記載のリストアセンブリ。
【請求項１２】
前記ハウジングの第１の本体は、顎部アセンブリがピッチ軸まわりの回転の限界を超えて回転するのを防ぐように構成されたヒンジ停止部をさらに具備する、請求項５に記載のリストアセンブリ。
【請求項１３】
顎部アセンブリの第１の本体と第２の本体のうち１つにつながれた第４のケーブルをさらに具備し、ここで、対向ケーブルに付与される対向張力よりも大きな第４の張力を第４のケーブルに付与すると、顎部アセンブリをピッチ軸まわりで第１のピッチ方向に回転させる、ピッチ軸に沿う第５のトルクが生成され、第４のケーブルに付与される第４の張力よりも大きな対向張力を対向ケーブルに付与すると、顎部アセンブリをピッチ軸まわりで第２のピッチ方向に回転させる、ピッチ軸に沿う対向トルクが生成され、第２のピッチ方向は、第１のピッチ方向の反対方向でのピッチ軸まわりの回転である、請求項２に記載のリストアセンブリ。
【請求項１４】
対向ケーブルと対向張力は、
ａ．第１のケーブルと第１のケーブル張力、
ｂ．第２のケーブルと第２のケーブル張力、または
ｃ．第３のケーブルと第３のケーブル張力
のうち１つ以上である、請求項１３に記載のリストアセンブリ。
【請求項１５】
対向ケーブルは、第１のケーブル、第２のケーブル、または第３のケーブルのうち１つのみである、請求項１３に記載のリストアセンブリ。
【請求項１６】
対向ケーブルは第１のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させ、
対向ケーブルは第２のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させ、または
対向ケーブルは第３のケーブルであり、第４の張力を超える対向張力を対向ケーブルに付与することで、ピッチ軸に沿う対向トルクが生成され、かつ顎部アセンブリをピッチ軸まわりで第２のピッチ方向に回転させる、請求項１５に記載のリストアセンブリ。
【請求項１７】
前記制御システムはさらに、少なくとも１つの第１の回転位置センサーまたは少なくとも１つの第２の回転位置センサーのうち１つ以上からデータを受け取り、かつ、第１の張力、第２の張力、第３の張力、第４の張力、または対向張力がピッチ軸または顎部の軸のうち１つ以上のまわりで顎部アセンブリを回転させると判定するように構成される、請求項１３に記載のリストアセンブリ。
【請求項１８】
前記制御システムはさらに、第１のケーブル、第２のケーブル、第３のケーブル、または第４のケーブルのうち１つに張力を付与するように構成された少なくとも１つのアクチュエーターを含み、該アクチュエーターは、ステッパーモーター、サーボモーター、油圧アクチュエーター、空気圧式アクチュエーター、圧電性モーター、または超音波変換器のうち１つである、請求項１７に記載のリストアセンブリ。
【請求項１９】
前記ケーブル再配向ハブと前記第１の作動ハブは一体式構造である、請求項１に記載のリストアセンブリ。
【請求項２０】
前記ケーブル再配向ハブは再配向ピンを具備し、第２のケーブルは少なくともケーブル通路内の再配向ピンの一部の周囲を通る、請求項１に記載のリストアセンブリ。
【請求項２１】
前記第１の作動ハブはさらに第１のケーブル配索突起部を具備し、該第１のケーブル配索突起部は、第２のケーブルが第１の方向における顎部の軸まわりでの第１の顎部の回転中に乗り通るための表面を設けるように構成される、請求項１に記載のリストアセンブリ。
【請求項２２】
前記第１のケーブル配索突起部は、第１のケーブル配索突起部が存在しない場合に第１の方向における顎部の軸まわりでの第１の顎部の回転中の顎部の軸に沿ったトルクに比べて、第１の方向における顎部の軸まわりでの第１の顎部の回転中の顎部の軸に沿ったトルクを減少させるように構成される、請求項２１に記載のリストアセンブリ。
【請求項２３】
前記第１のケーブル配索突起部は、第１のケーブル配索突起部が存在しない場合に第１の方向における顎部の軸まわりでの第１の顎部の回転中の第２のケーブルの長さの変化に比べて、第１の方向における顎部の軸まわりでの第１の顎部の回転中の第２のケーブルの長さの変化を減少させるように構成される、請求項２１に記載のリストアセンブリ。
【請求項２４】
前記第１の作動ハブはさらに第２のケーブル配索突起部を具備し、該第２のケーブル配索突起部は、第２のケーブルが第２の方向における顎部の軸まわりでの第１の顎部の回転中に乗り通るための表面を設けるように構成され、第２の方向は第１の方向とは反対の回転方向である、請求項２１に記載のリストアセンブリ。
【請求項２５】
前記第２のケーブル配索突起部は、第２のケーブル配索突起部が存在しない場合に第２の方向における顎部の軸まわりでの第１の顎部の回転中の顎部の軸に沿ったトルクに比べて、第２の方向における顎部の軸まわりでの第１の顎部の回転中の顎部の軸に沿ったトルクを減少させるように構成される、請求項２４に記載のリストアセンブリ。
【請求項２６】
前記第２のケーブル配索突起部は、第２のケーブル配索突起部が存在しない場合に第２の方向における顎部の軸まわりでの第１の顎部の回転中の第２のケーブルの長さの変化に比べて、第２の方向における顎部の軸まわりでの第１の顎部の回転中の第２のケーブルの長さの変化を減少させるように構成される、請求項２４に記載のリストアセンブリ。
【請求項２７】
前記第１の作動ハブは、第１の支点、および該第１の支点まわりに配置された第１のケーブルプーリを含む、請求項１に記載のリストアセンブリ。
【請求項２８】
前記第１の作動ハブは、第２の支点、および該第２の支点まわりに配置された第２のケーブルプーリを含む、請求項２７に記載のリストアセンブリ。
【請求項２９】
前記第２のケーブルは、第１のケーブルプーリと第２のケーブルプーリの周囲を通る、請求項２８に記載のリストアセンブリ。
【請求項３０】
前記第２のケーブルは、約２４０〜３００度の第１のケーブルプーリまわりのラップ角度を有し、かつ、約１１０度未満の第２のケーブルプーリまわりのラップ角度を有している、請求項２９に記載のリストアセンブリ。
【請求項３１】
顎部の軸に近接して配置される複数の第１の回転位置センサーを具備する、請求項１に記載のリストアセンブリ。
【請求項３２】
第１の動作セグメントと第２の動作セグメントは、顎部アセンブリの残部から電気的に単離されるように構成される、請求項１に記載のリストアセンブリ。
【請求項３３】
第１の動作セグメントと第２の動作セグメントは焼灼ツールとして構成される、請求項３２に記載のリストアセンブリ。
【請求項３４】
前記制御システムはさらに、第１のケーブル、第２のケーブル、または第３のケーブルのうち１つに張力を付与するように構成された少なくとも１つのアクチュエーターを含み、該アクチュエーターは、ステッパーモーター、サーボモーター、油圧アクチュエーター、空気圧式アクチュエーター、圧電性モーター、または超音波変換器のうち１つである、請求項１に記載のリストアセンブリ。
【請求項３５】
第１の顎部と第２の顎部は独立して移動可能である、請求項１に記載のリストアセンブリ。
【請求項３６】
前記ハウジングの第１の本体は第１の顎部停止部をさらに具備し、前記ハウジングの第２の本体は第２の顎部停止部をさらに具備し、第１の顎部停止部と第２の顎部停止部は、第１の顎部または第２の顎部のうち１つ以上が顎部の軸まわりの回転の限界を超えて回転するのを防ぐように構成される、請求項１に記載のリストアセンブリ。
【国際調査報告】
2021502193.tif 000100